(57)【要約】【課題】無線通信システムおいて基準信号を配置する方法を提供する。【解決手段】基準信号配置方法は、複数個のアンテナに対する複数個のサブフレームを備え、１つのサブフレームに対する基準信号を配置し、上記１つのサブフレームに対する基準信号と重複しないように他のサブフレームに対する基準信号を配置する。１つのサブフレームに対する基準信号及び上記他のサブフレームに対する基準信号は、隣接するＯＦＤＭシンボルまたは隣接する副搬送波上に連続的に配置される。チャネル推定またはデータ復調に対する性能劣化を防止できる。【選択図】図５
2009533941.tif 000002
【特許請求の範囲】
【請求項１】
無線ＭＩＭＯ（Ｍｕｌｔｉｐｌｅ−Ｉｎｐｕｔ  Ｍｕｌｔｉｐｌｅ−Ｏｕｔｐｕｔ）通信システムにおいて、時間領域で複数個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、周波数領域で複数個の副搬送波を含むサブフレームに対する基準信号を割り当てる方法において、
周波数領域で一定間隔に、第１のアンテナに対するサブフレーム上の第１のＯＦＤＭシンボルに、第１のアンテナに対する複数個の第１の基準信号を割り当てる段階；
周波数領域で一定間隔に、上記第２のアンテナに対するサブフレーム上の第１のＯＦＤＭシンボルに、第２のアンテナに対する複数個の第２の基準信号を、上記複数個の第１の基準信号と重複しないように割り当てる段階；
周波数領域で一定間隔に、上記第１のＯＦＤＭシンボルと隣接する第３のアンテナに対するサブフレーム上の第２のＯＦＤＭシンボルに、第３のアンテナに対する複数個の第３の基準信号を割り当てる段階；及び、
第４のアンテナに対するサブフレーム上の上記第２のＯＦＤＭシンボルに、第４のアンテナに対する複数個の第４の基準信号を、上記複数個の第３の基準信号と重複しないように割り当てる段階を含む基準信号割当方法。
【請求項２】
請求項１において、
周波数領域で、上記複数個の第１の基準信号、上記複数個の第２の基準信号、上記複数個の第３の基準信号及び上記複数個の第１の基準信号の間隔は同じであることを特徴とする基準信号割当方法。
【請求項３】
請求項１において、
周波数領域で、上記複数個の第３の基準信号の位置は複数個の第１の基準信号の位置と同一であり、周波数領域で、上記複数個の第４の基準信号の位置は複数個の第２の基準信号の位置と同じであることを特徴とする基準信号割当方法。
【請求項４】
請求項１において、
周波数領域で、上記複数個の第４の基準信号の位置は複数個の第１の基準信号の位置と同一であり、周波数領域で、上記複数個の第３の基準信号の位置は複数個の第２の基準信号の位置と同じであることを特徴とする基準信号割当方法。
【請求項５】
請求項１において、
上記第１のＯＦＤＭシンボル及び第２のＯＦＤＭシンボルと隣接しない第１のアンテナに対するサブフレーム上の第３のＯＦＤＭシンボルに、上記複数個の第１の基準信号と同一間隔に、第１のアンテナに対する複数個の追加第１の基準信号を割り当てる段階；及び、
第２のアンテナに対するサブフレーム上の第３のＯＦＤＭシンボルに、上記複数個の第２の基準信号と同一間隔に、第２のアンテナに対する複数個の追加第２の基準信号を上記複数個の追加第１の基準信号と重複しないように割り当てる段階をさらに含むことを特徴とする基準信号割当方法。
【請求項６】
請求項５において、
周波数領域で、上記複数個の追加第１の基準信号の位置は複数個の追加第２の基準信号の位置と同一であり、周波数領域で、上記複数個の追加第２の基準信号の位置は複数個の第１の基準信号の位置と同じであることを特徴とする基準信号割当方法。
【請求項７】
請求項５において、
上記第１のＯＦＤＭシンボル及び第２のＯＦＤＭシンボルと隣接せず、上記第３のＯＦＤＭシンボルと隣接する、第３のアンテナに対するサブフレーム上の第４のＯＦＤＭシンボルに、周波数領域で上記複数個の第３の基準信号と同一間隔に、第３のアンテナに対する複数個の追加第３の基準信号を割り当てる段階；及び、
第４のアンテナに対するサブフレーム上の第４のＯＦＤＭシンボルに、周波数領域で上記複数個の第４の基準信号と同一間隔に、第４のアンテナに対する複数個の追加第４の基準信号を上記複数個の第３の追加基準信号と重複しないように割り当てる段階をさらに含むことを特徴とする基準信号割当方法。
【請求項８】
請求項７において、
周波数領域で、上記複数個の追加第１の基準信号の位置は複数個の追加第２の基準信号の位置と同一であり、周波数領域で、上記複数個の追加第２の基準信号の位置は複数個の第１の基準信号の位置と同じであることを特徴とする基準信号割当方法。
【請求項９】
請求項７において、
周波数領域で、上記複数個の追加第３の基準信号の位置は複数個の第４の基準信号の位置と同一であり、周波数領域で、上記複数個の追加第４の基準信号の位置は複数個の第３の基準信号の位置と同じであることを特徴とする基準信号割当方法。
【請求項１０】
請求項１において、
上記第１のＯＦＤＭシンボル及び第２のＯＦＤＭシンボルと隣接しない第３のアンテナに対するサブフレーム上の第３のＯＦＤＭシンボルに、周波数領域で、上記複数個の第３の基準信号と同一間隔に、第３のアンテナに対する複数個の追加第３の基準信号を割り当てる段階；及び、
第４のアンテナに対するサブフレーム上の第３のＯＦＤＭシンボルに、周波数領域で、上記複数個の第４の基準信号と同一間隔に、第４のアンテナに対する複数個の追加第４の基準信号を上記複数個の第３の追加基準信号と重複しないように割り当てる段階をさらに含むことを特徴とする基準信号割当方法。
【請求項１１】
請求項１０において、
周波数領域で、上記複数個の追加第３の基準信号の位置は複数個の第４の基準信号の位置と同一であり、周波数領域で、上記複数個の追加第４の基準信号の位置は複数個の第３の基準信号の位置と同じであることを特徴とする基準信号割当方法。
【請求項１２】
請求項１において、
上記第１のＯＦＤＭシンボルは、
少なくとも２つのＯＦＤＭシンボルを含む送信時間間隔（ＴＴＩ：Ｔｒａｎｓｍｉｓｓｉｏｎ  Ｔｉｍｅ  Ｉｎｔｅｒｖａｌ）の開始に近接することを特徴とする基準信号割当方法。
【請求項１３】
請求項１において、
上記第１のＯＦＤＭシンボルまたは第２のＯＦＤＭシンボルと隣接する第３のＯＦＤＭシンボルに、多重使用者信号に対する複数個の基準信号を割り当てる段階をさらに含むことを特徴とする基準信号割当方法。
【請求項１４】
無線通信システムにおける基準信号配置方法において、
複数個のアンテナに対する複数個のサブフレームを準備する段階；−ここで、１つのサブフレームは、時間領域で複数個のＯＦＤＭシンボルを含み、周波数領域で複数個の副搬送波を含む−
１つのサブフレームに対する基準信号を配置する段階；及び、
隣接するＯＦＤＭシンボルまたは隣接する副搬送波に連続的に割り当てられる他のサブフレームに対する基準信号を、隣接するＯＦＤＭシンボルまたは隣接する副搬送波に連続的に割り当てられる上記１つのサブフレームに対する基準信号と重複しないように配置する段階を含む基準信号配置方法。
【請求項１５】
請求項１４において、
上記１つのサブフレームに対する基準信号と重複するように他のサブフレームに対するナル（ｎｕｌｌ）シンボルを配置する段階をさらに含むことを特徴とする基準信号配置方法。
【請求項１６】
請求項１４において、
上記他のサブフレームに対する基準信号と重複するように、１つのサブフレームに対するナル（ｎｕｌｌ）シンボルを配置する段階をさらに含むことを特徴とする基準信号配置方法。
【請求項１７】
無線通信システムにおける基準信号配置方法において、
専用信号に対する複数個の基準信号を配置する段階；及び、
周波数領域で多重使用者信号に対する複数個の基準信号の間隔が、上記専用信号に対する複数個の基準信号の間隔より短いように、上記多重使用者信号に対する複数個の基準信号を配置する段階を含む基準信号割当方法。
【請求項１８】
無線ＭＩＭＯ通信システム基盤のＯＦＤＭ装置において、
複数個の送信アンテナ；
連続的に隣接するＯＦＤＭシンボルまたは隣接する副搬送波に複数個の基準信号のうち少なくとも２つの基準信号が配置され、複数個の送信アンテナに対する複数個の基準信号を相互重複しないように割り当てる副搬送波アロケータ；及び、
上記複数個の基準信号を変調するＯＦＤＭ変調器を含むＯＦＤＭ装置。
【請求項１９】
無線ＭＩＭＯ通信システム基盤のＯＦＤＭ装置において、
少なくとも１つの受信アンテナ；及び、
相互重複せず、複数個の基準信号のうち少なくとも２つの基準信号は、連続的に隣接するＯＦＤＭシンボルまたは隣接する副搬送波に配置される複数個の送信アンテナに対する複数個の基準信号を用いてチャネルを推定するチャネル推定器を含むＯＦＤＭ装置。
【請求項２０】
ＯＦＤＭ基盤の無線通信システムにおけるチャネル推定のための情報提供基準信号の構造において、
上記基準信号の構造は相互重複しない複数個のアンテナに対する複数個の基準信号を含み、複数個の基準信号のうち少なくとも２つの基準信号は隣接するＯＦＤＭシンボルまたは隣接する副搬送波に連続的に配置される基準信号の構造。
【発明の詳細な説明】
【技術分野】
【０００１】
本発明は、無線通信に関し、より詳しくは、ＭＩＭＯ（Ｍｕｌｔｉｐｌｅ−Ｉｎｐｕｔ  Ｍｕｌｔｉｐｌｅ−Ｏｕｔｐｕｔ）アンテナシステムにおいて基準信号を割り当てる方法に関する。
【背景技術】
【０００２】
ＭＩＭＯ（Ｍｕｌｔｉｐｌｅ  Ｉｎｐｕｔ  Ｍｕｌｔｉｐｌｅ  Ｏｕｔｐｕｔ）システムとは、多重送信アンテナと多重受信アンテナとを用いてデータの通信効率を向上させるシステムをいう。ＭＩＭＯシステムは、空間多重化（Ｓｐａｔｉａｌ  ｍｕｌｔｉｐｌｅｘｉｎｇ）と空間ダイバーシティ（Ｓｐａｔｉａｌ  ｄｉｖｅｒｓｉｔｙ）のようなＭＩＭＯ方式を用いて具現される。空間多重化技法は、多重の送信アンテナを介して相異のデータを同時に伝送することによってシステムの帯域幅を増加させることなく、高速にデータを伝送できる。空間ダイバーシティ技術は、多重の送信アンテナで同じデータを伝送して送信ダイバーシティを得ることができる。
【０００３】
受信機は送信機から伝送されたデータを復元するためにチャネルを推定する。チャネル推定とは、フェーディング（Ｆａｄｉｎｇ）による急激な環境変化によって生じる信号の歪曲を補償して伝送信号を復元する過程をいう。一般的に、チャネル推定のためには、送信機及び受信機が相互知っている基準信号（Ｒｅｆｅｒｅｎｃｅ  ｓｉｇｎａｌ）を用いてチャネル推定を遂行するようになる。
【０００４】
上記基準信号は、全体周波数領域に割り当てられる方式と各々の周波数領域間に割り当てられる方式がある。全体周波数領域に割り当てられる方式の基準信号は、各々の周波数領域間に割り当てられる方式の基準信号より密度が高い。従って、全体周波数領域に基準信号が割り当てられる場合、チャネル推定がさらに精密に遂行されることができる。一方、各々の周波数領域間に基準信号が割り当てられる場合、全体周波数領域に基準信号が割り当てられる場合に比べてデータの伝送量を増大させることができる。各々の周波数領域間に基準信号を割り当てる方式を用いる場合、基準信号の密度が減少するため、チャネル推定性能の劣化が発生できる。
【０００５】
ＭＩＭＯシステムにおいては、多重チャネルが各送信アンテナに対して独立的に提供される。従って、基準信号は多重チャネルを考慮して割り当てられる必要がある。さらに、ＭＩＭＯシステムは、ランク（ｒａｎｋ）に応じてシングルコードワード及び多重コードワードモードで動作できる。基準信号の数は、送信アンテナの数の増加に応じて増加できる。これはデータ伝送率を減少させることができる。
【０００６】
従って、多重アンテナを考慮した効果的な基準信号割当技術が必要である。
【発明の開示】
【発明が解決しようとする課題】
【０００７】
本発明は、無線通信上の多重入力多重出力（ＭＩＭＯ）アンテナシステムにおいて基準信号を割り当てる方法を提供する。
【課題を解決するための手段】
【０００８】
本発明によると、無線ＭＩＭＯ（Ｍｕｌｔｉｐｌｅ−Ｉｎｐｕｔ  Ｍｕｌｔｉｐｌｅ−Ｏｕｔｐｕｔ）通信システムにおいて、時間領域で複数個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、周波数領域で複数個の副搬送波を含むサブフレームに対する基準信号を割り当てる方法は、周波数領域で一定間隔に、第１のアンテナに対するサブフレーム上の第１のＯＦＤＭシンボルに、第１のアンテナに対する複数個の第１の基準信号を割り当てる段階；周波数領域で一定間隔に、上記第２のアンテナに対するサブフレーム上の第１のＯＦＤＭシンボルに、第２のアンテナに対する複数個の第２の基準信号を、上記複数個の第１の基準信号と重複しないように割り当てる段階；周波数領域で一定間隔に、上記第１のＯＦＤＭシンボルと隣接する第３のアンテナに対するサブフレーム上の第２のＯＦＤＭシンボルに、第３のアンテナに対する複数個の第３の基準信号を割り当てる段階；及び、第４のアンテナに対するサブフレーム上の上記第２のＯＦＤＭシンボルに、第４のアンテナに対する複数個の第４の基準信号を、上記複数個の第３の基準信号と重複しないように割り当てる段階を含む。
【０００９】
また、無線通信システムにおける基準信号配置方法において、複数個のアンテナに対する複数個のサブフレームを準備する段階；−ここで、１つのサブフレームは、時間領域で複数個のＯＦＤＭシンボルを含み、周波数領域で複数個の副搬送波を含む−１つのサブフレームに対する基準信号を配置する段階；及び、隣接するＯＦＤＭシンボルまたは隣接する副搬送波に連続的に割り当てられる他のサブフレームに対する基準信号を、隣接するＯＦＤＭシンボルまたは隣接する副搬送波に連続的に割り当てられる上記１つのサブフレームに対する基準信号と重複しないように配置する段階を含む。
【００１０】
また、本発明によると、無線通信システムにおいて基準信号配置方法は、専用信号に対する複数個の基準信号を配置する段階；及び、周波数領域で多重使用者信号に対する複数個の基準信号の間隔が、上記専用信号に対する複数個の基準信号の間隔より短いように、上記多重使用者信号に対する複数個の基準信号を配置する段階を含む。
【００１１】
また、本発明によると、無線ＭＩＭＯ通信システム基盤のＯＦＤＭ装置は、複数個の送信アンテナ；連続的に隣接するＯＦＤＭシンボルまたは隣接する副搬送波に複数個の基準信号のうち少なくとも２つの基準信号が配置され、複数個の送信アンテナに対する複数個の基準信号を相互重複しないように割り当てる副搬送波アロケータ；及び、上記複数個の基準信号を変調するＯＦＤＭ変調器を含む。
【００１２】
また、本発明によると、無線ＭＩＭＯ通信システム基盤のＯＦＤＭ装置は、少なくとも１つの受信アンテナ；及び、相互重複せず、複数個の基準信号のうち少なくとも２つの基準信号は、連続的に隣接するＯＦＤＭシンボルまたは隣接する副搬送波に配置される複数個の送信アンテナに対する複数個の基準信号を用いてチャネルを推定するチャネル推定器を含む。
【００１３】
また、本発明によると、ＯＦＤＭ基盤の無線通信システムにおけるチャネル推定のための情報提供基準信号の構造は、上記基準信号の構造は相互重複しない複数個のアンテナに対する複数個の基準信号を含み、複数個の基準信号のうち少なくとも２つの基準信号は隣接するＯＦＤＭシンボルまたは隣接する副搬送波に連続的に配置される。
【発明の効果】
【００１４】
本発明による基準信号配置方法は、チャネル推定またはデータ復調に対する性能劣化を防止できる。
【発明を実施するための最良の形態】
【００１５】
本発明の追加的な特徴や長所は、以下の詳細な説明から記述される。以下の一般的な説明と本発明の詳細な説明は例示的に説明のためのものであり、本発明を特許請求範囲に提供するためである。
【００１６】
以下に開示される技術は多様な通信システムに用いられることができる。上記通信システムは音声、パケットデータなどのような多様な通信サービスに提供されることができる。上記技術は下向きリンク（ｄｏｗｎｌｉｎｋ）または上向きリンク（ｕｐｌｉｎｋ）に用いられることができる。一般的に、下向きリンクは基地局（ＢＳ：Ｂａｓｅ  Ｓｔａｔｉｏｎ）から使用者端末（ＵＥ：Ｕｓｅｒ  Ｅｑｕｉｐｍｅｎｔ）への通信を意味し、上向きリンクはＵＥからＢＳへの通信を意味する。上記ＢＳは、一般的にＵＳと通信する固定局（ｆｉｘｅｄ  ｓｔａｔｉｏｎ）であって、ノード−Ｂ（ｎｏｄｅ−Ｂ）、ＢＴＳ（Ｂａｓｅ  Ｔｒａｎｓｃｅｉｖｅｒ  Ｓｙｓｔｅｍ）及びアクセスポイント（ａｃｃｅｓｓ  ｐｏｉｎｔ）のような他の技術用語とも呼ばれることができる。上記ＵＥは、固定されたり移動性を有することができ、ＭＳ（Ｍｏｂｉｌｅ  Ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）及び無線端末のような他の技術用語とも呼ばれることができる。
【００１７】
通信システムは、ＭＩＭＯ（Ｍｕｔｉｐｌｅ−Ｉｎｐｕｔ  Ｍｕｌｔｉｐｌｅ−Ｏｕｔｐｕｔ）システムであってもよく、ＭＩＳＯ（Ｍｕｔｉｐｌｅ−Ｉｎｐｕｔ  Ｓｉｎｇｌｅ−Ｏｕｔｐｕｔ）システムであってもよい。上記ＭＩＭＯシステムは複数個の送信アンテナ及び複数個の受信アンテナを含む。上記ＭＩＳＯシステムは複数個の送信アンテナ及び１つの受信アンテナを含む。
【００１８】
多重接続復調方式には制限がない。上記多重接続変調方式はよく知らされているＴＤＭＡ、ＦＤＭＡ、ＣＤＭＡ、ＳＣ−ＦＤＭＡなどの単一搬送波変調方式またはＯＦＭＡなどの多重搬送波変調方式であってもよい。
【００１９】
受信機で効果的にチャネル推定をするために、送信アンテナで伝送する基準信号の割当には次のような要件が必要である。
【００２０】
第一に、基準信号は、受信機がチャネル推定に用いるため、受信機が送信アンテナで伝送される基準信号を区分できるように割り当てられなければならない。基準信号は各送信アンテナ別に時間及び／または周波数領域で重複しないように割り当てて、受信機が基準信号を区分するようにすることができる。または、時間及び／または周波数領域で基準信号が重複しても、コード領域で直交性（ｏｒｔｈｏｇｏｎａｌｉｔｙ）を与えることができる。このために、基準信号は自己相関や相互相関特性に優れた直交コードを用いることができる。例えば、直交コードとしては、ＣＡＺＡＣ（Ｃｏｎｓｔａｎｔ  Ａｍｐｌｉｔｕｄｅ  Ｚｅｒｏ  Ａｕｔｏ−Ｃｏｒｒｅｌａｔｉｏｎ）シークエンス、ウォルシュ（Ｗａｌｓｈ）コードなどを用いることができる。
【００２１】
第二に、基準信号の位置する領域では、チャネル変化が無視する程度に小さくなければならない。基準信号周辺のデータに対しては、基準信号の位置する領域におけるチャネルを用いてデコーディングするようになる。基準信号の割り当てられた領域において、チャネル変化が大きくなればチャネル推定の誤差が大きくなることができる。
【００２２】
本実施例において、基準信号は時間上にまたは副搬送波上に特定の間隔ほど移動することができる。即ち、各々の受信アンテナに対する各サブフレームに対して基準信号の間隔は維持され、且つ全体的に一定の時間間隔または／及び副搬送波間隔ほど移動（ｓｈｉｆｔｉｎｇ）させることができる。
【００２３】
上記基準信号は使用者または多重使用者信号に対する基準信号であってもよい。上記多重使用者信号はブロードキャスト（ｂｒｏａｄｃａｓｔ）信号及び／またはマルチキャスト（ｍｕｌｔｉｃａｓｔ）信号であってもよい。上記ブロードキャスト信号は特定地域（例えば、セル及び／またはセクタ）内に送られることができる。上記マルチキャスト信号は特定集団の使用者に送られることができる。ユニキャスト（ｕｎｉｃａｓｔ）信号は特定使用者に送られることができる。多重使用者信号の一例として、ＭＢＭＳ（Ｍｏｂｉｌｅ  Ｂｒｏａｄｃａｓｔ／Ｍｕｌｔｉｃａｓｔ  Ｓｅｒｖｉｃｅ）信号がある。上記ＭＢＭＳ信号は、伝送時、同じ信号が全てのセル（または基地局）に伝送される。
【００２４】
以下、４つの送信アンテナを含むＭＩＭＯシステムにおいて、基準信号割当を例を挙げて説明する。上記基準信号は、次の法則によって割り当てられることができる。第一に、サブフレームで第１及び第２のアンテナに対する基準信号の数は第３及び第４のアンテナに対する基準信号の数より多い。第二に、サブフレームで全体基準信号が占める比率は既設定された値である。第三に、各送信アンテナに対する基準信号は相互重複しない。
【００２５】
サブフレームは、時間領域で複数個のＯＦＤＭシンボルを含み、周波数領域で複数個の副搬送波を含む。上記サブフレームは各送信アンテナに定義された資源グリッド（ｇｒｉｄ）である。伝送時間間隔（ＴＴＩ：Ｔｒａｎｓｍｉｓｓｉｏｎ  Ｔｉｍｅ  Ｉｎｔｅｒｖａｌ）は、１つのサブフレームの伝送に必要な時間であると定義できる。フレームは複数個のサブフレームを含むことができる。例えば、１つのフレームは１０つのサブフレームを含むことができる。
【００２６】
上記サブフレームは、２つの領域、即ち、制御チャネル及びデータチャネルに分けられることができる。制御チャネルは制御データを有している領域である。データチャネルは使用者データを有している領域である。例えば、第１、第２及び第３のＯＦＤＭシンボルは制御チャネルに割り当てられ、残りのシンボルはデータチャネルに割り当てられることができる。たとえ、制御チャネルに対するＯＦＤＭシンボルの数が制御チャネルに対するＯＦＤＭシンボルの数より少ないとしても、制御チャネルの信頼性はデータチャネルの信頼性より高い。多重アンテナの一部は制御チャネルの送信のために割り当てられることができる。第１及び第２のアンテナは制御チャネルのために用いられることができる。このような場合、第３及び第４のアンテナは制御チャネルに用いられないため、上記第３及び第４のアンテナの基準信号は制御チャネルに対するＯＦＤＭシンボルに割り当てられなくてもよい。
【００２７】
図１は、多重アンテナを有する送信機を示すブロック図である。
【００２８】
図１を参照すると、送信機（１００）は、チャネルインコーダ（１２０）、マッパ（１３０）、ＭＩＭＯ処理器（１４０）、副搬送波アロケータ（１５０）及びＯＦＤＭ変調器（１６０）を含むことができる。チャネルインコーダ（１２０）は、入力されるストリームを、決められたコーディング方式によってインコーディングして符号化されたデータ（Ｃｏｄｅｄ  ｗｏｒｄ）を形成する。マッパ（１３０）は符号化されたデータを信号性状（Ｓｉｇｎａｌ  ｃｏｎｓｔｅｌｌａｔｉｏｎ）上の位置を表現するシンボルでマッピングする。変調方式（Ｍｏｄｕｌａｔｉｏｎ  ｓｃｈｅｍｅ）には制限がなく、ｍ−ＰＳＫ（ｍ−Ｐｈａｓｅ  Ｓｈｉｆｔ  Ｋｅｙｉｎｇ）またはｍ−ＱＡＭ（ｍ−Ｑｕａｄｒａｔｕｒｅ  Ａｍｐｌｉｔｕｄｅ  Ｍｏｄｕｌａｔｉｏｎ）であってもよい。例えば、ｍ−ＰＳＫはＢＰＳＫ、ＱＰＳＫまたは８−ＰＳＫであってもよい。ｍ−ＱＡＭは１６−ＱＡＭ、６４−ＱＡＭまたは２５６−ＱＡＭであってもよい。ＭＩＭＯ処理器（１４０）はマッピングされたシンボルを多重送信アンテナ（１９０−１、．．．  、１９０−Ｎｔ）によるＭＩＭＯ方式で処理する（ここで、Ｎｔ＞１）。例えば、ＭＩＭＯ処理器（１４０）はコードブック（ｃｏｄｅｂｏｏｋ）基盤のフリーコーディングを利用できる。
【００２９】
副搬送波アロケータ（１５０）は、入力シンボルと基準信号を副搬送波に割り当てる。上記基準信号は、各々の多重送信アンテナ（１９０−１、．．．  、１９０−Ｎｔ）に割り当てられる。このように割り当てられた上記基準信号をパイロット（ｐｉｌｏｔ）といい、これはチャネル推定またはデータ復調に用いられ、送信機（１００）及び図２の受信機（２００）を介して分かる。ＯＦＤＭ変調器（１６０）は入力シンボルをＯＦＤＭ変調してＯＦＤＭシンボルを出力する。ＯＦＤＭ変調器（１６０）は入力シンボルに対してＩＦＦＴ（Ｉｎｖｅｒｓｅ  ｆａｓｔ  Ｆｏｕｒｉｅｒ  ｔｒａｎｓｆｏｒｍ）を遂行することができ、ＩＦＦＴを遂行した後、ＣＰ（Ｃｙｃｌｉｃ  ｐｒｅｆｉｘ）をさらに挿入できる。ＯＦＤＭシンボルは各送信アンテナ（１９０−１、．．．  、１９０−Ｎｔ）を介し送信される。
【００３０】
図２は、多重アンテナを有する受信機を示すブロック図である。
【００３１】
図２を参照すると、受信機（２００）は、ＯＦＤＭ復調器（２１０）、チャネル推定器（２２０）、ＭＩＭＯ後処理器（２３０）、ジマッパ（２４０）及びチャネルデコーダ（２５０）を含むことができる。受信アンテナ（２９０−１、．．．  、２９０−Ｎｒ）から受信された信号はＯＦＤＭ復調器（２１０）によってＦＦＴ（ｆａｓｔ  Ｆｏｕｒｉｅｒ  ｔｒａｎｓｆｏｒｍ）が遂行される。チャネル推定器（２２０）は基準信号を用いてチャネルを推定する。ＭＩＭＯ後処理器（２３０）はＭＩＭＯ処理器（１４０）に対応する後処理を遂行する。ジマッパ（２４０）は入力シンボルを符号化されたデータでジマッピングする。チャネルデコーダ（２５０）は符号化されたデータをデコーディングして元来データを復元する。
【００３２】
以下、基準信号割当に対して説明する。
【００３３】
図３は、２つの送信アンテナを用いて基準信号を割り当てる一例を示す。一般的にＯＦＤＭ復調方式によると、各々の送信アンテナはサブフレーム単位でデータを伝送できる。例えば、図３に示したように、サブフレームは７つのＯＦＤＭシンボルを含み、１つのサブフレームは０．５ｍｓｅｃ伝送時間間隔（ＴＴＩ：Ｔｒａｎｓｍｉｓｓｉｏｎ  ｔｉｍｅ  ｉｎｔｅｒｖａｌ）を有することができる。然しながら、本発明はここに限定されることではなく、上記サブフレーム及びＴＴＩは多様な形態で具現されることができる。
【００３４】
図３を参照すると、基準信号は各々第１のアンテナのサブフレーム及び第２のアンテナのサブフレームに割り当てられる。‘Ｄ’で表示された部分はデータを載せた  データシンボルであり、‘Ｒ１’は第１のアンテナに割り当てられた第１の基準信号であり、‘Ｒ２’は第２のアンテナに割り当てられた第２の基準信号である。第１の基準信号（Ｒ１）と第２の基準信号（Ｒ２）は異なる基準信号であるが、同じ基準信号になってもよい。
【００３５】
サブフレームを構成する資源グリッド上の各要素は資源要素を表す。例えば、資源要素ｑ（ｋ、ｌ）はｋ番目のＯＦＤＭシンボル及びｌ番目の副搬送波に位置するのを表す。データシンボルＤ、第１の基準信号Ｒ１及び第２の基準信号Ｒ２は１つの資源要素に載せる。
【００３６】
第１のアンテナのサブフレームで、基準信号は、７つのＯＦＤＭシンボルにわたって割り当てられる。説明の便宜のために、以下、７つのＯＦＤＭシンボルは、ＴＴＩの開始から各々第１のＯＦＤＭシンボル、第２のＯＦＤＭシンボル、．．．  、第７のＯＦＤＭシンボルに該当することとする。
【００３７】
第１のＯＦＤＭシンボルでは６つの副搬送波ごとに第１の基準信号（Ｒ１）が割り当てられることができる。同様に、第５のＯＦＤＭシンボルでも６つの副搬送波ごとに第２の基準信号（Ｒ２）が割り当てられることができる。ただし、第５のＯＦＤＭシンボルで、第２の基準信号（Ｒ２）は、第１のＯＦＤＭシンボルに位置する第１の基準信号（Ｒ１）の位置を基準として３つの副搬送波ほど移動して（ｓｈｉｆｔｅｄ）位置する。サブフレームにおける繰り返される配列を見れば、第１のＯＦＤＭシンボルでは（Ｒ１、Ｄ、Ｄ、Ｄ、Ｄ、Ｄ）配列が繰り返され、第５のＯＦＤＭシンボルでは（Ｄ、Ｄ、Ｄ、Ｒ２、Ｄ、Ｄ）配列が繰り返される。
【００３８】
第２のアンテナでは第１のアンテナでと同じ基準信号位置を有する。第１のＯＦＤＭシンボルでは第１の基準信号（Ｒ１）が６つの副搬送波ごとに割り当てられ、第５のＯＦＤＭシンボルでは６つの副搬送波ごとに負の第２の基準信号（−Ｒ２）が割り当てられる。‘−Ｒ２’は第２の基準信号に対して符号を反対にした信号である。第５のＯＦＤＭシンボルにおける基準信号（−Ｒ２）は、第１のＯＦＤＭシンボルに位置する第１の基準信号（Ｒ１）から３つの副搬送波ほど移動させて割り当てられる。言い換えれば、第１のＯＦＤＭシンボルでは（Ｒ１、Ｄ、Ｄ、Ｄ、Ｄ、Ｄ）配列が繰り返され、第５のＯＦＤＭシンボルでは（Ｄ、Ｄ、Ｄ、−Ｒ２、Ｄ、Ｄ）配列が繰り返される。
【００３９】
第１及び第２のアンテナに対する基準信号の位置は同一であるため、受信機は各送信アンテナから伝送される基準信号を分離する必要がある。自己相関や相互相関特性に優れたＣＡＺＡＣシーケンスまたはウォルシュ（Ｗａｌｓｈ）コードなどの直交コードを用いて各送信アンテナから伝送される基準信号を認識できる。
【００４０】
図４は、４つの送信アンテナが用いられる時、基準信号割当を示す。基準信号は各々の送信アンテナに対する各サブフレームに割り当てられる。ここで、‘Ｎ’はナル（Ｎｕｌｌ）シンボル、‘Ｒ１’は第１の基準信号、‘Ｒ２’は第２の基準信号、‘Ｄ’はデータシンボルである。ナルシンボルはデータを載せないシンボルであると定義できる。ナルシンボルは、副搬送波に、データが割り当てられない時生成されたり、後にデータが割り当てられた副搬送波が穿孔（ｐｕｎｃｔｕｒｅｄ）される時生成されることができる。
【００４１】
第１のアンテナに対する基準信号は６つの副搬送波ごとに１つずつ割り当てられる。言い換えれば、基準信号は５つの副搬送波間に割り当てられる。このような５つの副搬送波は４つのデータシンボル及び１つのナル（Ｎｕｌｌ）シンボルを含むことができる。従って、第１のＯＦＤＭシンボルでは（Ｒ１、Ｄ、Ｄ、Ｎ、Ｄ、Ｄ）配列が繰り返される。ナルシンボルは、後述する第３及び第４のアンテナに対する基準信号が位置する資源要素に割り当てられる。第２、第３及び第４のＯＦＤＭシンボルでは基準信号が割り当てられず、データシンボルが割り当てられる。第５のＯＦＤＭシンボルでも６つの副搬送波ごとに１つの基準信号を割り当てることができる。第５のＯＦＤＭシンボルにおける基準信号は、第１のＯＦＤＭシンボルに対する基準信号を３つの副搬送波ほど移動させて位置する。第６及び第７のＯＦＤＭシンボルでは基準信号が割り当てられず、データシンボルが割り当てられる。
【００４２】
第２のアンテナにおける基準信号の割当は、第１のアンテナに対する基準信号割当と同じパターンを有する。第１及び第２のアンテナに対する基準信号は同じＯＦＤＭシンボル及び副搬送波に重複して割り当てられる。従って、第１のアンテナと第２のアンテナで各々基準信号を伝送する場合、受信機のアンテナでは２つの信号を同時に受信することができる。受信機では２つの信号を分離するために、自己相関や相互相関特性に優れた直交コードを用いることができる。受信機は、第１のアンテナで伝送された基準信号（Ｒ１、Ｒ２）と第２のアンテナで伝送された基準信号（Ｒ１、−Ｒ２）の直交性を用いて各アンテナから伝送された基準信号を分離できる。
【００４３】
第３のアンテナに対する基準信号割当は次の通りである。第１のＯＦＤＭシンボルでは６つの副搬送波ごとに基準信号Ｒ１が割り当てられる。同様に、第５のＯＦＤＭシンボルでも６つの副搬送波ごとに基準信号Ｒ２が割り当てられる。第５のＯＦＤＭシンボルにおける基準信号Ｒ２は、第１のＯＦＤＭシンボルの基準信号Ｒ１の位置から３つの副搬送波ごとに移動されて割り当てられる。従って、第１のＯＦＤＭシンボルでは（Ｎ、Ｄ、Ｄ、Ｒ１、Ｄ、Ｄ）配列が繰り返され、第５のＯＦＤＭシンボルでは（Ｒ２、Ｄ、Ｄ、Ｎ、Ｄ、Ｄ）配列が繰り返される。第４のアンテナに対する基準信号割当は第３のアンテナに対する基準信号割当と同じパターンを有する。第１及び第５のＯＦＤＭシンボルでは６つの副搬送波ごとに基準信号が割り当てられる。受信機は、第３及び第４のアンテナに対する基準信号が同じ副搬送波に重複して割り当てられても、自己相関及び相互相関特性に優れた直交性コードを用いて各アンテナから伝送された基準信号を分離できる。
【００４４】
上述した基準信号割当は一例であり、本発明はここに限定されることなく、時間上にまたは副搬送波上に一定の間隔ほど基準信号を移動させることができる。即ち、各々の受信アンテナに対する各サブフレームに対して基準信号は、基準信号の間隔は維持され、且つ全体的に一定の時間間隔または／及び副搬送波間隔ほど移動（ｓｈｉｆｔｉｎｇ）されることができる。基準信号を再割り当てることなく、基準信号を全体的に時間または副搬送波間隔に移動させることによって、多重セル（Ｃｅｌｌ）、多重セクタ（Ｓｅｃｔｏｒ）及び多重使用者などに対してチャネル推定をできる。
【００４５】
このように、サブフレームの倍数で時間が変化するに応じて、チャネル状況の変化を考慮して特定アンテナの基準信号の一部ないし全体を用いてもよく、又は用いなくてもよい。
【００４６】
上述した例は、基準信号が少なくても２つの受信アンテナが用いられる時相互重複する。重複した基準信号はコード領域で直交コードを介して直交性が維持される。
【００４７】
図５は、本発明の一実施例による基準信号の割当を示す。Ｒは基準信号を表し、資源要素の空欄はデータシンボルまたはナルシンボルを表す。
【００４８】
図５を参照すると、複数個の基準信号Ｒは、第３のＯＦＤＭシンボルで２つの副搬送波間隔に割り当てられる。また、複数個の基準信号Ｒは、第４のＯＦＤＭシンボルから３つのＯＦＤＭシンボルの大きさほど離れた第７のＯＦＤＭシンボルに２つの副搬送波間隔に割り当てられる。第３のＯＦＤＭシンボルと第７のＯＦＤＭシンボルに割り当てられる基準信号Ｒは相互交錯する（ｓｔａｇｇｅｒ）。また、複数個の基準信号Ｒは、第７のＯＦＤＭシンボルから４つのＯＦＤＭシンボルの大きさほど離れた第１１のＯＦＤＭシンボルに２つの副搬送波間隔に割り当てられる。
【００４９】
各々の基準信号Ｒは多重使用者信号に対する基準信号であることができる。ここで、多重使用者信号とは、ブロードキャスト（ｂｒｏａｄｃａｓｔ）信号及び／またはマルチキャスト（ｍｕｌｔｉｃａｓｔ）信号である。ブロードキャスト信号とは、特定領域（例えば、セル及び／またはセクタ）内の全ての使用者に送られるものをいい、マルチキャスト信号とは、使用者の特定グループに送られるものをいい、ユニキャスト信号とは、特定使用者に送られるものをいう。多重使用者信号の一例として、ＭＢＭＳ（Ｍｏｂｉｌｅ  Ｂｒｏａｄｃａｓｔ／Ｍｕｌｔｉｃａｓｔ  Ｓｅｒｖｉｃｅ）信号がある。ＭＢＭＳ信号伝送時、全てのセル（または基地局）に同じ信号が伝送される。従って、全ての基地局では同じ基準信号を用いる。
【００５０】
ＭＢＭＳ信号を用いる場合、基準信号Ｒは遅延拡散による周波数選択度を低くするために狭い間隔に位置できる。また、基準信号は時間選択度を最小化するために時間軸に比較的ぎっしり割り当てられることができる。
【００５１】
ＣＤＤ（Ｃｙｃｌｉｃ  Ｄｅｌａｙ  Ｄｉｖｅｒｓｉｔｙ）及びビーム−フォーミング（Ｂｅａｍ−ｆｏｒｍｉｎｇ）のようなＭＩＭＯ技術によると、ＵＥは基準信号を１つの送信アンテナを介して受信するため、ＢＳが各々の送信アンテナに対する基準信号を区分して伝送する必要はない。
【００５２】
図６は、本発明の他の実施例による基準信号の割当を示す。
【００５３】
図６を参照すると、基準信号Ｒは図５の実施例でより相対的に広く割り当てられる。これは周波数選択度が相対的に低い時、または副搬送波の帯域幅が相対的に少ない時、利得がある。上記副搬送波の帯域幅は図５における副搬送波の帯域幅の半分であってもよい。
【００５４】
図７は、多重使用者信号に対する基準信号割当の一実施例を示す。ここで‘Ｒ１’は第１のアンテナに対する基準信号、‘Ｒ２’は第２のアンテナに対する基準信号である。
【００５５】
図７を参照すると、基準信号Ｒ１は第３のＯＦＤＭシンボルで２つの副搬送波間隔に割り当てられる。即ち、基準信号Ｒ１は１つの副搬送波を間に置いて位置する。従って、第３のＯＦＤＭシンボルでは（Ｒ１、Ｎ）配列が繰り返される。ここで、Ｎはナルシンボルを意味する。
【００５６】
基準信号Ｒ１は第３のＯＦＤＭシンボルから４つのＯＦＤＭシンボルの大きさほど離れた第７のＯＦＤＭシンボルで２つの副搬送波間隔に割り当てられる。第３のＯＦＤＭシンボル及び第７のＯＦＤＭシンボルで上記基準信号Ｒ１は相互交錯する。
【００５７】
基準信号Ｒ２は、第１のアンテナに対する基準信号Ｒ１と同じＯＦＤＭシンボルでお互いに重複しないように割り当てられる。即ち、１つの基準信号Ｒ２は、周波数領域で基準信号Ｒ１と同一間隔に２つの基準信号Ｒ１の間に割り当てられる。
【００５８】
図８は、多重アンテナを用いる時、多重使用者信号に対する基準信号割当の他の例を示す。
【００５９】
図８を参照すると、第１のアンテナに対する基準信号Ｒ１は第３のＯＦＤＭシンボルで４つの副搬送波間隔に割り当てられる。即ち、基準信号Ｒ１は３つの副搬送波を間に置いて割り当てられる。従って、第３のＯＦＤＭシンボルでは（Ｒ１、Ｄ、Ｎ、Ｄ）配列が繰り返され、空いている資源要素はＤ及びＮを表す。第３のＯＦＤＭシンボルから４つのＯＦＤＭシンボルほど離れた第７のＯＦＤＭシンボルに４副搬送波間隔に多数の基準信号Ｒ１が割り当てられる。第３のＯＦＤＭシンボル及び第７のＯＦＤＭシンボルに割り当てられる基準信号Ｒ１は相互交錯する。
【００６０】
第２のアンテナに対する多重使用者基準信号Ｒ２は、基準信号Ｒ１と同じＯＦＤＭシンボルで基準信号Ｒ１と同一間隔にお互いに重複しないように割り当てられる。即ち、１つの基準信号Ｒ２は、周波数領域で基準信号Ｒ１と同一間隔に２つの基準信号Ｒ１の間に割り当てられる。
【００６１】
図９は、多重アンテナを用いる時、多重使用者信号に対する基準信号割当のもう１つの例を示す。
【００６２】
図９を参照すると、第１のアンテナに対する基準信号Ｒ１は第３のＯＦＤＭシンボルで２つの副搬送波間隔に割り当てられる。即ち、基準信号Ｒ１は１つの副搬送波の間に割り当てられる。従って、第３のＯＦＤＭシンボルでは（Ｒ１、Ｎ）配列が繰り返される。基準信号Ｒ１は第３のＯＦＤＭシンボルから４つのＯＦＤＭシンボルほど離れた第７のＯＦＤＭシンボルに２つの副搬送波間隔に割り当てられる。第３のＯＦＤＭシンボル及び第７のＯＦＤＭシンボルの基準信号Ｒ１は周波数領域でお互いに交錯する。
【００６３】
第２のアンテナに対する基準信号Ｒ２は、基準信号Ｒ１が割り当てられるＯＦＤＭシンボルと隣接するＯＦＤＭシンボル（例えば、第４のＯＦＤＭシンボル、第８のＯＦＤＭシンボル等）で基準信号Ｒ１と同じ周波数領域に割り当てられる。即ち、周波数信号Ｒ２は周波数信号Ｒ１と同一間隔に割り当てられる。
【００６４】
図１０は、多重アンテナを用いる時、多重使用者信号に対する基準信号割当のもう１つの例を示す。
【００６５】
図１０を参照すると、第１のアンテナに対する基準信号Ｒ１は第３のＯＦＤＭシンボルで４つの副搬送波間隔に割り当てられる。即ち、基準信号Ｒ１は３つの副搬送波の間に割り当てられる。従って、第３のＯＦＤＭシンボルでは（Ｒ１、Ｄ、Ｎ、Ｄ）配列が繰り返される。基準信号Ｒ１は第３のＯＦＤＭシンボルから４つのＯＦＤＭシンボルほど離れた第７のＯＦＤＭシンボルに４つの副搬送波間隔に割り当てられる。第３のＯＦＤＭシンボル及び第７のＯＦＤＭシンボルの基準信号Ｒ１はお互いに交錯する。
【００６６】
第２のアンテナに対する基準信号Ｒ２は、基準信号Ｒ１が割り当てられるＯＦＤＭシンボルと隣接するＯＦＤＭシンボル（第４のＯＦＤＭシンボル、第８のＯＦＤＭシンボル等）で基準信号Ｒ１と同じ周波数領域に割り当てられる。即ち、基準信号Ｒ２は周波数領域で基準信号Ｒ１と同一間隔に割り当てられる。
【００６７】
図１１は、多重アンテナを用いる時、多重使用者信号に対する基準信号割当のもう１つの例を示す。
【００６８】
図１１を参照すると、第１のアンテナに対する基準信号Ｒ１は第３のＯＦＤＭシンボルで２つの副搬送波間隔に割り当てられる。即ち、基準信号Ｒ１は１つの副搬送波の間に位置する。従って、第３のＯＦＤＭシンボルでは（Ｒ１、Ｎ）配列が繰り返される。基準信号Ｒ１は第３のＯＦＤＭシンボルから４つのＯＦＤＭシンボルほど離れた第７のＯＦＤＭシンボルに２つの副搬送波間隔に割り当てられる。第３のＯＦＤＭシンボル及び第７のＯＦＤＭシンボルの基準信号Ｒ１はお互いに交錯する。
【００６９】
第２のアンテナに対する基準信号Ｒ２は、基準信号Ｒ１と同じＯＦＤＭシンボルで同じ周波数領域位置を有して重複するように割り当てられる。基準信号Ｒ１とＲ２は直交コードを用いてコード領域で直交性を維持できる。
【００７０】
図１２は、多重アンテナを用いる時、多重使用者信号に対する基準信号割当のもう１つの例を示す。
【００７１】
図１２を参照すると、第１のアンテナに対する基準信号Ｒ１は第３のＯＦＤＭシンボルで４つの副搬送波間隔に割り当てられる。即ち、基準信号Ｒ１は３つの副搬送波の間に割り当てられる。従って、第３のＯＦＤＭシンボルでは（Ｒ１、Ｄ、Ｎ、Ｄ）配列が繰り返される。基準信号Ｒ１は第３のＯＦＤＭシンボルから４つのＯＦＤＭシンボルほど離れた第７のＯＦＤＭシンボルに４つの副搬送波間隔に割り当てられる。第３のＯＦＤＭシンボル及び第７のＯＦＤＭシンボルにおける基準信号Ｒ１はお互いに交錯する。
【００７２】
第２のアンテナに対する基準信号Ｒ２は基準信号Ｒ１と同じＯＦＤＭシンボルで同じ周波数領域位置を有して重複するように割り当てられる。基準信号Ｒ１とＲ２は直交コードを用いてコード領域で直交性を維持できる。
【００７３】
図１３は、多重アンテナを用いる時、多重使用者信号に対する基準信号を割当のもう１つの例を示す。
【００７４】
図１３を参照すると、第１のアンテナに対する基準信号Ｒ１は第３のＯＦＤＭシンボルで３つの副搬送波間隔に割り当てられる。第２のアンテナに対する基準信号Ｒ２は基準信号Ｒ１と隣接し、基準信号Ｒ１と同一間隔に割り当てられる。従って、第３のＯＦＤＭシンボルでは（Ｒ１、Ｒ２、Ｄ）配列が繰り返される。
【００７５】
基準信号Ｒ１及び基準信号Ｒ２は、上記第３のＯＦＤＭシンボルから始めて３つのＯＦＤＭシンボルずつ間隔をおくＯＦＤＭシンボルに割り当てられる。
【００７６】
図１４は、多重アンテナを用いる時、多重使用者信号に対する基準信号割当のもう１つの例を示す。図１４ないし図１９において、‘Ｒ’は多重使用者信号に対する基準信号、‘Ｔ’は専用使用者（ｄｅｄｉｃａｔｅｄ  ｕｓｅｒ）に対する基準信号である。以下、異種（ｈｅｔｅｒｏｇｅｎｅｏｕｓ）の基準信号を割り当てる例を表す。
【００７７】
図１４を参照すると、第１のＯＦＤＭシンボルには第１のアンテナに対する基準信号Ｔ１と第２のアンテナに対する基準信号Ｔ２が割り当てられる。また、基準信号Ｔ１及び基準信号Ｔ２は第４のＯＦＤＭシンボルにも割り当てられる。第１のアンテナに対する基準信号Ｒ１及び第２のアンテナに対する基準信号Ｒ２は第３のＯＦＤＭシンボルから始めて４つのＯＦＤＭシンボル間隔をおくＯＦＤＭシンボルに割り当てられる。
【００７８】
図１５は、多重アンテナを用いる時、多重使用者信号に対する基準信号割当のもう１つの例を示す。
【００７９】
図１５を参照すると、第１のアンテナに対する基準信号Ｒ１及び第２のアンテナに対する基準信号Ｒ２は、図１４の実施例における基準信号Ｒ１及び基準信号Ｒ２より広い間隔に割り当てられる。
【００８０】
図１６は、多重アンテナを用いる時、多重使用者信号に対する基準信号割当のもう１つの例を示す。
【００８１】
図１６を参照すると、図４の実施例と比較して第１のアンテナに対する基準信号Ｒ１及び第２のアンテナに対する基準信号Ｒ２は第３のＯＦＤＭシンボルで各々３つの副搬送波間隔に割り当てられる。第２のアンテナに対する基準信号Ｒ２は、第１のアンテナに対する基準信号Ｒ１と隣接し、上記基準信号Ｒ１と同一間隔に割り当てられる。
【００８２】
図１７は、多重アンテナを用いる時、多重使用者信号に対する基準信号割当のもう１つの例を示す。
【００８３】
図１７を参照すると、図１４の実施例と比較して第１のアンテナに対する基準信号Ｔ１及び第２のアンテナに対する基準信号Ｔ２は第１のＯＦＤＭシンボルにだけ割り当てられる。
【００８４】
図１８は、多重アンテナを用いる時、多重使用者信号に対する基準信号割当のもう１つの例を示す。
【００８５】
図１８を参照すると、第１のアンテナに対する基準信号Ｒ１及び第２のアンテナに対する基準信号Ｒ２は図１７の実施例における基準信号Ｒ１及び基準信号Ｒ２より広い間隔に割り当てられる。
【００８６】
図１９は、多重アンテナを用いる時、多重使用者信号に対する基準信号割当のもう１つの例を示す。
【００８７】
図１９を参照すると、図１６の実施例と比較して第１のアンテナに対する基準信号Ｔ１及び第２のアンテナに対する基準信号Ｔ２は第１のＯＦＤＭシンボルにだけ割り当てられる。
【００８８】
図１４ないし図１９において、多重使用者に対する基準信号は１つの送信アンテナを介して伝送されることができる。従って、ＵＥはＣＤＤまたはビーム−フォーミング等に含まれる１つの受信アンテナを介して基準信号を受信し、ＢＳは各々の送信アンテナに対する基準信号を分類した後伝送する必要はない。
【００８９】
以下では、４つの送信アンテナを有するＭＩＭＯシステムにおいて基準信号割当の多様な実施例に対して記述する。以下の基準信号割当には次のような概略的な原則がある。
【００９０】
（１）図３の実施例に示した第１のアンテナに対する基準信号Ｒ１は４つの送信アンテナを有するＭＩＭＯシステムにおいても同じ位置を有する。
【００９１】
（２）全体基準信号が占める比率が一定以下である。基準信号の比率が高まれば、受信機は複数個の基準信号を受信するため、チャネル推定を相対的に正確にできる。然しながら、基準信号の比率が高まるほどデータ伝送率は低くなる。以下では基準信号の比率が約１５％以下または約２０％以下であると仮定する。この場合、基準信号が效率的に割り当てらればチャネル推定に対する性能劣化を最小限に減らすことができる。
【００９２】
（３）各送信アンテナに対する基準信号はお互いに重複しない。即ち、各送信アンテナに対する基準信号は時間領域及び周波数領域でお互いに重複しない。
【００９３】
図２０は、本発明の一実施例による基準信号の割当を示す。Ｔ１は第１のアンテナに対する基準信号、Ｔ２は第２のアンテナに対する基準信号、Ｔ３は第３のアンテナに対する基準信号及びＴ４は第４のアンテナに対する基準信号を表す。
【００９４】
図２０を参照すると、１つのサブフレームは１４つのＯＦＤＭシンボルからなる。これは例示に過ぎず、１つのサブフレームを構成するＯＦＤＭシンボルの数は変えられることができる。図面では便宜上１つのサブフレームを表しているが、各々のアンテナに対する基準信号は、該当するアンテナに対するサブフレーム別に各々割り当てられる。即ち、基準信号Ｔ１は第１のアンテナに対するサブフレームに割り当てられ、基準信号Ｔ２は第２のアンテナに対するサブフレームに割り当てられ、基準信号Ｔ３は第３のアンテナに対するサブフレームに割り当てられ、基準信号Ｔ４は第４のアンテナに対するサブフレームに割り当てられる。説明を明確にするために、以下では１４つのＯＦＤＭシンボルを時間軸でＴＴＩの開始順序から各々第１のＯＦＤＭシンボル、第２のＯＦＤＭシンボル、．．．  、第１４のＯＦＤＭシンボルという。
【００９５】
基準信号Ｔ１は第１及び第８のＯＦＤＭシンボルでは６つの副搬送波間隔に割り当てられる。また、基準信号Ｔ１は第５及び第１２のＯＦＤＭシンボルでも６つの副搬送波ごとに割り当てられる。第５及び第１２のＯＦＤＭシンボルにおける基準信号Ｔ１は、第１及び第８のＯＦＤＭシンボルにおける基準信号位置から３つの副搬送波ほど各々移動して割り当てられる。
【００９６】
基準信号Ｔ２は第１、第５、第８及び第１２のＯＦＤＭシンボルでは６つの副搬送波間隔に割り当てられる。第１及び第５のＯＦＤＭシンボルにおける基準信号Ｔ２は、基準信号Ｔ１の位置から３つの副搬送波ほど移動して割り当てられる。第５及び第１２のＯＦＤＭシンボルにおける基準信号Ｔ２は基準信号Ｔ１の位置と同一に各々位置する。
【００９７】
基準信号Ｔ３は第１、第５、第８及び第１２のＯＦＤＭシンボルで１２つの副搬送波間隔に割り当てられる。第１のＯＦＤＭシンボルにおける基準信号Ｔ３は基準信号Ｔ１の位置から１つの副搬送波ほど移動して割り当てられる。第５、第８及び第１２のＯＦＤＭシンボルにおける基準信号Ｔ３は１２つの副搬送波間隔に他のアンテナの基準信号位置から１つの副搬送波ほど移動して割り当てられる。
【００９８】
基準信号Ｔ４は第１、第５、第８及び第１２のＯＦＤＭシンボルで１２つの副搬送波間隔に割り当てられる。基準信号Ｔ４は基準信号Ｔ３の位置から１つの副搬送波ほど移動して割り当てられる。
【００９９】
基準信号Ｔ１及び基準信号Ｔ２は基準信号Ｔ３及び基準信号Ｔ４より密集されるように割り当てられるため、他のアンテナよりさらに頻繁に用いられる第１及び第２のアンテナはよりいいチャネル推定性能を有することができる。
【０１００】
また、一般的に制御信号は第３のＯＦＤＭシンボル以前のＯＦＤＭシンボルに載せる。上述した基準信号Ｔ１ないしＴ４を配列に現れれば、第１のＯＦＤＭシンボルでは（Ｔ１、Ｔ３、Ｔ４、Ｔ２、Ｄ、Ｄ、Ｔ１、Ｄ、Ｄ、Ｔ２、Ｄ、Ｄ）配列が繰り返され、第５のＯＦＤＭシンボルでは（Ｔ２、Ｄ、Ｄ、Ｔ１、Ｄ、Ｄ、Ｔ２、Ｔ３、Ｔ４、Ｔ１、Ｄ、Ｄ）配列が繰り返される。第８のＯＦＤＭシンボルでは（Ｔ１、Ｄ、Ｄ、Ｔ２、Ｔ３、Ｔ４、Ｔ１、Ｄ、Ｄ、Ｔ２、Ｄ、Ｄ）配列が繰り返され、第１２のＯＦＤＭシンボルでは（Ｔ２、Ｄ、Ｄ、Ｔ１、Ｄ、Ｄ、Ｔ２、Ｄ、Ｄ、Ｔ１、Ｔ３、Ｔ４、Ｔ２）配列が繰り返される。基準信号が割り当てられない位置にはデータシンボルＤが割り当てられることができる。この場合、データシンボルが占める比率は約８６％程度である。
【０１０１】
サブフレームでデータシンボルが占める比率はシステムの特性に応じて変えられることができる。以下、ＴＴＩ当りの１４つのＯＦＤＭシンボルに対して例示的に図示するが、本発明はこれに限定されることなく、１つのＴＴＩは１２つまたはその以上のＯＦＤＭシンボルを含むことができる。
【０１０２】
図示された基準信号割当パターンは相対的である位置に過ぎず、その絶対的な位置を表すのではない。描写された基準信号パターンは、各々の基準信号の間隔を維持しながら時間領域及び／または周波数領域に移動（ｓｈｉｆｔ）できる。
【０１０３】
サブフレームで他のアンテナの基準信号が位置する資源要素にはナルシンボルが割り当てられることができる。例えば、第１のアンテナに対するサブフレームで第２ないし第４のアンテナに対する基準信号の位置する資源要素にはナルシンボルが割り当てられることができる。
【０１０４】
各アンテナに対する基準信号のうち少なくともいずれか１つは多重使用者信号のための基準信号であってもよい。多重使用者信号のための基準信号は、サブフレームで専用（ｄｅｄｉｃａｔｅｄ）制御信号の含まれるＯＦＤＭシンボルを除外した残りのＯＦＤＭシンボルに割り当てられることができる。例えば、第１のＯＦＤＭシンボルと第２のＯＦＤＭシンボルに専用制御信号が含まれるならば、多重使用者信号のための基準信号は第３のＯＦＤＭシンボルから割り当てられることができる。
【０１０５】
図２１は、本発明の一実施例による基準信号の割当を示す。
【０１０６】
図２１を参照すると、第１のＯＦＤＭシンボルでは基準信号Ｔ１及びＴ２が１つのデータシンボルと共に順に位置する。空いている資源要素は、データシンボルであってもよく、ナルシンボルであってもよい。基準信号Ｔ２及びＴ４はデータシンボルＤの次に順に位置する。従って、（Ｔ１、Ｔ３、Ｄ、Ｔ２、Ｔ４、Ｄ）配列が繰り返されるできる。
【０１０７】
第５のＯＦＤＭシンボルでは、基準信号Ｔ２が位置し、２つのデータシンボルが位置した後、基準信号Ｔ１が位置する。再び、２つのデータシンボルが位置した後、基準信号Ｔ２が位置する。従って、（Ｔ２、Ｄ、Ｄ、Ｔ１、Ｄ、Ｄ）配列が繰り返されるできる。
【０１０８】
第８のＯＦＤＭシンボルでは第１のＯＦＤＭシンボルと類似の基準信号の割当を有し、従って、（Ｔ１、Ｔ４、Ｄ、Ｔ２、Ｔ３、Ｄ）配列が繰り返されるできる。第１２のＯＦＤＭシンボルは第５のＯＦＤＭシンボルと同じ基準信号の割当パターンを有することができる。
【０１０９】
データシンボルＤの占める比率は約８６％である。従って、基準信号の比率は約１４％程度である。従って、基準信号が各送信アンテナ別に重複しないように割り当てられるため、受信機は各々のチャネルを推定できる。
【０１１０】
図２２は、本発明の一実施例による基準信号の割当を示す。
【０１１１】
図２２を参照すると、第１のＯＦＤＭシンボルでは第１、第３、第４及び第２の基準信号Ｔ１、Ｔ３、Ｔ４、Ｔ２の順に各々の基準信号が割り当てられる。空いている資源要素は、データシンボルであってもよく、ナルシンボルであってもよい。また、２つのデータシンボルが再び割り当てられた後、他の基準信号Ｔ１が割り当てられる。再び、２つのデータシンボルが割り当てられた後、他の基準信号Ｔ２が割り当てられる。再び、２つのデータシンボルが割り当てられた後、第１、第３、第４及び第２の基準信号Ｔ１、Ｔ３、Ｔ４、Ｔ２の順に各々の基準信号が割り当てられる。従って、（Ｔ１、Ｔ３、Ｔ４、Ｔ２、Ｄ、Ｄ、Ｔ１、Ｄ、Ｄ、Ｔ２、Ｄ、Ｄ）配列が第１のＯＦＤＭシンボルで繰り返されるできる。
【０１１２】
第５のＯＦＤＭシンボルでは基準信号Ｔ２が割り当てられ、２つのデータシンボルが位置した後、基準信号Ｔ１が割り当てられる。再び、２つのデータシンボルが位置した後、基準信号は、第２、第３、第４及び第１の基準信号Ｔ２、Ｔ３、Ｔ４、Ｔ１の順に各々割り当てられる。また、２つのデータシンボルが位置した後、上記の割当が繰り返されるできる。従って、（Ｔ２、Ｄ、Ｄ、Ｔ１、Ｄ、Ｄ、Ｔ２、Ｔ３、Ｔ４、Ｔ１、Ｄ、Ｄ）配列が第５のＯＦＤＭシンボルで繰り返されるできる。
【０１１３】
第８のＯＦＤＭシンボルは第１のＯＦＤＭシンボルと同じ基準信号割当を有して、第１２のＯＦＤＭシンボルは第５のＯＦＤＭシンボルと同じ基準信号割当を有する。
【０１１４】
全体領域でデータシンボルの占める比率が約８５％程度であり、従って、基準信号の占める比率が約１５％となる。従って、受信機は各送信アンテナで送信される基準信号を用いてチャネルを推定できる。
【０１１５】
図２３は、本発明の一実施例による基準信号の割当を示す。
【０１１６】
第１のＯＦＤＭシンボルでは（Ｄ、Ｔ１、Ｔ３、Ｔ４、Ｔ２、Ｄ）配列が繰り返され、第８のＯＦＤＭシンボルでは（Ｔ４、Ｔ１、Ｄ、Ｄ、Ｔ２、Ｔ３）配列が繰り返される。第５のＯＦＤＭシンボルと第１２のＯＦＤＭシンボルでは（Ｄ、Ｔ２、Ｄ、Ｄ、Ｔ１、Ｄ）配列が繰り返される。
【０１１７】
図２４は、本発明の一実施例による基準信号の割当を示す。
【０１１８】
第１のＯＦＤＭシンボルと第８のＯＦＤＭシンボルでは（Ｄ、Ｔ１、Ｄ、Ｄ、Ｔ２、Ｄ）配列が繰り返される。第５のＯＦＤＭシンボルでは（Ｄ、Ｔ２、Ｔ３、Ｔ４、Ｔ１、Ｄ）配列が繰り返され、第１２のＯＦＤＭシンボルでは（Ｔ４、Ｔ２、Ｄ、Ｄ、Ｔ１、Ｔ３）配列が繰り返される。
【０１１９】
図２５は、本発明の一実施例による基準信号の割当を示す。
【０１２０】
第１のＯＦＤＭシンボルと第８のＯＦＤＭシンボルでは（Ｄ、Ｔ１、Ｔ３、Ｔ４、Ｔ２、Ｄ）配列が繰り返され、第５のＯＦＤＭシンボルと第１２のＯＦＤＭシンボルでは（Ｔ４、Ｔ２、Ｄ、Ｄ、Ｔ１、Ｔ３）配列が繰り返される。
【０１２１】
図２６は、本発明の一実施例による基準信号の割当を示す。
【０１２２】
第１のＯＦＤＭシンボルと第８のＯＦＤＭシンボルでは（Ｔ１、Ｔ３、Ｄ、Ｔ２、Ｔ４、Ｄ）配列が繰り返され、第５のＯＦＤＭシンボルと第１２のＯＦＤＭシンボルでは（Ｔ２、Ｔ４、Ｄ、Ｔ１、Ｔ３、Ｄ）配列が繰り返される。
【０１２３】
図２７は、本発明の一実施例による基準信号の割当を示す。
【０１２４】
第１のＯＦＤＭシンボルと第８のＯＦＤＭシンボルでは（Ｔ１、Ｄ、Ｄ、Ｔ２、Ｄ、Ｄ）配列が繰り返され、第２のＯＦＤＭシンボルシンボルと第９のＯＦＤＭシンボルでは（Ｔ３、Ｄ、Ｄ、Ｔ４、Ｄ、Ｄ）配列が繰り返される。第５のＯＦＤＭシンボルと第１２のＯＦＤＭシンボルでは（Ｔ２、Ｄ、Ｄ、Ｔ１、Ｄ、Ｄ）配列が繰り返され、第６のＯＦＤＭシンボルシンボルと第１３のＯＦＤＭシンボルでは（Ｔ４、Ｄ、Ｄ、Ｔ３、Ｄ、Ｄ）配列が繰り返される。
【０１２５】
図２８は、本発明の一実施例による基準信号の割当を示す。
【０１２６】
第１のＯＦＤＭシンボルと第８のＯＦＤＭシンボルでは（Ｔ１、Ｄ、Ｔ３、Ｔ２、Ｄ、Ｔ４）配列が繰り返され、第５のＯＦＤＭシンボルと第１２のＯＦＤＭシンボルでは（Ｔ２、Ｄ、Ｔ４、Ｔ１、Ｄ、Ｔ３）配列が繰り返される。
【０１２７】
図２９は、本発明の一実施例による基準信号の割当を示す。
【０１２８】
第１のＯＦＤＭシンボルと第８のＯＦＤＭシンボルでは（Ｔ１、Ｄ、Ｄ、Ｔ２、Ｄ、Ｄ）配列が繰り返され、第５のＯＦＤＭシンボルと第１２のＯＦＤＭシンボルでは（Ｔ３、Ｄ、Ｄ、Ｔ４、Ｄ、Ｄ）配列が繰り返される。
【０１２９】
図３０は、本発明の一実施例による基準信号の割当を示す。
【０１３０】
第１のＯＦＤＭシンボルと第８のＯＦＤＭシンボルでは（Ｔ１、Ｄ、Ｄ、Ｔ２、Ｄ、Ｄ、Ｔ３、Ｄ、Ｄ、Ｔ４、Ｄ、Ｄ）配列が繰り返され、第５のＯＦＤＭシンボルと第１２のＯＦＤＭシンボルでは（Ｔ３、Ｄ、Ｄ、Ｔ４、Ｄ、Ｄ、Ｔ１、Ｄ、Ｄ、Ｔ２、Ｄ、Ｄ）配列が繰り返される。
【０１３１】
図３１は、本発明の一実施例による基準信号の割当を示す。
【０１３２】
第１のＯＦＤＭシンボルと第８のＯＦＤＭシンボルでは（Ｔ１、Ｔ３、Ｄ、Ｔ２、Ｄ、Ｄ、Ｔ１、Ｔ４、Ｄ、Ｔ２、Ｄ、Ｄ）配列が繰り返され、第５のＯＦＤＭシンボルと第１２のＯＦＤＭシンボルでは（Ｔ２、Ｔ４、Ｄ、Ｔ１、Ｄ、Ｄ、Ｔ２、Ｔ３、Ｄ、Ｔ１、Ｄ、Ｄ）配列が繰り返される。
【０１３３】
図３２は、本発明の一実施例による基準信号の割当を示す。
【０１３４】
第１のＯＦＤＭシンボルと第８のＯＦＤＭシンボルでは（Ｔ１、Ｄ、Ｄ、Ｔ２、Ｄ、Ｄ）配列が繰り返され、第２のＯＦＤＭシンボルと第９のＯＦＤＭシンボルでは（Ｔ３、Ｄ、Ｄ、Ｄ、Ｄ、Ｄ、Ｔ４、Ｄ、Ｄ、Ｄ、Ｄ、Ｄ）配列が繰り返される。
【０１３５】
第５のＯＦＤＭシンボルと第１２のＯＦＤＭシンボルでは（Ｔ２、Ｄ、Ｄ、Ｔ１、Ｄ、Ｄ）配列が繰り返され、第６のＯＦＤＭシンボルと第１３のＯＦＤＭシンボルでは（Ｔ４、Ｄ、Ｄ、Ｄ、Ｄ、Ｄ、Ｔ３、Ｄ、Ｄ、Ｄ、Ｄ、Ｄ）配列が繰り返される。
【０１３６】
図３３は、本発明の一実施例による基準信号の割当を示す。
【０１３７】
第１のＯＦＤＭシンボルでは（Ｔ１、Ｄ、Ｄ、Ｔ２、Ｄ、Ｄ）配列が繰り返され、第８のＯＦＤＭシンボルでは（Ｔ２、Ｄ、Ｄ、Ｔ１、Ｄ、Ｄ）配列が繰り返される。第５のＯＦＤＭシンボルは（Ｔ３、Ｄ、Ｄ、Ｔ４、Ｄ、Ｄ）配列が繰り返され、第１２のＯＦＤＭシンボルでは（Ｔ４、Ｄ、Ｄ、Ｔ３、Ｄ、Ｄ）配列が繰り返される。
【０１３８】
図３４は、本発明の一実施例による基準信号の割当を示す。
【０１３９】
第１のＯＦＤＭシンボルと第８のＯＦＤＭシンボルでは（Ｔ１、Ｄ、Ｄ、Ｔ３、Ｄ、Ｄ、Ｔ２、Ｄ、Ｄ、Ｔ４、Ｄ、Ｄ）配列が繰り返され、第５のＯＦＤＭシンボルと第１２のＯＦＤＭシンボルでは（Ｔ２、Ｄ、Ｄ、Ｔ４、Ｄ、Ｄ、Ｔ１、Ｄ、Ｄ、Ｔ３、Ｄ、Ｄ）配列が繰り返される。
【０１４０】
図３５は、本発明の一実施例による基準信号の割当を示す。
【０１４１】
第１のＯＦＤＭシンボルと第８のＯＦＤＭシンボルでは（Ｔ１、Ｄ、Ｔ３、Ｔ２、Ｄ、Ｄ、Ｔ１、Ｄ、Ｔ４、Ｔ２、Ｄ、Ｄ）配列が繰り返され、第５のＯＦＤＭシンボルと第１２のＯＦＤＭシンボルでは（Ｔ２、Ｄ、Ｔ４、Ｔ１、Ｄ、Ｄ、Ｔ２、Ｄ、Ｔ３、Ｔ１、Ｄ、Ｄ）配列が繰り返される。
【０１４２】
図３６は、本発明の一実施例による基準信号の割当を示す。
【０１４３】
第１のＯＦＤＭシンボルと第８のＯＦＤＭシンボルでは（Ｔ１／Ｔ３、Ｄ、Ｄ、Ｔ２／Ｔ４、Ｄ、Ｄ）配列が繰り返され、第５のＯＦＤＭシンボルと第１２のＯＦＤＭシンボルでは（Ｔ２／Ｔ４、Ｄ、Ｄ、Ｔ１／Ｔ３、Ｄ、Ｄ）配列が繰り返される。ここで、Ｔ１／Ｔ３は、第１のアンテナに対する基準信号と第３のアンテナに対する基準信号が同じ時間及び副搬送波に割り当てられる。基準信号Ｔ１とＴ３は自己相関と相互相関特性のある直交コードを介して直交性が維持される。Ｔ２／Ｔ４に対しても同一に適用されることができる。
【０１４４】
図３７は、本発明の一実施例による基準信号の割当を示す。
【０１４５】
第１のＯＦＤＭシンボルと第８のＯＦＤＭシンボルでは（Ｔ１、Ｔ３／Ｔ４、Ｄ、Ｔ２、Ｄ、Ｄ）配列が繰り返され、第５のＯＦＤＭシンボルと第１２のＯＦＤＭシンボルでは（Ｔ２、Ｄ、Ｄ、Ｔ１、Ｔ３／Ｔ４、Ｄ）配列が繰り返される。基準信号Ｔ３及びＴ４は同じ時間及び副搬送波に割り当てられ、自己相関と相互相関特性のある直交コードを介し直交性が維持される。
【０１４６】
図３８は、本発明の一実施例による基準信号の割当を示す。
【０１４７】
第１のＯＦＤＭシンボルと第８のＯＦＤＭシンボルでは（Ｔ１、Ｄ、Ｄ、Ｔ２、Ｄ、Ｄ）配列が繰り返され、第２のＯＦＤＭシンボルと第９のＯＦＤＭシンボルでは（Ｔ３／Ｔ４、Ｄ、Ｄ、Ｄ、Ｄ、Ｄ）配列が繰り返される。第５のＯＦＤＭシンボルと第１２のＯＦＤＭシンボルでは（Ｔ２、Ｄ、Ｄ、Ｔ１、Ｄ、Ｄ）配列が繰り返され、第６のＯＦＤＭシンボルと第１３のＯＦＤＭシンボルでは（Ｄ、Ｄ、Ｄ、Ｔ３／Ｔ４、Ｄ、Ｄ）配列が繰り返される。
【０１４８】
図３９は、本発明の一実施例による基準信号の割当を示す。
【０１４９】
第１のＯＦＤＭシンボルと第８のＯＦＤＭシンボルでは（Ｄ、Ｔ１、Ｄ、Ｔ３／Ｔ４、Ｔ２、Ｄ）配列が繰り返され、第５のＯＦＤＭシンボルと第１２のＯＦＤＭシンボルでは（Ｔ３／Ｔ４、Ｔ２、Ｄ、Ｄ、Ｔ１、Ｄ）配列が繰り返される。
【０１５０】
図４０は、本発明の一実施例による基準信号の割当を示す。
【０１５１】
第１のＯＦＤＭシンボルでは（Ｔ１、Ｔ３、Ｄ、Ｔ２、Ｔ４、Ｄ）配列が繰り返され、第８のＯＦＤＭシンボルでは（Ｔ１、Ｔ４、Ｄ、Ｔ２、Ｔ３、Ｄ）配列が繰り返される。第５のＯＦＤＭシンボルと第１２のＯＦＤＭシンボルでは（Ｔ２、Ｄ、Ｄ、Ｔ１、Ｄ、Ｄ）配列が繰り返される。
【０１５２】
図４１は、本発明の一実施例による基準信号の割当を示す。
【０１５３】
第１のＯＦＤＭシンボルでは（Ｔ４、Ｔ１、Ｄ、Ｔ３、Ｔ２、Ｄ）配列が繰り返され、第８のＯＦＤＭシンボルでは（Ｔ３、Ｔ１、Ｄ、Ｔ４、Ｔ２、Ｄ）配列が繰り返される。第５のＯＦＤＭシンボルと第１２のＯＦＤＭシンボルでは（Ｄ、Ｔ２、Ｄ、Ｄ、Ｔ１、Ｄ）配列が繰り返される。
【０１５４】
図４２は、本発明の一実施例による基準信号の割当を示す。
【０１５５】
第１のＯＦＤＭシンボルと第８のＯＦＤＭシンボルでは（Ｔ１、Ｔ３、Ｄ、Ｔ２、Ｄ、Ｄ）配列が繰り返され、第５のＯＦＤＭシンボルと第１２のＯＦＤＭシンボルでは（Ｔ２、Ｔ４、Ｄ、Ｔ１、Ｄ、Ｄ）配列が繰り返される。
【０１５６】
図４３は、本発明の一実施例による基準信号の割当を示す。
【０１５７】
第１のＯＦＤＭシンボルと第８のＯＦＤＭシンボルでは（Ｔ１、Ｔ３、Ｔ４、Ｔ２、Ｄ、Ｄ）配列が繰り返され、第５のＯＦＤＭシンボルと第１２のＯＦＤＭシンボルでは（Ｔ２、Ｄ、Ｄ、Ｔ１、Ｄ、Ｄ）配列が繰り返される。
【０１５８】
図４４は、本発明の一実施例による基準信号の割当を示す。
【０１５９】
第１のＯＦＤＭシンボルと第８のＯＦＤＭシンボルでは（Ｔ１、Ｄ、Ｄ、Ｔ２、Ｄ、Ｄ）配列が繰り返される。第５のＯＦＤＭシンボルでは（Ｔ２、Ｔ３、Ｄ、Ｔ１、Ｔ４、Ｄ）配列が繰り返され、第１２のＯＦＤＭシンボルでは（Ｔ２、Ｔ４、Ｄ、Ｔ１、Ｔ３、Ｄ）配列が繰り返される。
【０１６０】
図４５は、本発明の一実施例による基準信号の割当を示す。
【０１６１】
第１のＯＦＤＭシンボルと第８のＯＦＤＭシンボルでは（Ｄ、Ｔ１、Ｄ、Ｄ、Ｔ２、Ｄ）配列が繰り返される。第５のＯＦＤＭシンボルでは（Ｔ４、Ｔ２、Ｄ、Ｔ３、Ｔ１、Ｄ）配列が繰り返され、第１２のＯＦＤＭシンボルでは（Ｔ３、Ｔ２、Ｄ、Ｔ４、Ｔ１、Ｄ）配列が繰り返される。
【０１６２】
図４６は、本発明の一実施例による基準信号の割当を示す。
【０１６３】
第１のＯＦＤＭシンボルと第８のＯＦＤＭシンボルでは（Ｔ１、Ｄ、Ｔ３、Ｔ２、Ｄ、Ｄ）配列が繰り返され、第５のＯＦＤＭシンボルと第１２のＯＦＤＭシンボルでは（Ｔ２、Ｄ、Ｔ４、Ｔ１、Ｄ、Ｄ）配列が繰り返される。
【０１６４】
図４７は、本発明の一実施例による基準信号の割当を示す。
【０１６５】
第１のＯＦＤＭシンボルと第８のＯＦＤＭシンボルでは（Ｔ１、Ｄ、Ｄ、Ｔ２、Ｄ、Ｄ）配列が繰り返され、第５のＯＦＤＭシンボルと第１２のＯＦＤＭシンボルでは（Ｔ２、Ｔ３、Ｔ４、Ｔ１、Ｄ、Ｄ）配列が繰り返される。
【０１６６】
図４８は、本発明の一実施例による基準信号の割当を示す。
【０１６７】
第１のＯＦＤＭシンボルと第８のＯＦＤＭシンボルでは（Ｔ１、Ｔ３、Ｄ、Ｔ２、Ｔ４、Ｄ）配列が繰り返され、第５のＯＦＤＭシンボルと第１２のＯＦＤＭシンボルでは（Ｔ２、Ｄ、Ｄ、Ｔ１、Ｄ、Ｄ）配列が繰り返される。
【０１６８】
図４９は、本発明の一実施例による基準信号の割当を示す。
【０１６９】
第１のＯＦＤＭシンボルと第８のＯＦＤＭシンボルでは（Ｔ１、Ｄ、Ｄ、Ｔ２、Ｄ、Ｄ）配列が繰り返され、第５のＯＦＤＭシンボルと第１２のＯＦＤＭシンボルでは（Ｔ２、Ｔ３、Ｄ、Ｔ１、Ｔ４、Ｄ）配列が繰り返される。
【０１７０】
図５０は、本発明の一実施例による基準信号の割当を示す。
【０１７１】
第１のＯＦＤＭシンボルと第８のＯＦＤＭシンボルでは（Ｔ１、Ｄ、Ｄ、Ｔ２、Ｄ、Ｄ）配列が繰り返され、第２のＯＦＤＭシンボルと第９のＯＦＤＭシンボルでは（Ｔ３、Ｄ、Ｄ、Ｔ４、Ｄ、Ｄ）配列が繰り返される。第５のＯＦＤＭシンボルと第１２のＯＦＤＭシンボルでは（Ｔ２、Ｄ、Ｄ、Ｔ１、Ｄ、Ｄ）配列が繰り返される。
【０１７２】
図５１は、本発明の一実施例による基準信号の割当を示す。
【０１７３】
第１のＯＦＤＭシンボルと第８のＯＦＤＭシンボルでは（Ｔ１、Ｄ、Ｄ、Ｔ２、Ｄ、Ｄ）配列が繰り返され、第５のＯＦＤＭシンボルと第１２のＯＦＤＭシンボルでは（Ｔ２、Ｄ、Ｄ、Ｔ１、Ｄ、Ｄ）配列が繰り返される。第２のＯＦＤＭシンボルでは（Ｔ３、Ｄ、Ｄ、Ｔ４、Ｄ、Ｄ）配列が繰り返され、第９のＯＦＤＭシンボルでは（Ｔ４、Ｄ、Ｄ、Ｔ３、Ｄ、Ｄ）配列が繰り返される。
【０１７４】
第１のＯＦＤＭシンボル、第５のＯＦＤＭシンボル及び第１２のＯＦＤＭシンボルの基準信号Ｔ１及びＴ２は、各アンテナ別に周波数領域でお互いに交錯する。また、第２のＯＦＤＭシンボル及び第９のＯＦＤＭシンボルの基準信号Ｔ３及びＴ４は、各アンテナ別に周波数領域でお互いに交錯するように割り当てる。これに伴い、周波数領域における選択性が確保される。
【０１７５】
第１のＯＦＤＭシンボルには基準信号Ｔ１及びＴ２が割り当てられ、第１のＯＦＤＭシンボルに隣接する第２のＯＦＤＭシンボルには基準信号Ｔ３及びＴ４が割り当てられる。２つの隣接するＯＦＤＭシンボルにわたって多重アンテナに対する基準信号を割り当てる場合、ランクが低いほど効率的である。例えば、如何なるＭＩＭＯ技術ではランクが１である場合、４つのアンテナが同じデータを伝送するようになり、隣接する２つのＯＦＤＭシンボルに割り当てられる基準信号を介しチャネル推定効率を上げることができる。
【０１７６】
また、少なくとも２つのアンテナに対する基準信号は隣接する２つのＯＦＤＭシンボルで同じ周波数領域の位置にわたって伝送される。従って、周波数領域と時間領域で、基準信号が集中し、基準信号が過度に交錯する（ｓｔａｇｇｅｒ）場合に比べてチャネル推定エラーを減らすことができる。
【０１７７】
１つのＯＦＤＭシンボルには全体アンテナに対する基準信号のうち一部分だけ割り当てられる。例えば、４つのアンテナに対する基準信号のうち２つのアンテナに対する基準信号だけ割り当てられる。これに伴い、基準信号に割り当てられるパワーを各アンテナ別にさらに引き上げる（ｂｏｏｓｔ）ことができる。基準信号のパワーが高まるに伴って受信機におけるチャネル推定性能を高めることができる。
【０１７８】
一部受信機の場合、最初いくつのＯＦＤＭシンボル（例えば、３つのＯＦＤＭシンボル）をデコーディングし、自分に含まれたデータでない場合、以後に伝送されるＯＦＤＭシンボルをバッファーリングしない。これをマイクロスリップモード（ｍｉｃｒｏ  ｓｌｅｅｐ  ｍｏｄｅ）ともいう。この場合、最初ＯＦＤＭシンボルに全体アンテナに対する基準信号が含まれることが必要である。第１及び第２のＯＦＤＭシンボルに全体アンテナに対する基準信号を割り当ててマイクロスリップモードにも対応されるようにすることができる。
【０１７９】
図５２は、本発明の一実施例による基準信号の割当を示す。
【０１８０】
第１のＯＦＤＭシンボルと第８のＯＦＤＭシンボルでは（Ｔ１、Ｄ、Ｔ３、Ｔ２、Ｄ、Ｔ４）配列が繰り返され、第５のＯＦＤＭシンボルと第１２のＯＦＤＭシンボルでは（Ｔ２、Ｄ、Ｄ、Ｔ１、Ｄ、Ｄ）配列が繰り返される。
【０１８１】
図５３は、本発明の一実施例による基準信号の割当を示す。
【０１８２】
第１のＯＦＤＭシンボルと第８のＯＦＤＭシンボルでは（Ｔ１、Ｄ、Ｄ、Ｔ２、Ｄ、Ｄ）配列が繰り返され、第５のＯＦＤＭシンボルと第１２のＯＦＤＭシンボルでは（Ｔ２、Ｄ、Ｔ３、Ｔ１、Ｄ、Ｔ４）配列が繰り返される。
【０１８３】
図５４は、本発明の一実施例による基準信号の割当を示す。
【０１８４】
第１のＯＦＤＭシンボルと第８のＯＦＤＭシンボルでは（Ｔ１、Ｄ、Ｄ、Ｔ２、Ｄ、Ｄ）配列が繰り返される。第５のＯＦＤＭシンボルと第１２のＯＦＤＭシンボルでは（Ｔ２、Ｄ、Ｄ、Ｔ１、Ｄ、Ｄ）配列が繰り返され、第６のＯＦＤＭシンボルと第１３のＯＦＤＭシンボルでは（Ｔ３、Ｄ、Ｄ、Ｔ４、Ｄ、Ｄ）配列が繰り返される。
【０１８５】
図５５は、本発明の一実施例による基準信号の割当を示す。
【０１８６】
第１のＯＦＤＭシンボルと第８のＯＦＤＭシンボルでは（Ｔ１、Ｄ、Ｄ、Ｔ２、Ｄ、Ｄ）配列が繰り返され、第５のＯＦＤＭシンボルと第１２のＯＦＤＭシンボルでは（Ｔ２、Ｄ、Ｄ、Ｔ１、Ｄ、Ｄ）配列が繰り返される。第６のＯＦＤＭシンボルでは（Ｔ３、Ｄ、Ｄ、Ｔ４、Ｄ、Ｄ）配列が繰り返され、第１３のＯＦＤＭシンボルでは（Ｔ４、Ｄ、Ｄ、Ｔ３、Ｄ、Ｄ）配列が繰り返される。
【０１８７】
図５６は、本発明の一実施例による基準信号の割当を示す。
【０１８８】
第１のＯＦＤＭシンボルと第８のＯＦＤＭシンボルでは（Ｔ１、Ｄ、Ｄ、Ｔ２、Ｄ、Ｄ）配列が繰り返され、第５のＯＦＤＭシンボルと第１２のＯＦＤＭシンボルでは（Ｔ２、Ｄ、Ｄ、Ｔ１、Ｄ、Ｄ）配列が繰り返される。第２のＯＦＤＭシンボルと第９のＯＦＤＭシンボルでは（Ｔ３／Ｔ４、Ｄ、Ｄ）配列が繰り返される。
【０１８９】
図５７は、本発明の一実施例による基準信号の割当を示す。
【０１９０】
第１のＯＦＤＭシンボルと第８のＯＦＤＭシンボルでは（Ｔ１、Ｔ３／Ｔ４、Ｄ、Ｔ２、Ｔ３／Ｔ４、Ｄ）配列が繰り返され、第５のＯＦＤＭシンボルと第１２のＯＦＤＭシンボルでは（Ｔ２、Ｄ、Ｄ、Ｔ１、Ｄ、Ｄ）配列が繰り返される。
【０１９１】
図５８は、本発明の一実施例による基準信号の割当を示す。
【０１９２】
第１のＯＦＤＭシンボルと第８のＯＦＤＭシンボルでは（Ｔ１、Ｔ３／Ｔ４、Ｄ、Ｔ２、Ｄ、Ｄ）配列が繰り返され、第５のＯＦＤＭシンボルと第１２のＯＦＤＭシンボルでは（Ｔ２、Ｔ３／Ｔ４、Ｄ、Ｔ１、Ｄ、Ｄ）配列が繰り返される。
【０１９３】
図５９は、本発明の一実施例による基準信号の割当を示す。
【０１９４】
第１のＯＦＤＭシンボルと第８のＯＦＤＭシンボルでは（Ｔ１、Ｄ、Ｄ、Ｔ２、Ｄ、Ｄ）配列が繰り返され、第５のＯＦＤＭシンボルと第１２のＯＦＤＭシンボルでは（Ｔ２、Ｄ、Ｄ、Ｔ１、Ｄ、Ｄ）配列が繰り返される。第２、第６、第９及び第１３のＯＦＤＭシンボルでは（Ｔ３／Ｔ４、Ｄ、Ｄ、Ｄ、Ｄ、Ｄ）配列が繰り返される。
【０１９５】
図６０は、本発明の一実施例による基準信号の割当を示す。
【０１９６】
第１のＯＦＤＭシンボルと第８のＯＦＤＭシンボルでは（Ｔ１、Ｄ、Ｄ、Ｔ２、Ｄ、Ｄ）配列が繰り返され、第５のＯＦＤＭシンボルと第１２のＯＦＤＭシンボルでは（Ｔ２、Ｄ、Ｄ、Ｔ１、Ｄ、Ｄ）配列が繰り返される。第６のＯＦＤＭシンボルと第１３のＯＦＤＭシンボルでは（Ｔ３／Ｔ４、Ｄ、Ｄ）配列が繰り返される。
【０１９７】
図６１は、本発明の一実施例による基準信号の割当を示す。
【０１９８】
第１のＯＦＤＭシンボルと第８のＯＦＤＭシンボルでは（Ｔ１、Ｄ、Ｔ３／Ｔ４、Ｔ２、Ｄ、Ｔ３／Ｔ４）配列が繰り返され、第５のＯＦＤＭシンボルと第１２のＯＦＤＭシンボルでは（Ｔ２、Ｄ、Ｄ、Ｔ１、Ｄ、Ｄ）配列が繰り返される。
【０１９９】
図６２は、本発明の一実施例による基準信号の割当を示す。
【０２００】
第１のＯＦＤＭシンボルと第８のＯＦＤＭシンボルでは（Ｔ１、Ｄ、Ｔ３／Ｔ４、Ｔ２、Ｄ、Ｄ）配列が繰り返され、第５のＯＦＤＭシンボルと第１２のＯＦＤＭシンボルでは（Ｔ２、Ｄ、Ｔ３／Ｔ４、Ｔ１、Ｄ、Ｄ）配列が繰り返される。
【０２０１】
図６３は、本発明の一実施例による基準信号の割当を示す。
【０２０２】
第１のＯＦＤＭシンボルと第８のＯＦＤＭシンボルでは（Ｔ１、Ｄ、Ｄ、Ｔ２、Ｄ、Ｄ）配列が繰り返され、第５のＯＦＤＭシンボルと第１２のＯＦＤＭシンボルでは（Ｔ２、Ｄ、Ｄ、Ｔ１、Ｄ、Ｄ）配列が繰り返される。第３のＯＦＤＭシンボルと第１０のＯＦＤＭシンボルでは（Ｔ３、Ｄ、Ｄ、Ｔ４、Ｄ、Ｄ）配列が繰り返され、第７のＯＦＤＭシンボルと第１４のＯＦＤＭシンボルでは（Ｔ４、Ｄ、Ｄ、Ｔ３、Ｄ、Ｄ）配列が繰り返される。
【０２０３】
図６４は、本発明の一実施例による基準信号の割当を示す。
【０２０４】
第１のＯＦＤＭシンボルと第８のＯＦＤＭシンボルでは（Ｔ１、Ｄ、Ｄ、Ｔ２、Ｄ、Ｄ）配列が繰り返され、第５のＯＦＤＭシンボルと第１２のＯＦＤＭシンボルでは（Ｔ２、Ｄ、Ｄ、Ｔ１、Ｄ、Ｄ）配列が繰り返される。第３のＯＦＤＭシンボルでは（Ｔ３、Ｄ、Ｄ、Ｔ４、Ｄ、Ｄ）配列が繰り返され、第１０のＯＦＤＭシンボルでは（Ｔ４、Ｄ、Ｄ、Ｔ３、Ｄ、Ｄ）配列が繰り返される。
【０２０５】
図６５は、本発明の一実施例による基準信号の割当を示す。
【０２０６】
第１のＯＦＤＭシンボルでは（Ｄ、Ｔ１、Ｄ、Ｄ、Ｄ、Ｄ）配列が繰り返され、第８のＯＦＤＭシンボルでは（Ｔ４、Ｔ１、Ｄ、Ｄ、Ｔ２、Ｔ３）配列が繰り返される。第５及び第１２のＯＦＤＭシンボルでは（Ｄ、Ｔ２、Ｄ、Ｄ、Ｔ１、Ｄ）配列が繰り返される。
【０２０７】
時間軸上に前部に位置するＯＦＤＭシンボルに制御信号が割り当てられるマイクロスリップモード（Ｍｉｃｒｏ−ｓｌｅｅｐ  ｍｏｄｅ）を適用する時、制御信号は１つまたは２つのアンテナによって伝送されることができる。制御信号が第１のアンテナによって送信される場合、第１のアンテナに対する基準信号は第１のＯＦＤＭシンボルに割り当てられることができる。
【０２０８】
図６６は、本発明の一実施例による基準信号の割当を示す。
【０２０９】
第１のＯＦＤＭシンボルでは（Ｔ１、Ｄ、Ｄ、Ｄ、Ｄ、Ｄ）配列が繰り返され、第５のＯＦＤＭシンボルでは（Ｔ２、Ｄ、Ｄ、Ｔ１、Ｄ、Ｄ、Ｔ２、Ｔ３、Ｔ４、Ｔ１、Ｄ、Ｄ）配列が繰り返される。第８のＯＦＤＭシンボルでは（Ｔ１、Ｄ、Ｄ、Ｔ２、Ｔ３、Ｔ４、Ｔ１、Ｄ、Ｄ、Ｔ２、Ｄ、Ｄ）配列が繰り返され、第１２のＯＦＤＭシンボルでは（Ｔ２、Ｄ、Ｄ、Ｔ１、Ｄ、Ｄ、Ｔ２、Ｄ、Ｄ、Ｔ１、Ｔ３、Ｔ４）配列が繰り返される。
【０２１０】
マイクロスリップモードで制御信号が第１のアンテナにより送信される場合、第１のアンテナに対する基準信号は時間軸上に前部に位置するＯＦＤＭシンボルに割り当てられる。例えば、制御信号が第１のアンテナにより送信される場合、第１のアンテナに対する基準信号は第１のＯＦＤＭシンボルに割り当てられることができる。
【０２１１】
図６７は、本発明の一実施例による基準信号の割当を示す。
【０２１２】
第１のＯＦＤＭシンボルでは（Ｄ、Ｔ１、Ｄ、Ｄ、Ｔ２、Ｄ）配列が繰り返され、第８のＯＦＤＭシンボルでは（Ｔ４、Ｔ１、Ｄ、Ｄ、Ｔ２、Ｔ３）配列が繰り返される。第５及び第１２のＯＦＤＭシンボルでは（Ｄ、Ｔ２、Ｄ、Ｄ、Ｔ１、Ｄ）配列が繰り返される。マイクロスリップモードで制御信号が第１及び第２のアンテナにより送信される場合、第１及び第２のアンテナに対する基準信号は時間軸上に前部に位置するＯＦＤＭシンボルに割り当てられる。
【０２１３】
図６８は、本発明の一実施例による基準信号の割当を示す。
【０２１４】
マイクロスリップモードで制御信号が２つのアンテナにより送信される場合には基準信号の割当は次の通りである。第１のＯＦＤＭシンボルでは（Ｔ１、Ｄ、Ｄ、Ｔ２、Ｄ、Ｄ）配列が繰り返され、第５のＯＦＤＭシンボルでは（Ｔ２、Ｄ、Ｄ、Ｔ１、Ｄ、Ｄ、Ｔ２、Ｔ３、Ｔ４、Ｔ１、Ｄ、Ｄ）配列が繰り返される。第８のＯＦＤＭシンボルでは（Ｔ１、Ｄ、Ｄ、Ｔ２、Ｔ３、Ｔ４、Ｔ１、Ｄ、Ｄ、Ｔ２、Ｄ、Ｄ）配列が繰り返され、第１２のＯＦＤＭシンボルでは（Ｔ２、Ｄ、Ｄ、Ｔ１、Ｄ、Ｄ、Ｔ２、Ｄ、Ｄ、Ｔ１、Ｔ３、Ｔ４）配列が繰り返される。マイクロスリップモードで制御信号が第１及び第２のアンテナにより送信される場合、第１及び第２のアンテナに対する基準信号は時間軸上に前部に位置するＯＦＤＭシンボルに割り当てられる。
【０２１５】
図６９は、本発明の一実施例による基準信号の割当を示す。
【０２１６】
第１及び第８のＯＦＤＭシンボルでは（Ｔ１、Ｄ、Ｄ、Ｔ２、Ｄ、Ｄ）配列が繰り返され、第５及び第１２のＯＦＤＭシンボルでは（Ｔ２、Ｄ、Ｄ、Ｔ１、Ｄ、Ｄ）配列が繰り返される。第４のＯＦＤＭシンボルでは（Ｔ３、Ｄ、Ｄ、Ｔ４、Ｄ、Ｄ）配列が繰り返され、第９のＯＦＤＭシンボルでは（Ｔ４、Ｄ、Ｄ、Ｔ３、Ｄ、Ｄ）配列が繰り返される。
【０２１７】
サブフレームは２つの領域、即ち、制御チャネル及びデータチャネルに分けられることができる。制御チャネルは制御データを有している領域である。データチャネルは使用者データを有している領域である。例えば、第１、第２及び第３のＯＦＤＭシンボルは制御チャネルに割り当てられ、残りのシンボルはデータチャネルに割り当てられることができる。たとえ、制御チャネルに対するＯＦＤＭシンボルの数が制御チャネルに対するＯＦＤＭシンボルの数より少ないとしても、制御チャネルの信頼性はデータチャネルの信頼性より高い。多重アンテナの一部は制御チャネルの送信のために割り当てられることができる。第１及び第２のアンテナは制御チャネルのために用いられることができる。このような場合、第３及び第４のアンテナは制御チャネルに用いられないため、上記第３及び第４のアンテナの基準信号は制御チャネルに対するＯＦＤＭシンボルに割り当てられないこともある。
【０２１８】
図７０は、本発明の一実施例による基準信号の割当を示す。
【０２１９】
第１及び第８のＯＦＤＭシンボルでは（Ｔ１、Ｄ、Ｄ、Ｔ２、Ｄ、Ｄ）配列が繰り返され、第５及び第１２のＯＦＤＭシンボルでは（Ｔ２、Ｄ、Ｄ、Ｔ１、Ｄ、Ｄ）配列が繰り返される。第６のＯＦＤＭシンボルでは（Ｔ３、Ｄ、Ｄ、Ｔ４、Ｄ、Ｄ）配列が繰り返され、第９のＯＦＤＭシンボルでは（Ｔ４、Ｄ、Ｄ、Ｔ３、Ｄ、Ｄ）配列が繰り返される。
【０２２０】
チャネルで、第３のアンテナに対する基準信号と第４のアンテナに対する基準信号は、チャネル推定の正確性を向上するために、第１及び第２のアンテナに対する基準信号の次に割り当てられる。
【０２２１】
図７１は、本発明の一実施例による基準信号の割当を示す。
【０２２２】
第１及び第８のＯＦＤＭシンボルでは（Ｔ１、Ｄ、Ｄ、Ｔ２、Ｄ、Ｄ）配列が繰り返され、第５及び第１２のＯＦＤＭシンボルでは（Ｔ２、Ｄ、Ｄ、Ｔ１、Ｄ、Ｄ）配列が繰り返される。第４のＯＦＤＭシンボルでは（Ｔ３、Ｄ、Ｄ、Ｔ４、Ｄ、Ｄ）配列が繰り返され、第１１のＯＦＤＭシンボルでは（Ｔ４、Ｄ、Ｄ、Ｔ３、Ｄ、Ｄ）配列が繰り返される。
【０２２３】
連続的なサブフレームで第３のアンテナ及び第４のアンテナに対する基準信号の間隔は継続的に維持されることができる。
【０２２４】
図７２は、本発明の一実施例による基準信号の割当を示す。
【０２２５】
第１及び第８のＯＦＤＭシンボルでは（Ｔ１、Ｄ、Ｄ、Ｔ２、Ｄ、Ｄ）配列が繰り返され、第５及び第１２のＯＦＤＭシンボルでは（Ｔ２、Ｄ、Ｄ、Ｔ１、Ｄ、Ｄ）配列が繰り返される。第６のＯＦＤＭシンボルでは（Ｔ３、Ｄ、Ｄ、Ｔ４、Ｄ、Ｄ）配列が繰り返され、第１０のＯＦＤＭシンボルでは（Ｔ４、Ｄ、Ｄ、Ｔ３、Ｄ、Ｄ）配列が繰り返される。
【０２２６】
図７３は、本発明の一実施例による基準信号の割当を示す。
【０２２７】
第１及び第８のＯＦＤＭシンボルでは（Ｔ１、Ｄ、Ｄ、Ｔ２、Ｄ、Ｄ）配列が繰り返され、第５及び第１２のＯＦＤＭシンボルでは（Ｔ２、Ｄ、Ｄ、Ｔ１、Ｄ、Ｄ）配列が繰り返される。第４のＯＦＤＭシンボルでは（Ｔ３、Ｄ、Ｄ、Ｔ４、Ｄ、Ｄ）配列が繰り返され、第９のＯＦＤＭシンボルでは（Ｔ４、Ｄ、Ｄ、Ｔ３、Ｄ、Ｄ）配列が繰り返される。
【０２２８】
図７４は、本発明の一実施例による基準信号の割当を示す。
【０２２９】
第１及び第８のＯＦＤＭシンボルでは（Ｔ１、Ｄ、Ｄ、Ｔ２、Ｄ、Ｄ）配列が繰り返され、第５及び第１２のＯＦＤＭシンボルでは（Ｔ２、Ｄ、Ｄ、Ｔ１、Ｄ、Ｄ）配列が繰り返される。第６のＯＦＤＭシンボルでは（Ｔ３、Ｄ、Ｄ、Ｔ４、Ｄ、Ｄ）配列が繰り返され、第１１のＯＦＤＭシンボルでは（Ｔ４、Ｄ、Ｄ、Ｔ３、Ｄ、Ｄ）配列が繰り返される。
【０２３０】
図７５は、本発明の一実施例による基準信号の割当を示す。
【０２３１】
第１及び第８のＯＦＤＭシンボルでは（Ｔ１、Ｄ、Ｄ、Ｔ２、Ｄ、Ｄ）配列が繰り返され、第５及び第１２のＯＦＤＭシンボルでは（Ｔ２、Ｄ、Ｄ、Ｔ１、Ｄ、Ｄ）配列が繰り返される。第６のＯＦＤＭシンボルでは（Ｔ３、Ｄ、Ｄ、Ｔ４、Ｄ、Ｄ）配列が繰り返され、第１３のＯＦＤＭシンボルでは（Ｔ４、Ｄ、Ｄ、Ｔ３、Ｄ、Ｄ）配列が繰り返される。
【０２３２】
図７６は、本発明の一実施例による基準信号の割当を示す。
【０２３３】
第１及び第８のＯＦＤＭシンボルでは（Ｔ１、Ｄ、Ｄ、Ｔ２、Ｄ、Ｄ）配列が繰り返され、第４及び第１２のＯＦＤＭシンボルでは（Ｔ２、Ｄ、Ｄ、Ｔ１、Ｄ、Ｄ）配列が繰り返される。第３のＯＦＤＭシンボルでは（Ｔ３、Ｄ、Ｄ、Ｔ４、Ｄ、Ｄ）配列が繰り返され、第９のＯＦＤＭシンボルでは（Ｔ４、Ｄ、Ｄ、Ｔ３、Ｄ、Ｄ）配列が繰り返される。
【０２３４】
図７７は、本発明の一実施例による基準信号の割当を示す。
【０２３５】
第１及び第８のＯＦＤＭシンボルでは（Ｔ１、Ｄ、Ｄ、Ｔ２、Ｄ、Ｄ）配列が繰り返され、第４及び第１２のＯＦＤＭシンボルでは（Ｔ２、Ｄ、Ｄ、Ｔ１、Ｄ、Ｄ）配列が繰り返される。第５のＯＦＤＭシンボルでは（Ｔ３、Ｄ、Ｄ、Ｔ４、Ｄ、Ｄ）配列が繰り返され、第９のＯＦＤＭシンボルでは（Ｔ４、Ｄ、Ｄ、Ｔ３、Ｄ、Ｄ）配列が繰り返される。
【０２３６】
図７８は、本発明の一実施例による基準信号の割当を示す。
【０２３７】
第１及び第８のＯＦＤＭシンボルでは（Ｔ１、Ｄ、Ｄ、Ｔ２、Ｄ、Ｄ）配列が繰り返され、第４及び第１２のＯＦＤＭシンボルでは（Ｔ２、Ｄ、Ｄ、Ｔ１、Ｄ、Ｄ）配列が繰り返される。第３のＯＦＤＭシンボルでは（Ｔ３、Ｄ、Ｄ、Ｔ４、Ｄ、Ｄ）配列が繰り返され、第１１のＯＦＤＭシンボルでは（Ｔ４、Ｄ、Ｄ、Ｔ３、Ｄ、Ｄ）配列が繰り返される。
【０２３８】
図７９は、本発明の一実施例による基準信号の割当を示す。
【０２３９】
第１及び第８のＯＦＤＭシンボルでは（Ｔ１、Ｄ、Ｄ、Ｔ２、Ｄ、Ｄ）配列が繰り返され、第４及び第１２のＯＦＤＭシンボルでは（Ｔ２、Ｄ、Ｄ、Ｔ１、Ｄ、Ｄ）配列が繰り返される。第５のＯＦＤＭシンボルでは（Ｔ３、Ｄ、Ｄ、Ｔ４、Ｄ、Ｄ）配列が繰り返され、第１０のＯＦＤＭシンボルでは（Ｔ４、Ｄ、Ｄ、Ｔ３、Ｄ、Ｄ）配列が繰り返される。
【０２４０】
図８０は、本発明の一実施例による基準信号の割当を示す。
【０２４１】
第１及び第８のＯＦＤＭシンボルでは（Ｔ１、Ｄ、Ｄ、Ｔ２、Ｄ、Ｄ）配列が繰り返され、第４及び第１２のＯＦＤＭシンボルでは（Ｔ２、Ｄ、Ｄ、Ｔ１、Ｄ、Ｄ）配列が繰り返される。第３のＯＦＤＭシンボルでは（Ｔ３、Ｄ、Ｄ、Ｔ４、Ｄ、Ｄ）配列が繰り返され、第１０のＯＦＤＭシンボルでは（Ｔ４、Ｄ、Ｄ、Ｔ３、Ｄ、Ｄ）配列が繰り返される。
【０２４２】
図８１は、本発明の一実施例による基準信号の割当を示す。
【０２４３】
第１及び第８のＯＦＤＭシンボルでは（Ｔ１、Ｄ、Ｄ、Ｔ２、Ｄ、Ｄ）配列が繰り返され、第４及び第１２のＯＦＤＭシンボルでは（Ｔ２、Ｄ、Ｄ、Ｔ１、Ｄ、Ｄ）配列が繰り返される。第５のＯＦＤＭシンボルでは（Ｔ３、Ｄ、Ｄ、Ｔ４、Ｄ、Ｄ）配列が繰り返され、第１１のＯＦＤＭシンボルでは（Ｔ４、Ｄ、Ｄ、Ｔ３、Ｄ、Ｄ）配列が繰り返される。
【０２４４】
図８２は、本発明の一実施例による基準信号の割当を示す。
【０２４５】
第１及び第８のＯＦＤＭシンボルでは（Ｔ１、Ｄ、Ｄ、Ｔ２、Ｄ、Ｄ）配列が繰り返され、第４及び第１２のＯＦＤＭシンボルでは（Ｔ２、Ｄ、Ｄ、Ｔ１、Ｄ、Ｄ）配列が繰り返される。第５のＯＦＤＭシンボルでは（Ｔ３、Ｄ、Ｄ、Ｔ４、Ｄ、Ｄ）配列が繰り返され、第１３のＯＦＤＭシンボルでは（Ｔ４、Ｄ、Ｄ、Ｔ３、Ｄ、Ｄ）配列が繰り返される。
【０２４６】
図６５ないし図８２は、第１のＯＦＤＭシンボルに基準信号を割り当てた一例を示したのである。マイクロスリップモードに適用されるＯＦＤＭシンボルの個数が増加すれば、第２、第３のＯＦＤＭシンボルなどの他のＯＦＤＭシンボルに基準信号が割り当てられることができる。
【０２４７】
図８３は、多重使用者信号に対する基準信号割当の一例を示す。
【０２４８】
図８３を参照すると、基準信号Ｒはどのアンテナに対しても用いられることができる。２つのアンテナを用いる場合、‘Ｒ’は第１のアンテナに対する基準信号であってもよく、第２のアンテナに対する基準信号であってもよい。空いている資源要素はデータシンボルであってもよく、ナルシンボルであってもよい。
【０２４９】
１つのサブフレームで第１のアンテナに対する基準信号Ｔ１は第１のＯＦＤＭシンボルで６つの副搬送波間隔に割り当てられる。即ち、基準信号Ｔ１は５つの副搬送波を間に置いて割り当てられる。第２のアンテナに対する基準信号Ｔ２は、基準信号Ｔ１と同じＯＦＤＭシンボルで同一間隔にお互いに重複しないように割り当てられる。即ち、基準信号Ｔ２は基準信号Ｔ１と同一間隔に２つの基準信号Ｔ１の間に割り当てられる。
【０２５０】
基準信号Ｒは、専用制御信号が含まれない領域、例えば、第３のＯＦＤＭシンボルから割り当てられる。即ち、基準信号Ｒは、第３のＯＦＤＭシンボルに２つの副搬送波間隔に割り当てられる。基準信号Ｒは、第３のＯＦＤＭシンボルから４つのＯＦＤＭシンボルほど離れた第７のＯＦＤＭシンボルに２つの副搬送波間隔に割り当てられる。第３のＯＦＤＭシンボルと第７のＯＦＤＭシンボルに割り当てられる基準信号Ｒはお互いに交錯する。また、基準信号Ｒは、第７のＯＦＤＭシンボルから４つのＯＦＤＭシンボルほど離れた第１１のＯＦＤＭシンボルに２つの副搬送波間隔に割り当てられる。
【０２５１】
図８４は、多重使用者信号に対する基準信号割当の他の例を示す。
【０２５２】
図８４を参照すると、図８３の実施例と比較して、第１のアンテナに対する基準信号Ｔ１と第２のアンテナに対する基準信号Ｔ２が第４のＯＦＤＭシンボルに割り当てられる。多重使用者信号が伝送される領域に専用制御信号を割り当てて、専用制御信号に対するエラー率を減らすことができる。
【０２５３】
図８５は、多重アンテナを用いる時、多重使用者信号に対する基準信号割当のもう１つの例を示す。４つのアンテナが用いられ、このうちで少なくとも１つのアンテナが多重使用者信号を伝送する場合である。
【０２５４】
図８５を参照すると、１つのサブフレームで基準信号Ｔ１は第１のＯＦＤＭシンボルで６つの副搬送波間隔に割り当てられる。基準信号Ｔ２は第１の基準信号Ｔ１と同じＯＦＤＭシンボルで同一間隔にお互いに重複しないように割り当てられる。即ち、基準信号Ｔ２は基準信号Ｔ１と同一間隔に２つの基準信号Ｔ１の間に割り当てられる。また、１つのサブフレームで基準信号Ｔ３は第１のＯＦＤＭシンボルで６つの副搬送波間隔に割り当てられる。基準信号Ｔ４は基準信号Ｔ３と同じＯＦＤＭシンボルで同一間隔にお互いに重複しないように割り当てられる。
【０２５５】
基準信号Ｒは、専用制御信号が含まれない領域、例えば、第３のＯＦＤＭシンボルから割り当てられる。基準信号Ｒは、第１ないし第４のアンテナのうち少なくともいずれか１つから伝送されることができる。基準信号Ｒは、第３のＯＦＤＭシンボルで２つの副搬送波間隔に割り当てられる。基準信号Ｒは、第３のＯＦＤＭシンボルから４つのＯＦＤＭシンボルほど離れた第７のＯＦＤＭシンボルに２つの副搬送波間隔に割り当てられる。第３のＯＦＤＭシンボルと第７のＯＦＤＭシンボルに割り当てられる基準信号Ｒはお互いに交錯する。
【０２５６】
基準信号Ｔ１及びＴ２は第４のＯＦＤＭシンボルに割り当てられる。多重使用者信号が伝送される領域に割り当てられた専用制御信号は、専用制御信号に対するエラー率を減らすことができる。
【０２５７】
図８６は、多重アンテナを用いる時、多重使用者信号に対する基準信号割当のもう１つの例を示す。４つのアンテナが用いられる時、少なくとも１つのアンテナが多重使用者基準信号を伝送する場合である。
【０２５８】
図８６を参照すると、第１の基準信号Ｒ１と第２の基準信号Ｒ２は第３のＯＦＤＭシンボルから４つのＯＦＤＭシンボル間隔に割り当てられる。第３の基準信号Ｒ３と第４の基準信号Ｒ４は第５のＯＦＤＭシンボルから４つのＯＦＤＭシンボル間隔に割り当てられる。
【０２５９】
図８７は、多重アンテナを用いる時、多重使用者信号に対する基準信号割当のもう１つの例を示す。
【０２６０】
図８７を参照すると、第１の基準信号Ｒ１と第２の基準信号Ｒ２は第３のＯＦＤＭシンボルから４つのＯＦＤＭシンボル間隔に割り当てられる。第３の基準信号Ｒ３と第４の基準信号Ｒ４は第５のＯＦＤＭシンボルから４つのＯＦＤＭシンボル間隔に割り当てられる。第１ないし第４の基準信号Ｒ１、Ｒ２、Ｒ３及びＲ４は周波数領域で６つの副搬送波間隔に各々割り当てられる。
【０２６１】
図８８は、多重アンテナを用いる時、多重使用者信号に対する基準信号割当のもう１つの例を示す。
【０２６２】
図８８を参照すると、第１の基準信号Ｒ１と第２の基準信号Ｒ２は、第３のＯＦＤＭシンボルから４つのＯＦＤＭシンボル間隔に割り当てられる。第３の基準信号Ｒ３と第４の基準信号Ｒ４は第５のＯＦＤＭシンボルから４つのＯＦＤＭシンボル間隔に割り当てられる。
【０２６３】
第１ないし第４のアンテナに対する基準信号Ｔ１、Ｔ２、Ｔ３及びＴ４は、第１のＯＦＤＭシンボルと第２のＯＦＤＭシンボルに割り当てられる。また、基準信号Ｔ１及びＴ２は第４のＯＦＤＭシンボルに割り当てられる。
【０２６４】
図８９は、多重アンテナを用いる時、多重使用者信号に対する基準信号割当のもう１つの例を示す。
【０２６５】
図８９を参照すると、第１の基準信号Ｒ１と第２の基準信号Ｒ２は第３のＯＦＤＭシンボルから４つのＯＦＤＭシンボル間隔に割り当てられる。第３の基準信号Ｒ３と第４の基準信号Ｒ４は第５のＯＦＤＭシンボルから４つのＯＦＤＭシンボル間隔に割り当てられる。第１ないし第４の基準信号Ｒ１、Ｒ２、Ｒ３及びＲ４は周波数領域で６つの副搬送波間隔に割り当てられる。
【０２６６】
第１ないし第４のアンテナに対する基準信号Ｔ１、Ｔ２、Ｔ３及びＴ４は第１のＯＦＤＭシンボルと第２のＯＦＤＭシンボルに割り当てられる。また、基準信号Ｔ１及びＴ２は第４のＯＦＤＭシンボルに割り当てられる。
【０２６７】
図９０は、多重アンテナを用いる時、多重使用者信号に対する基準信号割当のもう１つの例を示す。
【０２６８】
図９０を参照すると、第１の基準信号Ｒ１と第２の基準信号Ｒ２は第３のＯＦＤＭシンボルから４つのＯＦＤＭシンボル間隔に割り当てられる。第３の基準信号Ｒ３と第４の基準信号Ｒ４は第５のＯＦＤＭシンボルから４つのＯＦＤＭシンボル間隔に割り当てられる。
【０２６９】
第１ないし第４のアンテナに対する基準信号Ｔ１、Ｔ２、Ｔ３及びＴ４は第１のＯＦＤＭシンボルと第２のＯＦＤＭシンボルにだけ割り当てられる。
【０２７０】
図９１は、多重アンテナを用いる時、多重使用者信号に対する基準信号割当のもう１つの例を示す。
【０２７１】
図９１を参照すると、第１の基準信号Ｒ１と第２の基準信号Ｒ２は第３のＯＦＤＭシンボルから４つのＯＦＤＭシンボル間隔に割り当てられる。第３の基準信号Ｒ３と第４の基準信号Ｒ４は第５のＯＦＤＭシンボルから４つのＯＦＤＭシンボル間隔に割り当てられる。第１ないし第４の基準信号Ｒ１、Ｒ２、Ｒ３及びＲ４は周波数領域で６つの副搬送波間隔に割り当てられる。
【０２７２】
第１ないし第４のアンテナに対する基準信号Ｔ１、Ｔ２、Ｔ３及びＴ４は第１のＯＦＤＭシンボルと第２のＯＦＤＭシンボルにだけ割り当てられる。
【０２７３】
多重アンテナに対する基準信号が效果的に割り当てられる。チャネル推定またはデータ復調における性能劣化を防止できる。
【０２７４】
以上、本発明に対して実施例を参照して説明したが、該当技術分野の通常の知識を持った者は、本発明の技術的思想及び領域から外れない範囲内で本発明を多様に修正及び変更させて実施できることを理解することができる。従って、上述した実施例に限定されることなく、本発明は特許請求範囲の範囲内の全ての実施例を含む。
【図面の簡単な説明】
【０２７５】
【図１】多重アンテナを有する送信機を示すブロック図である。
【図２】多重アンテナを有する受信機を示すブロック図である。
【図３】２つの送信アンテナが用いられる時、基準信号割当の一実施例を示す図面である。
【図４】４つの送信アンテナが用いられる時、基準信号割当の一実施例を示す図面である。
【図５】基準信号割当の一実施例を示す図面である。
【図６】基準信号割当の他の実施例を示す図面である。
【図７】図７ないし図１９は、多重使用者信号に対する基準信号割当の一実施例を示す図面である。
【図８】図７ないし図１９は、多重使用者信号に対する基準信号割当の一実施例を示す図面である。
【図９】図７ないし図１９は、多重使用者信号に対する基準信号割当の一実施例を示す図面である。
【図１０】図７ないし図１９は、多重使用者信号に対する基準信号割当の一実施例を示す図面である。
【図１１】図７ないし図１９は、多重使用者信号に対する基準信号割当の一実施例を示す図面である。
【図１２】図７ないし図１９は、多重使用者信号に対する基準信号割当の一実施例を示す図面である。
【図１３】図７ないし図１９は、多重使用者信号に対する基準信号割当の一実施例を示す図面である。
【図１４】図７ないし図１９は、多重使用者信号に対する基準信号割当の一実施例を示す図面である。
【図１５】図７ないし図１９は、多重使用者信号に対する基準信号割当の一実施例を示す図面である。
【図１６】図７ないし図１９は、多重使用者信号に対する基準信号割当の一実施例を示す図面である。
【図１７】図７ないし図１９は、多重使用者信号に対する基準信号割当の一実施例を示す図面である。
【図１８】図７ないし図１９は、多重使用者信号に対する基準信号割当の一実施例を示す図面である。
【図１９】図７ないし図１９は、多重使用者信号に対する基準信号割当の一実施例を示す図面である。
【図２０】図２０ないし図８２は、本発明による基準信号割当の一実施例を示す図面である。
【図２１】図２０ないし図８２は、本発明による基準信号割当の一実施例を示す図面である。
【図２２】図２０ないし図８２は、本発明による基準信号割当の一実施例を示す図面である。
【図２３】図２０ないし図８２は、本発明による基準信号割当の一実施例を示す図面である。
【図２４】図２０ないし図８２は、本発明による基準信号割当の一実施例を示す図面である。
【図２５】図２０ないし図８２は、本発明による基準信号割当の一実施例を示す図面である。
【図２６】図２０ないし図８２は、本発明による基準信号割当の一実施例を示す図面である。
【図２７】図２０ないし図８２は、本発明による基準信号割当の一実施例を示す図面である。
【図２８】図２０ないし図８２は、本発明による基準信号割当の一実施例を示す図面である。
【図２９】図２０ないし図８２は、本発明による基準信号割当の一実施例を示す図面である。
【図３０】図２０ないし図８２は、本発明による基準信号割当の一実施例を示す図面である。
【図３１】図２０ないし図８２は、本発明による基準信号割当の一実施例を示す図面である。
【図３２】図２０ないし図８２は、本発明による基準信号割当の一実施例を示す図面である。
【図３３】図２０ないし図８２は、本発明による基準信号割当の一実施例を示す図面である。
【図３４】図２０ないし図８２は、本発明による基準信号割当の一実施例を示す図面である。
【図３５】図２０ないし図８２は、本発明による基準信号割当の一実施例を示す図面である。
【図３６】図２０ないし図８２は、本発明による基準信号割当の一実施例を示す図面である。
【図３７】図２０ないし図８２は、本発明による基準信号割当の一実施例を示す図面である。
【図３８】図２０ないし図８２は、本発明による基準信号割当の一実施例を示す図面である。
【図３９】図２０ないし図８２は、本発明による基準信号割当の一実施例を示す図面である。
【図４０】図２０ないし図８２は、本発明による基準信号割当の一実施例を示す図面である。
【図４１】図２０ないし図８２は、本発明による基準信号割当の一実施例を示す図面である。
【図４２】図２０ないし図８２は、本発明による基準信号割当の一実施例を示す図面である。
【図４３】図２０ないし図８２は、本発明による基準信号割当の一実施例を示す図面である。
【図４４】図２０ないし図８２は、本発明による基準信号割当の一実施例を示す図面である。
【図４５】図２０ないし図８２は、本発明による基準信号割当の一実施例を示す図面である。
【図４６】図２０ないし図８２は、本発明による基準信号割当の一実施例を示す図面である。
【図４７】図２０ないし図８２は、本発明による基準信号割当の一実施例を示す図面である。
【図４８】図２０ないし図８２は、本発明による基準信号割当の一実施例を示す図面である。
【図４９】図２０ないし図８２は、本発明による基準信号割当の一実施例を示す図面である。
【図５０】図２０ないし図８２は、本発明による基準信号割当の一実施例を示す図面である。
【図５１】図２０ないし図８２は、本発明による基準信号割当の一実施例を示す図面である。
【図５２】図２０ないし図８２は、本発明による基準信号割当の一実施例を示す図面である。
【図５３】図２０ないし図８２は、本発明による基準信号割当の一実施例を示す図面である。
【図５４】図２０ないし図８２は、本発明による基準信号割当の一実施例を示す図面である。
【図５５】図２０ないし図８２は、本発明による基準信号割当の一実施例を示す図面である。
【図５６】図２０ないし図８２は、本発明による基準信号割当の一実施例を示す図面である。
【図５７】図２０ないし図８２は、本発明による基準信号割当の一実施例を示す図面である。
【図５８】図２０ないし図８２は、本発明による基準信号割当の一実施例を示す図面である。
【図５９】図２０ないし図８２は、本発明による基準信号割当の一実施例を示す図面である。
【図６０】図２０ないし図８２は、本発明による基準信号割当の一実施例を示す図面である。
【図６１】図２０ないし図８２は、本発明による基準信号割当の一実施例を示す図面である。
【図６２】図２０ないし図８２は、本発明による基準信号割当の一実施例を示す図面である。
【図６３】図２０ないし図８２は、本発明による基準信号割当の一実施例を示す図面である。
【図６４】図２０ないし図８２は、本発明による基準信号割当の一実施例を示す図面である。
【図６５】図２０ないし図８２は、本発明による基準信号割当の一実施例を示す図面である。
【図６６】図２０ないし図８２は、本発明による基準信号割当の一実施例を示す図面である。
【図６７】図２０ないし図８２は、本発明による基準信号割当の一実施例を示す図面である。
【図６８】図２０ないし図８２は、本発明による基準信号割当の一実施例を示す図面である。
【図６９】図２０ないし図８２は、本発明による基準信号割当の一実施例を示す図面である。
【図７０】図２０ないし図８２は、本発明による基準信号割当の一実施例を示す図面である。
【図７１】図２０ないし図８２は、本発明による基準信号割当の一実施例を示す図面である。
【図７２】図２０ないし図８２は、本発明による基準信号割当の一実施例を示す図面である。
【図７３】図２０ないし図８２は、本発明による基準信号割当の一実施例を示す図面である。
【図７４】図２０ないし図８２は、本発明による基準信号割当の一実施例を示す図面である。
【図７５】図２０ないし図８２は、本発明による基準信号割当の一実施例を示す図面である。
【図７６】図２０ないし図８２は、本発明による基準信号割当の一実施例を示す図面である。
【図７７】図２０ないし図８２は、本発明による基準信号割当の一実施例を示す図面である。
【図７８】図２０ないし図８２は、本発明による基準信号割当の一実施例を示す図面である。
【図７９】図２０ないし図８２は、本発明による基準信号割当の一実施例を示す図面である。
【図８０】図２０ないし図８２は、本発明による基準信号割当の一実施例を示す図面である。
【図８１】図２０ないし図８２は、本発明による基準信号割当の一実施例を示す図面である。
【図８２】図２０ないし図８２は、本発明による基準信号割当の一実施例を示す図面である。
【図８３】図８３ないし図９１は、多重使用者信号に対する基準信号割当の一実施例を示す図面である。
【図８４】図８３ないし図９１は、多重使用者信号に対する基準信号割当の一実施例を示す図面である。
【図８５】図８３ないし図９１は、多重使用者信号に対する基準信号割当の一実施例を示す図面である。
【図８６】図８３ないし図９１は、多重使用者信号に対する基準信号割当の一実施例を示す図面である。
【図８７】図８３ないし図９１は、多重使用者信号に対する基準信号割当の一実施例を示す図面である。
【図８８】図８３ないし図９１は、多重使用者信号に対する基準信号割当の一実施例を示す図面である。
【図８９】図８３ないし図９１は、多重使用者信号に対する基準信号割当の一実施例を示す図面である。
【図９０】図８３ないし図９１は、多重使用者信号に対する基準信号割当の一実施例を示す図面である。
【図９１】図８３ないし図９１は、多重使用者信号に対する基準信号割当の一実施例を示す図面である。
【符号の説明】
【０２７６】
１００  送信機
１２０  チャネルインコーダ
１３０  マッパ
１４０  ＭＩＭＯ処理器
１５０  副搬送波アロケータ
１６０  ＯＦＤＭ変調器
１９０−１、．．．  、１９０−Ｎｔ  多重送信アンテナ
２００  受信機
２１０  ＯＦＤＭ復調器
２２０  チャネル推定
２３０  ＭＩＭＯ後処理機
２４０  ジマッパ
２５０  チャネルデコーダ
２９０−１、．．．  、２９０−Ｎｒ  受信アンテナ
Ｒ１  第１の基準信号
Ｒ２  第２の基準信号
Ｄ  データシンボル
Ｎ  ナルシンボル
【図１】
2009533941.tif 000003
【図２】
2009533941.tif 000004
【図３】
2009533941.tif 000005
【図４】
2009533941.tif 000006
【図５】
2009533941.tif 000007
【図６】
2009533941.tif 000008
【図７】
2009533941.tif 000009
【図８】
2009533941.tif 000010
【図９】
2009533941.tif 000011
【図１０】
2009533941.tif 000012
【図１１】
2009533941.tif 000013
【図１２】
2009533941.tif 000014
【図１３】
2009533941.tif 000015
【図１４】
2009533941.tif 000016
【図１５】
2009533941.tif 000017
【図１６】
2009533941.tif 000018
【図１７】
2009533941.tif 000019
【図１８】
2009533941.tif 000020
【図１９】
2009533941.tif 000021
【図２０】
2009533941.tif 000022
【図２１】
2009533941.tif 000023
【図２２】
2009533941.tif 000024
【図２３】
2009533941.tif 000025
【図２４】
2009533941.tif 000026
【図２５】
2009533941.tif 000027
【図２６】
2009533941.tif 000028
【図２７】
2009533941.tif 000029
【図２８】
2009533941.tif 000030
【図２９】
2009533941.tif 000031
【図３０】
2009533941.tif 000032
【図３１】
2009533941.tif 000033
【図３２】
2009533941.tif 000034
【図３３】
2009533941.tif 000035
【図３４】
2009533941.tif 000036
【図３５】
2009533941.tif 000037
【図３６】
2009533941.tif 000038
【図３７】
2009533941.tif 000039
【図３８】
2009533941.tif 000040
【図３９】
2009533941.tif 000041
【図４０】
2009533941.tif 000042
【図４１】
2009533941.tif 000043
【図４２】
2009533941.tif 000044
【図４３】
2009533941.tif 000045
【図４４】
2009533941.tif 000046
【図４５】
2009533941.tif 000047
【図４６】
2009533941.tif 000048
【図４７】
2009533941.tif 000049
【図４８】
2009533941.tif 000050
【図４９】
2009533941.tif 000051
【図５０】
2009533941.tif 000052
【図５１】
2009533941.tif 000053
【図５２】
2009533941.tif 000054
【図５３】
2009533941.tif 000055
【図５４】
2009533941.tif 000056
【図５５】
2009533941.tif 000057
【図５６】
2009533941.tif 000058
【図５７】
2009533941.tif 000059
【図５８】
2009533941.tif 000060
【図５９】
2009533941.tif 000061
【図６０】
2009533941.tif 000062
【図６１】
2009533941.tif 000063
【図６２】
2009533941.tif 000064
【図６３】
2009533941.tif 000065
【図６４】
2009533941.tif 000066
【図６５】
2009533941.tif 000067
【図６６】
2009533941.tif 000068
【図６７】
2009533941.tif 000069
【図６８】
2009533941.tif 000070
【図６９】
2009533941.tif 000071
【図７０】
2009533941.tif 000072
【図７１】
2009533941.tif 000073
【図７２】
2009533941.tif 000074
【図７３】
2009533941.tif 000075
【図７４】
2009533941.tif 000076
【図７５】
2009533941.tif 000077
【図７６】
2009533941.tif 000078
【図７７】
2009533941.tif 000079
【図７８】
2009533941.tif 000080
【図７９】
2009533941.tif 000081
【図８０】
2009533941.tif 000082
【図８１】
2009533941.tif 000083
【図８２】
2009533941.tif 000084
【図８３】
2009533941.tif 000085
【図８４】
2009533941.tif 000086
【図８５】
2009533941.tif 000087
【図８６】
2009533941.tif 000088
【図８７】
2009533941.tif 000089
【図８８】
2009533941.tif 000090
【図８９】
2009533941.tif 000091
【図９０】
2009533941.tif 000092
【図９１】
2009533941.tif 000093
【手続補正書】
【提出日】平成20年11月7日(2008.11.7)
【手続補正１】
【補正対象書類名】特許請求の範囲
【補正対象項目名】全文
【補正方法】変更
【補正の内容】
【特許請求の範囲】
【請求項１】
無線ＭＩＭＯ（Ｍｕｌｔｉｐｌｅ−Ｉｎｐｕｔ  Ｍｕｌｔｉｐｌｅ−Ｏｕｔｐｕｔ）通信システムにおいて、周波数領域で複数個の副搬送波にわたり伝送される時間領域で複数個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含むサブフレームに対する基準信号を割り当てる方法において、
第１のＯＦＤＭシンボルに第１のアンテナに対する複数個の第１の基準信号を割り当てる段階；
上記第１のＯＦＤＭシンボルに第２のアンテナに対する複数個の第２の基準信号を割り当てる段階；
上記第１のＯＦＤＭシンボルと隣接する第２のＯＦＤＭシンボルに、第３のアンテナに対する複数個の第３の基準信号を割り当てる段階；及び、
上記第２のＯＦＤＭシンボルに第４のアンテナに対する複数個の第４の基準信号を割り当てる段階を含み、
上記複数個の第１の基準信号と上記複数個の第２の基準信号は隣接せず、且つ重複せず、
上記複数個の第３の基準信号と上記複数個の第４の基準信号は隣接せず、且つ重複せず、
上記複数個の第１、第２、第３及び第４の基準信号の各々は周波数領域で一定間隔に割り当てられる方法。
【請求項２】
請求項１において、
上記複数の第１、第２、第３及び第４の基準信号のうち少なくとも２つは上記サブフレームで異なる密度を有する方法。
【請求項３】
請求項１において、
上記複数個の第３の基準信号の周波数領域における位置は、上記複数個の第１の基準信号の位置と同一であり、上記複数個の第４の基準信号の周波数領域における位置は、上記複数個の第２の基準信号の位置と同じ方法。
【請求項４】
請求項１において、
上記複数個の第４の基準信号の周波数領域における位置は、上記複数個の第１の基準信号の位置と同一であり、上記複数個の第３の基準信号の周波数領域における位置は上記複数個の第２の基準信号の位置と同じ方法。
【請求項５】
請求項１において、
上記第１の基準信号と同一間隔に、第３のＯＦＤＭシンボルに上記第１のアンテナに対する複数個の追加的な第１の基準信号を割り当てる段階；及び、
上記第２の基準信号と同一間隔に、上記第３のＯＦＤＭシンボルに上記第２のアンテナに対する複数個の追加的な第２の基準信号を割り当てる段階をさらに含み、
上記第３のＯＦＤＭシンボルは上記第１または第２のＯＦＤＭシンボルと隣接せず、
上記複数個の追加的な第１の基準信号と上記複数個の追加的な第２の基準信号は隣接せず、且つ重複しない方法。
【請求項６】
請求項５において、
上記第１の基準信号と同一間隔に、第４のＯＦＤＭシンボルに上記第１のアンテナに対する複数個の追加的な第１の基準信号を割り当てる段階；及び、
上記第２の基準信号と同一間隔に、上記第４のＯＦＤＭシンボルに上記第２のアンテナに対する複数個の追加的な第２の基準信号を割り当てる段階をさらに含み、
上記第４のＯＦＤＭシンボルは上記第１、第２または第３のＯＦＤＭシンボルのうちいずれか一つとも隣接せず、
上記複数個の追加的な第１の基準信号と上記複数個の追加的な第２の基準信号は隣接せず、且つ重複しない方法。
【請求項７】
請求項６において、
上記第１、第３及び第４のＯＦＤＭシンボルの各々は２つの連続された第１の基準信号の所定間隔の半と同一である以前または以後のＯＦＤＭシンボルと比較して周波数領域でオフセットを有する方法。
【請求項８】
請求項６において、
上記第３の基準信号と同一間隔に、第５のＯＦＤＭシンボルに上記第３のアンテナに対する複数個の追加的な第３の基準信号を割り当てる段階；及び、
上記第４の基準信号と同一間隔に、上記第５のＯＦＤＭシンボルに上記第４のアンテナに対する複数個の追加的な第４の基準信号を割り当てる段階をさらに含み、
上記第５のＯＦＤＭシンボルは、上記第１、第２または第３のＯＦＤＭシンボルのうちいずれか一つとも隣接せず、上記第４のＯＦＤＭシンボルとは隣接し、
上記複数個の追加的な第３の基準信号と上記複数個の追加的な第４の基準信号は隣接せず、且つ重複しない方法。
【請求項９】
請求項８において、
上記第２及び第５のＯＦＤＭシンボルは、２つの連続された第３の基準信号の所定間隔の半と同じ周波数領域でオフセットを有する方法。
【請求項１０】
請求項１において、
上記第１のＯＦＤＭシンボルは少なくとも２つのＯＦＤＭシンボルを含むＴＴＩ（Ｔｒａｎｓｍｉｓｓｉｏｎ  Ｔｉｍｅ  Ｉｎｔｅｒｖａｌ）の開始に隣接する方法。
【請求項１１】
請求項１０において、
他のアンテナに対する基準信号と重複するように、１つのアンテナに対するナル（ｎｕｌｌ）シンボルを配置する段階をさらに含む方法。
【手続補正２】
【補正対象書類名】明細書
【補正対象項目名】全文
【補正方法】変更
【補正の内容】
【発明の詳細な説明】
【技術分野】
【０００１】
本発明は、無線通信に関し、より詳しくは、ＭＩＭＯ（Ｍｕｌｔｉｐｌｅ−Ｉｎｐｕｔ  Ｍｕｌｔｉｐｌｅ−Ｏｕｔｐｕｔ）アンテナシステムにおいて基準信号を割り当てる方法に関する。
【背景技術】
【０００２】
ＭＩＭＯ（Ｍｕｌｔｉｐｌｅ  Ｉｎｐｕｔ  Ｍｕｌｔｉｐｌｅ  Ｏｕｔｐｕｔ）システムとは、多重送信アンテナと多重受信アンテナとを用いてデータの通信効率を向上させるシステムをいう。ＭＩＭＯシステムは、空間多重化（Ｓｐａｔｉａｌ  ｍｕｌｔｉｐｌｅｘｉｎｇ）と空間ダイバーシティ（Ｓｐａｔｉａｌ  ｄｉｖｅｒｓｉｔｙ）のようなＭＩＭＯ方式を用いて具現される。空間多重化技法は、多重の送信アンテナを介して相異のデータを同時に伝送することによってシステムの帯域幅を増加させることなく、高速にデータを伝送できる。空間ダイバーシティ技術は、多重の送信アンテナで同じデータを伝送して送信ダイバーシティを得ることができる。
【０００３】
受信機は送信機から伝送されたデータを復元するためにチャネルを推定する。チャネル推定とは、フェーディング（Ｆａｄｉｎｇ）による急激な環境変化によって生じる信号の歪曲を補償して伝送信号を復元する過程をいう。一般的に、チャネル推定のためには、送信機及び受信機が相互知っている基準信号（Ｒｅｆｅｒｅｎｃｅ  ｓｉｇｎａｌ）を用いてチャネル推定を遂行するようになる。
【０００４】
上記基準信号は、全体周波数領域に割り当てられる方式と各々の周波数領域間に割り当てられる方式がある。全体周波数領域に割り当てられる方式の基準信号は、各々の周波数領域間に割り当てられる方式の基準信号より密度が高い。従って、全体周波数領域に基準信号が割り当てられる場合、チャネル推定がさらに精密に遂行されることができる。一方、各々の周波数領域間に基準信号が割り当てられる場合、全体周波数領域に基準信号が割り当てられる場合に比べてデータの伝送量を増大させることができる。各々の周波数領域間に基準信号を割り当てる方式を用いる場合、基準信号の密度が減少するため、チャネル推定性能の劣化が発生できる。
【０００５】
ＭＩＭＯシステムにおいては、多重チャネルが各送信アンテナに対して独立的に提供される。従って、基準信号は多重チャネルを考慮して割り当てられる必要がある。さらに、ＭＩＭＯシステムは、ランク（ｒａｎｋ）に応じてシングルコードワード及び多重コードワードモードで動作できる。基準信号の数は、送信アンテナの数の増加に応じて増加できる。これはデータ伝送率を減少させることができる。
【０００６】
従って、多重アンテナを考慮した効果的な基準信号割当技術が必要である。
【発明の開示】
【発明が解決しようとする課題】
【０００７】
本発明は、無線通信上の多重入力多重出力（ＭＩＭＯ）アンテナシステムにおいて基準信号を割り当てる方法を提供する。
【課題を解決するための手段】
【０００８】
本発明によると、無線ＭＩＭＯ（Ｍｕｌｔｉｐｌｅ−Ｉｎｐｕｔ  Ｍｕｌｔｉｐｌｅ−Ｏｕｔｐｕｔ）通信システムにおいて、時間領域で複数個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、周波数領域で複数個の副搬送波を含むサブフレームに対する基準信号を割り当てる方法は、周波数領域で一定間隔に、第１のアンテナに対するサブフレーム上の第１のＯＦＤＭシンボルに、第１のアンテナに対する複数個の第１の基準信号を割り当てる段階；周波数領域で一定間隔に、上記第２のアンテナに対するサブフレーム上の第１のＯＦＤＭシンボルに、第２のアンテナに対する複数個の第２の基準信号を、上記複数個の第１の基準信号と重複しないように割り当てる段階；周波数領域で一定間隔に、上記第１のＯＦＤＭシンボルと隣接する第３のアンテナに対するサブフレーム上の第２のＯＦＤＭシンボルに、第３のアンテナに対する複数個の第３の基準信号を割り当てる段階；及び、第４のアンテナに対するサブフレーム上の上記第２のＯＦＤＭシンボルに、第４のアンテナに対する複数個の第４の基準信号を、上記複数個の第３の基準信号と重複しないように割り当てる段階を含む。
【０００９】
また、無線通信システムにおける基準信号配置方法において、複数個のアンテナに対する複数個のサブフレームを準備する段階；−ここで、１つのサブフレームは、時間領域で複数個のＯＦＤＭシンボルを含み、周波数領域で複数個の副搬送波を含む−１つのサブフレームに対する基準信号を配置する段階；及び、隣接するＯＦＤＭシンボルまたは隣接する副搬送波に連続的に割り当てられる他のサブフレームに対する基準信号を、隣接するＯＦＤＭシンボルまたは隣接する副搬送波に連続的に割り当てられる上記１つのサブフレームに対する基準信号と重複しないように配置する段階を含む。
【００１０】
また、本発明によると、無線通信システムにおいて基準信号配置方法は、専用信号に対する複数個の基準信号を配置する段階；及び、周波数領域で多重使用者信号に対する複数個の基準信号の間隔が、上記専用信号に対する複数個の基準信号の間隔より短いように、上記多重使用者信号に対する複数個の基準信号を配置する段階を含む。
【００１１】
また、本発明によると、無線ＭＩＭＯ通信システム基盤のＯＦＤＭ装置は、複数個の送信アンテナ；連続的に隣接するＯＦＤＭシンボルまたは隣接する副搬送波に複数個の基準信号のうち少なくとも２つの基準信号が配置され、複数個の送信アンテナに対する複数個の基準信号を相互重複しないように割り当てる副搬送波アロケータ；及び、上記複数個の基準信号を変調するＯＦＤＭ変調器を含む。
【００１２】
また、本発明によると、無線ＭＩＭＯ通信システム基盤のＯＦＤＭ装置は、少なくとも１つの受信アンテナ；及び、相互重複せず、複数個の基準信号のうち少なくとも２つの基準信号は、連続的に隣接するＯＦＤＭシンボルまたは隣接する副搬送波に配置される複数個の送信アンテナに対する複数個の基準信号を用いてチャネルを推定するチャネル推定器を含む。
【００１３】
また、本発明によると、ＯＦＤＭ基盤の無線通信システムにおけるチャネル推定のための情報提供基準信号の構造は、上記基準信号の構造は相互重複しない複数個のアンテナに対する複数個の基準信号を含み、複数個の基準信号のうち少なくとも２つの基準信号は隣接するＯＦＤＭシンボルまたは隣接する副搬送波に連続的に配置される。
（項目１）
無線ＭＩＭＯ（Ｍｕｌｔｉｐｌｅ−Ｉｎｐｕｔ  Ｍｕｌｔｉｐｌｅ−Ｏｕｔｐｕｔ）通信システムにおいて、時間領域で複数個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、周波数領域で複数個の副搬送波を含むサブフレームに対する基準信号を割り当てる方法において、
周波数領域で一定間隔に、第１のアンテナに対するサブフレーム上の第１のＯＦＤＭシンボルに、第１のアンテナに対する複数個の第１の基準信号を割り当てる段階；
周波数領域で一定間隔に、上記第２のアンテナに対するサブフレーム上の第１のＯＦＤＭシンボルに、第２のアンテナに対する複数個の第２の基準信号を、上記複数個の第１の基準信号と重複しないように割り当てる段階；
周波数領域で一定間隔に、上記第１のＯＦＤＭシンボルと隣接する第３のアンテナに対するサブフレーム上の第２のＯＦＤＭシンボルに、第３のアンテナに対する複数個の第３の基準信号を割り当てる段階；及び、
第４のアンテナに対するサブフレーム上の上記第２のＯＦＤＭシンボルに、第４のアンテナに対する複数個の第４の基準信号を、上記複数個の第３の基準信号と重複しないように割り当てる段階を含む基準信号割当方法。
（項目２）
項目１において、
周波数領域で、上記複数個の第１の基準信号、上記複数個の第２の基準信号、上記複数個の第３の基準信号及び上記複数個の第１の基準信号の間隔は同じであることを特徴とする基準信号割当方法。
（項目３）
項目１において、
周波数領域で、上記複数個の第３の基準信号の位置は複数個の第１の基準信号の位置と同一であり、周波数領域で、上記複数個の第４の基準信号の位置は複数個の第２の基準信号の位置と同じであることを特徴とする基準信号割当方法。
（項目４）
項目１において、
周波数領域で、上記複数個の第４の基準信号の位置は複数個の第１の基準信号の位置と同一であり、周波数領域で、上記複数個の第３の基準信号の位置は複数個の第２の基準信号の位置と同じであることを特徴とする基準信号割当方法。
（項目５）
項目１において、
上記第１のＯＦＤＭシンボル及び第２のＯＦＤＭシンボルと隣接しない第１のアンテナに対するサブフレーム上の第３のＯＦＤＭシンボルに、上記複数個の第１の基準信号と同一間隔に、第１のアンテナに対する複数個の追加第１の基準信号を割り当てる段階；及び、
第２のアンテナに対するサブフレーム上の第３のＯＦＤＭシンボルに、上記複数個の第２の基準信号と同一間隔に、第２のアンテナに対する複数個の追加第２の基準信号を上記複数個の追加第１の基準信号と重複しないように割り当てる段階をさらに含むことを特徴とする基準信号割当方法。
（項目６）
項目５において、
周波数領域で、上記複数個の追加第１の基準信号の位置は複数個の追加第２の基準信号の位置と同一であり、周波数領域で、上記複数個の追加第２の基準信号の位置は複数個の第１の基準信号の位置と同じであることを特徴とする基準信号割当方法。
（項目７）
項目５において、
上記第１のＯＦＤＭシンボル及び第２のＯＦＤＭシンボルと隣接せず、上記第３のＯＦＤＭシンボルと隣接する、第３のアンテナに対するサブフレーム上の第４のＯＦＤＭシンボルに、周波数領域で上記複数個の第３の基準信号と同一間隔に、第３のアンテナに対する複数個の追加第３の基準信号を割り当てる段階；及び、
第４のアンテナに対するサブフレーム上の第４のＯＦＤＭシンボルに、周波数領域で上記複数個の第４の基準信号と同一間隔に、第４のアンテナに対する複数個の追加第４の基準信号を上記複数個の第３の追加基準信号と重複しないように割り当てる段階をさらに含むことを特徴とする基準信号割当方法。
（項目８）
項目７において、
周波数領域で、上記複数個の追加第１の基準信号の位置は複数個の追加第２の基準信号の位置と同一であり、周波数領域で、上記複数個の追加第２の基準信号の位置は複数個の第１の基準信号の位置と同じであることを特徴とする基準信号割当方法。
（項目９）
項目７において、
周波数領域で、上記複数個の追加第３の基準信号の位置は複数個の第４の基準信号の位置と同一であり、周波数領域で、上記複数個の追加第４の基準信号の位置は複数個の第３の基準信号の位置と同じであることを特徴とする基準信号割当方法。
（項目１０）
項目１において、
上記第１のＯＦＤＭシンボル及び第２のＯＦＤＭシンボルと隣接しない第３のアンテナに対するサブフレーム上の第３のＯＦＤＭシンボルに、周波数領域で、上記複数個の第３の基準信号と同一間隔に、第３のアンテナに対する複数個の追加第３の基準信号を割り当てる段階；及び、
第４のアンテナに対するサブフレーム上の第３のＯＦＤＭシンボルに、周波数領域で、上記複数個の第４の基準信号と同一間隔に、第４のアンテナに対する複数個の追加第４の基準信号を上記複数個の第３の追加基準信号と重複しないように割り当てる段階をさらに含むことを特徴とする基準信号割当方法。
（項目１１）
項目１０において、
周波数領域で、上記複数個の追加第３の基準信号の位置は複数個の第４の基準信号の位置と同一であり、周波数領域で、上記複数個の追加第４の基準信号の位置は複数個の第３の基準信号の位置と同じであることを特徴とする基準信号割当方法。
（項目１２）
項目１において、
上記第１のＯＦＤＭシンボルは、
少なくとも２つのＯＦＤＭシンボルを含む送信時間間隔（ＴＴＩ：Ｔｒａｎｓｍｉｓｓｉｏｎ  Ｔｉｍｅ  Ｉｎｔｅｒｖａｌ）の開始に近接することを特徴とする基準信号割当方法。
（項目１３）
項目１において、
上記第１のＯＦＤＭシンボルまたは第２のＯＦＤＭシンボルと隣接する第３のＯＦＤＭシンボルに、多重使用者信号に対する複数個の基準信号を割り当てる段階をさらに含むことを特徴とする基準信号割当方法。
（項目１４）
無線通信システムにおける基準信号配置方法において、
複数個のアンテナに対する複数個のサブフレームを準備する段階；−ここで、１つのサブフレームは、時間領域で複数個のＯＦＤＭシンボルを含み、周波数領域で複数個の副搬送波を含む−
１つのサブフレームに対する基準信号を配置する段階；及び、
隣接するＯＦＤＭシンボルまたは隣接する副搬送波に連続的に割り当てられる他のサブフレームに対する基準信号を、隣接するＯＦＤＭシンボルまたは隣接する副搬送波に連続的に割り当てられる上記１つのサブフレームに対する基準信号と重複しないように配置する段階を含む基準信号配置方法。
（項目１５）
項目１４において、
上記１つのサブフレームに対する基準信号と重複するように他のサブフレームに対するナル（ｎｕｌｌ）シンボルを配置する段階をさらに含むことを特徴とする基準信号配置方法。
（項目１６）
項目１４において、
上記他のサブフレームに対する基準信号と重複するように、１つのサブフレームに対するナル（ｎｕｌｌ）シンボルを配置する段階をさらに含むことを特徴とする基準信号配置方法。
（項目１７）
無線通信システムにおける基準信号配置方法において、
専用信号に対する複数個の基準信号を配置する段階；及び、
周波数領域で多重使用者信号に対する複数個の基準信号の間隔が、上記専用信号に対する複数個の基準信号の間隔より短いように、上記多重使用者信号に対する複数個の基準信号を配置する段階を含む基準信号割当方法。
（項目１８）
無線ＭＩＭＯ通信システム基盤のＯＦＤＭ装置において、
複数個の送信アンテナ；
連続的に隣接するＯＦＤＭシンボルまたは隣接する副搬送波に複数個の基準信号のうち少なくとも２つの基準信号が配置され、複数個の送信アンテナに対する複数個の基準信号を相互重複しないように割り当てる副搬送波アロケータ；及び、
上記複数個の基準信号を変調するＯＦＤＭ変調器を含むＯＦＤＭ装置。
（項目１９）
無線ＭＩＭＯ通信システム基盤のＯＦＤＭ装置において、
少なくとも１つの受信アンテナ；及び、
相互重複せず、複数個の基準信号のうち少なくとも２つの基準信号は、連続的に隣接するＯＦＤＭシンボルまたは隣接する副搬送波に配置される複数個の送信アンテナに対する複数個の基準信号を用いてチャネルを推定するチャネル推定器を含むＯＦＤＭ装置。
（項目２０）
ＯＦＤＭ基盤の無線通信システムにおけるチャネル推定のための情報提供基準信号の構造において、
上記基準信号の構造は相互重複しない複数個のアンテナに対する複数個の基準信号を含み、複数個の基準信号のうち少なくとも２つの基準信号は隣接するＯＦＤＭシンボルまたは隣接する副搬送波に連続的に配置される基準信号の構造。
【発明の効果】
【００１４】
本発明による基準信号配置方法は、チャネル推定またはデータ復調に対する性能劣化を防止できる。
【発明を実施するための最良の形態】
【００１５】
本発明の追加的な特徴や長所は、以下の詳細な説明から記述される。以下の一般的な説明と本発明の詳細な説明は例示的に説明のためのものであり、本発明を特許請求範囲に提供するためである。
【００１６】
以下に開示される技術は多様な通信システムに用いられることができる。上記通信システムは音声、パケットデータなどのような多様な通信サービスに提供されることができる。上記技術は下向きリンク（ｄｏｗｎｌｉｎｋ）または上向きリンク（ｕｐｌｉｎｋ）に用いられることができる。一般的に、下向きリンクは基地局（ＢＳ：Ｂａｓｅ  Ｓｔａｔｉｏｎ）から使用者端末（ＵＥ：Ｕｓｅｒ  Ｅｑｕｉｐｍｅｎｔ）への通信を意味し、上向きリンクはＵＥからＢＳへの通信を意味する。上記ＢＳは、一般的にＵＳと通信する固定局（ｆｉｘｅｄ  ｓｔａｔｉｏｎ）であって、ノード−Ｂ（ｎｏｄｅ−Ｂ）、ＢＴＳ（Ｂａｓｅ  Ｔｒａｎｓｃｅｉｖｅｒ  Ｓｙｓｔｅｍ）及びアクセスポイント（ａｃｃｅｓｓ  ｐｏｉｎｔ）のような他の技術用語とも呼ばれることができる。上記ＵＥは、固定されたり移動性を有することができ、ＭＳ（Ｍｏｂｉｌｅ  Ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）及び無線端末のような他の技術用語とも呼ばれることができる。
【００１７】
通信システムは、ＭＩＭＯ（Ｍｕｔｉｐｌｅ−Ｉｎｐｕｔ  Ｍｕｌｔｉｐｌｅ−Ｏｕｔｐｕｔ）システムであってもよく、ＭＩＳＯ（Ｍｕｔｉｐｌｅ−Ｉｎｐｕｔ  Ｓｉｎｇｌｅ−Ｏｕｔｐｕｔ）システムであってもよい。上記ＭＩＭＯシステムは複数個の送信アンテナ及び複数個の受信アンテナを含む。上記ＭＩＳＯシステムは複数個の送信アンテナ及び１つの受信アンテナを含む。
【００１８】
多重接続復調方式には制限がない。上記多重接続変調方式はよく知らされているＴＤＭＡ、ＦＤＭＡ、ＣＤＭＡ、ＳＣ−ＦＤＭＡなどの単一搬送波変調方式またはＯＦＭＡなどの多重搬送波変調方式であってもよい。
【００１９】
受信機で効果的にチャネル推定をするために、送信アンテナで伝送する基準信号の割当には次のような要件が必要である。
【００２０】
第一に、基準信号は、受信機がチャネル推定に用いるため、受信機が送信アンテナで伝送される基準信号を区分できるように割り当てられなければならない。基準信号は各送信アンテナ別に時間及び／または周波数領域で重複しないように割り当てて、受信機が基準信号を区分するようにすることができる。または、時間及び／または周波数領域で基準信号が重複しても、コード領域で直交性（ｏｒｔｈｏｇｏｎａｌｉｔｙ）を与えることができる。このために、基準信号は自己相関や相互相関特性に優れた直交コードを用いることができる。例えば、直交コードとしては、ＣＡＺＡＣ（Ｃｏｎｓｔａｎｔ  Ａｍｐｌｉｔｕｄｅ  Ｚｅｒｏ  Ａｕｔｏ−Ｃｏｒｒｅｌａｔｉｏｎ）シークエンス、ウォルシュ（Ｗａｌｓｈ）コードなどを用いることができる。
【００２１】
第二に、基準信号の位置する領域では、チャネル変化が無視する程度に小さくなければならない。基準信号周辺のデータに対しては、基準信号の位置する領域におけるチャネルを用いてデコーディングするようになる。基準信号の割り当てられた領域において、チャネル変化が大きくなればチャネル推定の誤差が大きくなることができる。
【００２２】
本実施例において、基準信号は時間上にまたは副搬送波上に特定の間隔ほど移動することができる。即ち、各々の受信アンテナに対する各サブフレームに対して基準信号の間隔は維持され、且つ全体的に一定の時間間隔または／及び副搬送波間隔ほど移動（ｓｈｉｆｔｉｎｇ）させることができる。
【００２３】
上記基準信号は使用者または多重使用者信号に対する基準信号であってもよい。上記多重使用者信号はブロードキャスト（ｂｒｏａｄｃａｓｔ）信号及び／またはマルチキャスト（ｍｕｌｔｉｃａｓｔ）信号であってもよい。上記ブロードキャスト信号は特定地域（例えば、セル及び／またはセクタ）内に送られることができる。上記マルチキャスト信号は特定集団の使用者に送られることができる。ユニキャスト（ｕｎｉｃａｓｔ）信号は特定使用者に送られることができる。多重使用者信号の一例として、ＭＢＭＳ（Ｍｏｂｉｌｅ  Ｂｒｏａｄｃａｓｔ／Ｍｕｌｔｉｃａｓｔ  Ｓｅｒｖｉｃｅ）信号がある。上記ＭＢＭＳ信号は、伝送時、同じ信号が全てのセル（または基地局）に伝送される。
【００２４】
以下、４つの送信アンテナを含むＭＩＭＯシステムにおいて、基準信号割当を例を挙げて説明する。上記基準信号は、次の法則によって割り当てられることができる。第一に、サブフレームで第１及び第２のアンテナに対する基準信号の数は第３及び第４のアンテナに対する基準信号の数より多い。第二に、サブフレームで全体基準信号が占める比率は既設定された値である。第三に、各送信アンテナに対する基準信号は相互重複しない。
【００２５】
サブフレームは、時間領域で複数個のＯＦＤＭシンボルを含み、周波数領域で複数個の副搬送波を含む。上記サブフレームは各送信アンテナに定義された資源グリッド（ｇｒｉｄ）である。伝送時間間隔（ＴＴＩ：Ｔｒａｎｓｍｉｓｓｉｏｎ  Ｔｉｍｅ  Ｉｎｔｅｒｖａｌ）は、１つのサブフレームの伝送に必要な時間であると定義できる。フレームは複数個のサブフレームを含むことができる。例えば、１つのフレームは１０つのサブフレームを含むことができる。
【００２６】
上記サブフレームは、２つの領域、即ち、制御チャネル及びデータチャネルに分けられることができる。制御チャネルは制御データを有している領域である。データチャネルは使用者データを有している領域である。例えば、第１、第２及び第３のＯＦＤＭシンボルは制御チャネルに割り当てられ、残りのシンボルはデータチャネルに割り当てられることができる。たとえ、制御チャネルに対するＯＦＤＭシンボルの数が制御チャネルに対するＯＦＤＭシンボルの数より少ないとしても、制御チャネルの信頼性はデータチャネルの信頼性より高い。多重アンテナの一部は制御チャネルの送信のために割り当てられることができる。第１及び第２のアンテナは制御チャネルのために用いられることができる。このような場合、第３及び第４のアンテナは制御チャネルに用いられないため、上記第３及び第４のアンテナの基準信号は制御チャネルに対するＯＦＤＭシンボルに割り当てられなくてもよい。
【００２７】
図１は、多重アンテナを有する送信機を示すブロック図である。
【００２８】
図１を参照すると、送信機（１００）は、チャネルインコーダ（１２０）、マッパ（１３０）、ＭＩＭＯ処理器（１４０）、副搬送波アロケータ（１５０）及びＯＦＤＭ変調器（１６０）を含むことができる。チャネルインコーダ（１２０）は、入力されるストリームを、決められたコーディング方式によってインコーディングして符号化されたデータ（Ｃｏｄｅｄ  ｗｏｒｄ）を形成する。マッパ（１３０）は符号化されたデータを信号性状（Ｓｉｇｎａｌ  ｃｏｎｓｔｅｌｌａｔｉｏｎ）上の位置を表現するシンボルでマッピングする。変調方式（Ｍｏｄｕｌａｔｉｏｎ  ｓｃｈｅｍｅ）には制限がなく、ｍ−ＰＳＫ（ｍ−Ｐｈａｓｅ  Ｓｈｉｆｔ  Ｋｅｙｉｎｇ）またはｍ−ＱＡＭ（ｍ−Ｑｕａｄｒａｔｕｒｅ  Ａｍｐｌｉｔｕｄｅ  Ｍｏｄｕｌａｔｉｏｎ）であってもよい。例えば、ｍ−ＰＳＫはＢＰＳＫ、ＱＰＳＫまたは８−ＰＳＫであってもよい。ｍ−ＱＡＭは１６−ＱＡＭ、６４−ＱＡＭまたは２５６−ＱＡＭであってもよい。ＭＩＭＯ処理器（１４０）はマッピングされたシンボルを多重送信アンテナ（１９０−１、．．．  、１９０−Ｎｔ）によるＭＩＭＯ方式で処理する（ここで、Ｎｔ＞１）。例えば、ＭＩＭＯ処理器（１４０）はコードブック（ｃｏｄｅｂｏｏｋ）基盤のフリーコーディングを利用できる。
【００２９】
副搬送波アロケータ（１５０）は、入力シンボルと基準信号を副搬送波に割り当てる。上記基準信号は、各々の多重送信アンテナ（１９０−１、．．．  、１９０−Ｎｔ）に割り当てられる。このように割り当てられた上記基準信号をパイロット（ｐｉｌｏｔ）といい、これはチャネル推定またはデータ復調に用いられ、送信機（１００）及び図２の受信機（２００）を介して分かる。ＯＦＤＭ変調器（１６０）は入力シンボルをＯＦＤＭ変調してＯＦＤＭシンボルを出力する。ＯＦＤＭ変調器（１６０）は入力シンボルに対してＩＦＦＴ（Ｉｎｖｅｒｓｅ  ｆａｓｔ  Ｆｏｕｒｉｅｒ  ｔｒａｎｓｆｏｒｍ）を遂行することができ、ＩＦＦＴを遂行した後、ＣＰ（Ｃｙｃｌｉｃ  ｐｒｅｆｉｘ）をさらに挿入できる。ＯＦＤＭシンボルは各送信アンテナ（１９０−１、．．．  、１９０−Ｎｔ）を介し送信される。
【００３０】
図２は、多重アンテナを有する受信機を示すブロック図である。
【００３１】
図２を参照すると、受信機（２００）は、ＯＦＤＭ復調器（２１０）、チャネル推定器（２２０）、ＭＩＭＯ後処理器（２３０）、ジマッパ（２４０）及びチャネルデコーダ（２５０）を含むことができる。受信アンテナ（２９０−１、．．．  、２９０−Ｎｒ）から受信された信号はＯＦＤＭ復調器（２１０）によってＦＦＴ（ｆａｓｔ  Ｆｏｕｒｉｅｒ  ｔｒａｎｓｆｏｒｍ）が遂行される。チャネル推定器（２２０）は基準信号を用いてチャネルを推定する。ＭＩＭＯ後処理器（２３０）はＭＩＭＯ処理器（１４０）に対応する後処理を遂行する。ジマッパ（２４０）は入力シンボルを符号化されたデータでジマッピングする。チャネルデコーダ（２５０）は符号化されたデータをデコーディングして元来データを復元する。
【００３２】
以下、基準信号割当に対して説明する。
【００３３】
図３は、２つの送信アンテナを用いて基準信号を割り当てる一例を示す。一般的にＯＦＤＭ復調方式によると、各々の送信アンテナはサブフレーム単位でデータを伝送できる。例えば、図３に示したように、サブフレームは７つのＯＦＤＭシンボルを含み、１つのサブフレームは０．５ｍｓｅｃ伝送時間間隔（ＴＴＩ：Ｔｒａｎｓｍｉｓｓｉｏｎ  ｔｉｍｅ  ｉｎｔｅｒｖａｌ）を有することができる。然しながら、本発明はここに限定されることではなく、上記サブフレーム及びＴＴＩは多様な形態で具現されることができる。
【００３４】
図３を参照すると、基準信号は各々第１のアンテナのサブフレーム及び第２のアンテナのサブフレームに割り当てられる。‘Ｄ’で表示された部分はデータを載せた  データシンボルであり、‘Ｒ１’は第１のアンテナに割り当てられた第１の基準信号であり、‘Ｒ２’は第２のアンテナに割り当てられた第２の基準信号である。第１の基準信号（Ｒ１）と第２の基準信号（Ｒ２）は異なる基準信号であるが、同じ基準信号になってもよい。
【００３５】
サブフレームを構成する資源グリッド上の各要素は資源要素を表す。例えば、資源要素ｑ（ｋ、ｌ）はｋ番目のＯＦＤＭシンボル及びｌ番目の副搬送波に位置するのを表す。データシンボルＤ、第１の基準信号Ｒ１及び第２の基準信号Ｒ２は１つの資源要素に載せる。
【００３６】
第１のアンテナのサブフレームで、基準信号は、７つのＯＦＤＭシンボルにわたって割り当てられる。説明の便宜のために、以下、７つのＯＦＤＭシンボルは、ＴＴＩの開始から各々第１のＯＦＤＭシンボル、第２のＯＦＤＭシンボル、．．．  、第７のＯＦＤＭシンボルに該当することとする。
【００３７】
第１のＯＦＤＭシンボルでは６つの副搬送波ごとに第１の基準信号（Ｒ１）が割り当てられることができる。同様に、第５のＯＦＤＭシンボルでも６つの副搬送波ごとに第２の基準信号（Ｒ２）が割り当てられることができる。ただし、第５のＯＦＤＭシンボルで、第２の基準信号（Ｒ２）は、第１のＯＦＤＭシンボルに位置する第１の基準信号（Ｒ１）の位置を基準として３つの副搬送波ほど移動して（ｓｈｉｆｔｅｄ）位置する。サブフレームにおける繰り返される配列を見れば、第１のＯＦＤＭシンボルでは（Ｒ１、Ｄ、Ｄ、Ｄ、Ｄ、Ｄ）配列が繰り返され、第５のＯＦＤＭシンボルでは（Ｄ、Ｄ、Ｄ、Ｒ２、Ｄ、Ｄ）配列が繰り返される。
【００３８】
第２のアンテナでは第１のアンテナでと同じ基準信号位置を有する。第１のＯＦＤＭシンボルでは第１の基準信号（Ｒ１）が６つの副搬送波ごとに割り当てられ、第５のＯＦＤＭシンボルでは６つの副搬送波ごとに負の第２の基準信号（−Ｒ２）が割り当てられる。‘−Ｒ２’は第２の基準信号に対して符号を反対にした信号である。第５のＯＦＤＭシンボルにおける基準信号（−Ｒ２）は、第１のＯＦＤＭシンボルに位置する第１の基準信号（Ｒ１）から３つの副搬送波ほど移動させて割り当てられる。言い換えれば、第１のＯＦＤＭシンボルでは（Ｒ１、Ｄ、Ｄ、Ｄ、Ｄ、Ｄ）配列が繰り返され、第５のＯＦＤＭシンボルでは（Ｄ、Ｄ、Ｄ、−Ｒ２、Ｄ、Ｄ）配列が繰り返される。
【００３９】
第１及び第２のアンテナに対する基準信号の位置は同一であるため、受信機は各送信アンテナから伝送される基準信号を分離する必要がある。自己相関や相互相関特性に優れたＣＡＺＡＣシーケンスまたはウォルシュ（Ｗａｌｓｈ）コードなどの直交コードを用いて各送信アンテナから伝送される基準信号を認識できる。
【００４０】
図４は、４つの送信アンテナが用いられる時、基準信号割当を示す。基準信号は各々の送信アンテナに対する各サブフレームに割り当てられる。ここで、‘Ｎ’はナル（Ｎｕｌｌ）シンボル、‘Ｒ１’は第１の基準信号、‘Ｒ２’は第２の基準信号、‘Ｄ’はデータシンボルである。ナルシンボルはデータを載せないシンボルであると定義できる。ナルシンボルは、副搬送波に、データが割り当てられない時生成されたり、後にデータが割り当てられた副搬送波が穿孔（ｐｕｎｃｔｕｒｅｄ）される時生成されることができる。
【００４１】
第１のアンテナに対する基準信号は６つの副搬送波ごとに１つずつ割り当てられる。言い換えれば、基準信号は５つの副搬送波間に割り当てられる。このような５つの副搬送波は４つのデータシンボル及び１つのナル（Ｎｕｌｌ）シンボルを含むことができる。従って、第１のＯＦＤＭシンボルでは（Ｒ１、Ｄ、Ｄ、Ｎ、Ｄ、Ｄ）配列が繰り返される。ナルシンボルは、後述する第３及び第４のアンテナに対する基準信号が位置する資源要素に割り当てられる。第２、第３及び第４のＯＦＤＭシンボルでは基準信号が割り当てられず、データシンボルが割り当てられる。第５のＯＦＤＭシンボルでも６つの副搬送波ごとに１つの基準信号を割り当てることができる。第５のＯＦＤＭシンボルにおける基準信号は、第１のＯＦＤＭシンボルに対する基準信号を３つの副搬送波ほど移動させて位置する。第６及び第７のＯＦＤＭシンボルでは基準信号が割り当てられず、データシンボルが割り当てられる。
【００４２】
第２のアンテナにおける基準信号の割当は、第１のアンテナに対する基準信号割当と同じパターンを有する。第１及び第２のアンテナに対する基準信号は同じＯＦＤＭシンボル及び副搬送波に重複して割り当てられる。従って、第１のアンテナと第２のアンテナで各々基準信号を伝送する場合、受信機のアンテナでは２つの信号を同時に受信することができる。受信機では２つの信号を分離するために、自己相関や相互相関特性に優れた直交コードを用いることができる。受信機は、第１のアンテナで伝送された基準信号（Ｒ１、Ｒ２）と第２のアンテナで伝送された基準信号（Ｒ１、−Ｒ２）の直交性を用いて各アンテナから伝送された基準信号を分離できる。
【００４３】
第３のアンテナに対する基準信号割当は次の通りである。第１のＯＦＤＭシンボルでは６つの副搬送波ごとに基準信号Ｒ１が割り当てられる。同様に、第５のＯＦＤＭシンボルでも６つの副搬送波ごとに基準信号Ｒ２が割り当てられる。第５のＯＦＤＭシンボルにおける基準信号Ｒ２は、第１のＯＦＤＭシンボルの基準信号Ｒ１の位置から３つの副搬送波ごとに移動されて割り当てられる。従って、第１のＯＦＤＭシンボルでは（Ｎ、Ｄ、Ｄ、Ｒ１、Ｄ、Ｄ）配列が繰り返され、第５のＯＦＤＭシンボルでは（Ｒ２、Ｄ、Ｄ、Ｎ、Ｄ、Ｄ）配列が繰り返される。第４のアンテナに対する基準信号割当は第３のアンテナに対する基準信号割当と同じパターンを有する。第１及び第５のＯＦＤＭシンボルでは６つの副搬送波ごとに基準信号が割り当てられる。受信機は、第３及び第４のアンテナに対する基準信号が同じ副搬送波に重複して割り当てられても、自己相関及び相互相関特性に優れた直交性コードを用いて各アンテナから伝送された基準信号を分離できる。
【００４４】
上述した基準信号割当は一例であり、本発明はここに限定されることなく、時間上にまたは副搬送波上に一定の間隔ほど基準信号を移動させることができる。即ち、各々の受信アンテナに対する各サブフレームに対して基準信号は、基準信号の間隔は維持され、且つ全体的に一定の時間間隔または／及び副搬送波間隔ほど移動（ｓｈｉｆｔｉｎｇ）されることができる。基準信号を再割り当てることなく、基準信号を全体的に時間または副搬送波間隔に移動させることによって、多重セル（Ｃｅｌｌ）、多重セクタ（Ｓｅｃｔｏｒ）及び多重使用者などに対してチャネル推定をできる。
【００４５】
このように、サブフレームの倍数で時間が変化するに応じて、チャネル状況の変化を考慮して特定アンテナの基準信号の一部ないし全体を用いてもよく、又は用いなくてもよい。
【００４６】
上述した例は、基準信号が少なくても２つの受信アンテナが用いられる時相互重複する。重複した基準信号はコード領域で直交コードを介して直交性が維持される。
【００４７】
図５は、本発明の一実施例による基準信号の割当を示す。Ｒは基準信号を表し、資源要素の空欄はデータシンボルまたはナルシンボルを表す。
【００４８】
図５を参照すると、複数個の基準信号Ｒは、第３のＯＦＤＭシンボルで２つの副搬送波間隔に割り当てられる。また、複数個の基準信号Ｒは、第４のＯＦＤＭシンボルから３つのＯＦＤＭシンボルの大きさほど離れた第７のＯＦＤＭシンボルに２つの副搬送波間隔に割り当てられる。第３のＯＦＤＭシンボルと第７のＯＦＤＭシンボルに割り当てられる基準信号Ｒは相互交錯する（ｓｔａｇｇｅｒ）。また、複数個の基準信号Ｒは、第７のＯＦＤＭシンボルから４つのＯＦＤＭシンボルの大きさほど離れた第１１のＯＦＤＭシンボルに２つの副搬送波間隔に割り当てられる。
【００４９】
各々の基準信号Ｒは多重使用者信号に対する基準信号であることができる。ここで、多重使用者信号とは、ブロードキャスト（ｂｒｏａｄｃａｓｔ）信号及び／またはマルチキャスト（ｍｕｌｔｉｃａｓｔ）信号である。ブロードキャスト信号とは、特定領域（例えば、セル及び／またはセクタ）内の全ての使用者に送られるものをいい、マルチキャスト信号とは、使用者の特定グループに送られるものをいい、ユニキャスト信号とは、特定使用者に送られるものをいう。多重使用者信号の一例として、ＭＢＭＳ（Ｍｏｂｉｌｅ  Ｂｒｏａｄｃａｓｔ／Ｍｕｌｔｉｃａｓｔ  Ｓｅｒｖｉｃｅ）信号がある。ＭＢＭＳ信号伝送時、全てのセル（または基地局）に同じ信号が伝送される。従って、全ての基地局では同じ基準信号を用いる。
【００５０】
ＭＢＭＳ信号を用いる場合、基準信号Ｒは遅延拡散による周波数選択度を低くするために狭い間隔に位置できる。また、基準信号は時間選択度を最小化するために時間軸に比較的ぎっしり割り当てられることができる。
【００５１】
ＣＤＤ（Ｃｙｃｌｉｃ  Ｄｅｌａｙ  Ｄｉｖｅｒｓｉｔｙ）及びビーム−フォーミング（Ｂｅａｍ−ｆｏｒｍｉｎｇ）のようなＭＩＭＯ技術によると、ＵＥは基準信号を１つの送信アンテナを介して受信するため、ＢＳが各々の送信アンテナに対する基準信号を区分して伝送する必要はない。
【００５２】
図６は、本発明の他の実施例による基準信号の割当を示す。
【００５３】
図６を参照すると、基準信号Ｒは図５の実施例でより相対的に広く割り当てられる。これは周波数選択度が相対的に低い時、または副搬送波の帯域幅が相対的に少ない時、利得がある。上記副搬送波の帯域幅は図５における副搬送波の帯域幅の半分であってもよい。
【００５４】
図７は、多重使用者信号に対する基準信号割当の一実施例を示す。ここで‘Ｒ１’は第１のアンテナに対する基準信号、‘Ｒ２’は第２のアンテナに対する基準信号である。
【００５５】
図７を参照すると、基準信号Ｒ１は第３のＯＦＤＭシンボルで２つの副搬送波間隔に割り当てられる。即ち、基準信号Ｒ１は１つの副搬送波を間に置いて位置する。従って、第３のＯＦＤＭシンボルでは（Ｒ１、Ｎ）配列が繰り返される。ここで、Ｎはナルシンボルを意味する。
【００５６】
基準信号Ｒ１は第３のＯＦＤＭシンボルから４つのＯＦＤＭシンボルの大きさほど離れた第７のＯＦＤＭシンボルで２つの副搬送波間隔に割り当てられる。第３のＯＦＤＭシンボル及び第７のＯＦＤＭシンボルで上記基準信号Ｒ１は相互交錯する。
【００５７】
基準信号Ｒ２は、第１のアンテナに対する基準信号Ｒ１と同じＯＦＤＭシンボルでお互いに重複しないように割り当てられる。即ち、１つの基準信号Ｒ２は、周波数領域で基準信号Ｒ１と同一間隔に２つの基準信号Ｒ１の間に割り当てられる。
【００５８】
図８は、多重アンテナを用いる時、多重使用者信号に対する基準信号割当の他の例を示す。
【００５９】
図８を参照すると、第１のアンテナに対する基準信号Ｒ１は第３のＯＦＤＭシンボルで４つの副搬送波間隔に割り当てられる。即ち、基準信号Ｒ１は３つの副搬送波を間に置いて割り当てられる。従って、第３のＯＦＤＭシンボルでは（Ｒ１、Ｄ、Ｎ、Ｄ）配列が繰り返され、空いている資源要素はＤ及びＮを表す。第３のＯＦＤＭシンボルから４つのＯＦＤＭシンボルほど離れた第７のＯＦＤＭシンボルに４副搬送波間隔に多数の基準信号Ｒ１が割り当てられる。第３のＯＦＤＭシンボル及び第７のＯＦＤＭシンボルに割り当てられる基準信号Ｒ１は相互交錯する。
【００６０】
第２のアンテナに対する多重使用者基準信号Ｒ２は、基準信号Ｒ１と同じＯＦＤＭシンボルで基準信号Ｒ１と同一間隔にお互いに重複しないように割り当てられる。即ち、１つの基準信号Ｒ２は、周波数領域で基準信号Ｒ１と同一間隔に２つの基準信号Ｒ１の間に割り当てられる。
【００６１】
図９は、多重アンテナを用いる時、多重使用者信号に対する基準信号割当のもう１つの例を示す。
【００６２】
図９を参照すると、第１のアンテナに対する基準信号Ｒ１は第３のＯＦＤＭシンボルで２つの副搬送波間隔に割り当てられる。即ち、基準信号Ｒ１は１つの副搬送波の間に割り当てられる。従って、第３のＯＦＤＭシンボルでは（Ｒ１、Ｎ）配列が繰り返される。基準信号Ｒ１は第３のＯＦＤＭシンボルから４つのＯＦＤＭシンボルほど離れた第７のＯＦＤＭシンボルに２つの副搬送波間隔に割り当てられる。第３のＯＦＤＭシンボル及び第７のＯＦＤＭシンボルの基準信号Ｒ１は周波数領域でお互いに交錯する。
【００６３】
第２のアンテナに対する基準信号Ｒ２は、基準信号Ｒ１が割り当てられるＯＦＤＭシンボルと隣接するＯＦＤＭシンボル（例えば、第４のＯＦＤＭシンボル、第８のＯＦＤＭシンボル等）で基準信号Ｒ１と同じ周波数領域に割り当てられる。即ち、周波数信号Ｒ２は周波数信号Ｒ１と同一間隔に割り当てられる。
【００６４】
図１０は、多重アンテナを用いる時、多重使用者信号に対する基準信号割当のもう１つの例を示す。
【００６５】
図１０を参照すると、第１のアンテナに対する基準信号Ｒ１は第３のＯＦＤＭシンボルで４つの副搬送波間隔に割り当てられる。即ち、基準信号Ｒ１は３つの副搬送波の間に割り当てられる。従って、第３のＯＦＤＭシンボルでは（Ｒ１、Ｄ、Ｎ、Ｄ）配列が繰り返される。基準信号Ｒ１は第３のＯＦＤＭシンボルから４つのＯＦＤＭシンボルほど離れた第７のＯＦＤＭシンボルに４つの副搬送波間隔に割り当てられる。第３のＯＦＤＭシンボル及び第７のＯＦＤＭシンボルの基準信号Ｒ１はお互いに交錯する。
【００６６】
第２のアンテナに対する基準信号Ｒ２は、基準信号Ｒ１が割り当てられるＯＦＤＭシンボルと隣接するＯＦＤＭシンボル（第４のＯＦＤＭシンボル、第８のＯＦＤＭシンボル等）で基準信号Ｒ１と同じ周波数領域に割り当てられる。即ち、基準信号Ｒ２は周波数領域で基準信号Ｒ１と同一間隔に割り当てられる。
【００６７】
図１１は、多重アンテナを用いる時、多重使用者信号に対する基準信号割当のもう１つの例を示す。
【００６８】
図１１を参照すると、第１のアンテナに対する基準信号Ｒ１は第３のＯＦＤＭシンボルで２つの副搬送波間隔に割り当てられる。即ち、基準信号Ｒ１は１つの副搬送波の間に位置する。従って、第３のＯＦＤＭシンボルでは（Ｒ１、Ｎ）配列が繰り返される。基準信号Ｒ１は第３のＯＦＤＭシンボルから４つのＯＦＤＭシンボルほど離れた第７のＯＦＤＭシンボルに２つの副搬送波間隔に割り当てられる。第３のＯＦＤＭシンボル及び第７のＯＦＤＭシンボルの基準信号Ｒ１はお互いに交錯する。
【００６９】
第２のアンテナに対する基準信号Ｒ２は、基準信号Ｒ１と同じＯＦＤＭシンボルで同じ周波数領域位置を有して重複するように割り当てられる。基準信号Ｒ１とＲ２は直交コードを用いてコード領域で直交性を維持できる。
【００７０】
図１２は、多重アンテナを用いる時、多重使用者信号に対する基準信号割当のもう１つの例を示す。
【００７１】
図１２を参照すると、第１のアンテナに対する基準信号Ｒ１は第３のＯＦＤＭシンボルで４つの副搬送波間隔に割り当てられる。即ち、基準信号Ｒ１は３つの副搬送波の間に割り当てられる。従って、第３のＯＦＤＭシンボルでは（Ｒ１、Ｄ、Ｎ、Ｄ）配列が繰り返される。基準信号Ｒ１は第３のＯＦＤＭシンボルから４つのＯＦＤＭシンボルほど離れた第７のＯＦＤＭシンボルに４つの副搬送波間隔に割り当てられる。第３のＯＦＤＭシンボル及び第７のＯＦＤＭシンボルにおける基準信号Ｒ１はお互いに交錯する。
【００７２】
第２のアンテナに対する基準信号Ｒ２は基準信号Ｒ１と同じＯＦＤＭシンボルで同じ周波数領域位置を有して重複するように割り当てられる。基準信号Ｒ１とＲ２は直交コードを用いてコード領域で直交性を維持できる。
【００７３】
図１３は、多重アンテナを用いる時、多重使用者信号に対する基準信号を割当のもう１つの例を示す。
【００７４】
図１３を参照すると、第１のアンテナに対する基準信号Ｒ１は第３のＯＦＤＭシンボルで３つの副搬送波間隔に割り当てられる。第２のアンテナに対する基準信号Ｒ２は基準信号Ｒ１と隣接し、基準信号Ｒ１と同一間隔に割り当てられる。従って、第３のＯＦＤＭシンボルでは（Ｒ１、Ｒ２、Ｄ）配列が繰り返される。
【００７５】
基準信号Ｒ１及び基準信号Ｒ２は、上記第３のＯＦＤＭシンボルから始めて３つのＯＦＤＭシンボルずつ間隔をおくＯＦＤＭシンボルに割り当てられる。
【００７６】
図１４は、多重アンテナを用いる時、多重使用者信号に対する基準信号割当のもう１つの例を示す。図１４ないし図１９において、‘Ｒ’は多重使用者信号に対する基準信号、‘Ｔ’は専用使用者（ｄｅｄｉｃａｔｅｄ  ｕｓｅｒ）に対する基準信号である。以下、異種（ｈｅｔｅｒｏｇｅｎｅｏｕｓ）の基準信号を割り当てる例を表す。
【００７７】
図１４を参照すると、第１のＯＦＤＭシンボルには第１のアンテナに対する基準信号Ｔ１と第２のアンテナに対する基準信号Ｔ２が割り当てられる。また、基準信号Ｔ１及び基準信号Ｔ２は第４のＯＦＤＭシンボルにも割り当てられる。第１のアンテナに対する基準信号Ｒ１及び第２のアンテナに対する基準信号Ｒ２は第３のＯＦＤＭシンボルから始めて４つのＯＦＤＭシンボル間隔をおくＯＦＤＭシンボルに割り当てられる。
【００７８】
図１５は、多重アンテナを用いる時、多重使用者信号に対する基準信号割当のもう１つの例を示す。
【００７９】
図１５を参照すると、第１のアンテナに対する基準信号Ｒ１及び第２のアンテナに対する基準信号Ｒ２は、図１４の実施例における基準信号Ｒ１及び基準信号Ｒ２より広い間隔に割り当てられる。
【００８０】
図１６は、多重アンテナを用いる時、多重使用者信号に対する基準信号割当のもう１つの例を示す。
【００８１】
図１６を参照すると、図４の実施例と比較して第１のアンテナに対する基準信号Ｒ１及び第２のアンテナに対する基準信号Ｒ２は第３のＯＦＤＭシンボルで各々３つの副搬送波間隔に割り当てられる。第２のアンテナに対する基準信号Ｒ２は、第１のアンテナに対する基準信号Ｒ１と隣接し、上記基準信号Ｒ１と同一間隔に割り当てられる。
【００８２】
図１７は、多重アンテナを用いる時、多重使用者信号に対する基準信号割当のもう１つの例を示す。
【００８３】
図１７を参照すると、図１４の実施例と比較して第１のアンテナに対する基準信号Ｔ１及び第２のアンテナに対する基準信号Ｔ２は第１のＯＦＤＭシンボルにだけ割り当てられる。
【００８４】
図１８は、多重アンテナを用いる時、多重使用者信号に対する基準信号割当のもう１つの例を示す。
【００８５】
図１８を参照すると、第１のアンテナに対する基準信号Ｒ１及び第２のアンテナに対する基準信号Ｒ２は図１７の実施例における基準信号Ｒ１及び基準信号Ｒ２より広い間隔に割り当てられる。
【００８６】
図１９は、多重アンテナを用いる時、多重使用者信号に対する基準信号割当のもう１つの例を示す。
【００８７】
図１９を参照すると、図１６の実施例と比較して第１のアンテナに対する基準信号Ｔ１及び第２のアンテナに対する基準信号Ｔ２は第１のＯＦＤＭシンボルにだけ割り当てられる。
【００８８】
図１４ないし図１９において、多重使用者に対する基準信号は１つの送信アンテナを介して伝送されることができる。従って、ＵＥはＣＤＤまたはビーム−フォーミング等に含まれる１つの受信アンテナを介して基準信号を受信し、ＢＳは各々の送信アンテナに対する基準信号を分類した後伝送する必要はない。
【００８９】
以下では、４つの送信アンテナを有するＭＩＭＯシステムにおいて基準信号割当の多様な実施例に対して記述する。以下の基準信号割当には次のような概略的な原則がある。
【００９０】
（１）図３の実施例に示した第１のアンテナに対する基準信号Ｒ１は４つの送信アンテナを有するＭＩＭＯシステムにおいても同じ位置を有する。
【００９１】
（２）全体基準信号が占める比率が一定以下である。基準信号の比率が高まれば、受信機は複数個の基準信号を受信するため、チャネル推定を相対的に正確にできる。然しながら、基準信号の比率が高まるほどデータ伝送率は低くなる。以下では基準信号の比率が約１５％以下または約２０％以下であると仮定する。この場合、基準信号が效率的に割り当てらればチャネル推定に対する性能劣化を最小限に減らすことができる。
【００９２】
（３）各送信アンテナに対する基準信号はお互いに重複しない。即ち、各送信アンテナに対する基準信号は時間領域及び周波数領域でお互いに重複しない。
【００９３】
図２０は、本発明の一実施例による基準信号の割当を示す。Ｔ１は第１のアンテナに対する基準信号、Ｔ２は第２のアンテナに対する基準信号、Ｔ３は第３のアンテナに対する基準信号及びＴ４は第４のアンテナに対する基準信号を表す。
【００９４】
図２０を参照すると、１つのサブフレームは１４つのＯＦＤＭシンボルからなる。これは例示に過ぎず、１つのサブフレームを構成するＯＦＤＭシンボルの数は変えられることができる。図面では便宜上１つのサブフレームを表しているが、各々のアンテナに対する基準信号は、該当するアンテナに対するサブフレーム別に各々割り当てられる。即ち、基準信号Ｔ１は第１のアンテナに対するサブフレームに割り当てられ、基準信号Ｔ２は第２のアンテナに対するサブフレームに割り当てられ、基準信号Ｔ３は第３のアンテナに対するサブフレームに割り当てられ、基準信号Ｔ４は第４のアンテナに対するサブフレームに割り当てられる。説明を明確にするために、以下では１４つのＯＦＤＭシンボルを時間軸でＴＴＩの開始順序から各々第１のＯＦＤＭシンボル、第２のＯＦＤＭシンボル、．．．  、第１４のＯＦＤＭシンボルという。
【００９５】
基準信号Ｔ１は第１及び第８のＯＦＤＭシンボルでは６つの副搬送波間隔に割り当てられる。また、基準信号Ｔ１は第５及び第１２のＯＦＤＭシンボルでも６つの副搬送波ごとに割り当てられる。第５及び第１２のＯＦＤＭシンボルにおける基準信号Ｔ１は、第１及び第８のＯＦＤＭシンボルにおける基準信号位置から３つの副搬送波ほど各々移動して割り当てられる。
【００９６】
基準信号Ｔ２は第１、第５、第８及び第１２のＯＦＤＭシンボルでは６つの副搬送波間隔に割り当てられる。第１及び第５のＯＦＤＭシンボルにおける基準信号Ｔ２は、基準信号Ｔ１の位置から３つの副搬送波ほど移動して割り当てられる。第５及び第１２のＯＦＤＭシンボルにおける基準信号Ｔ２は基準信号Ｔ１の位置と同一に各々位置する。
【００９７】
基準信号Ｔ３は第１、第５、第８及び第１２のＯＦＤＭシンボルで１２つの副搬送波間隔に割り当てられる。第１のＯＦＤＭシンボルにおける基準信号Ｔ３は基準信号Ｔ１の位置から１つの副搬送波ほど移動して割り当てられる。第５、第８及び第１２のＯＦＤＭシンボルにおける基準信号Ｔ３は１２つの副搬送波間隔に他のアンテナの基準信号位置から１つの副搬送波ほど移動して割り当てられる。
【００９８】
基準信号Ｔ４は第１、第５、第８及び第１２のＯＦＤＭシンボルで１２つの副搬送波間隔に割り当てられる。基準信号Ｔ４は基準信号Ｔ３の位置から１つの副搬送波ほど移動して割り当てられる。
【００９９】
基準信号Ｔ１及び基準信号Ｔ２は基準信号Ｔ３及び基準信号Ｔ４より密集されるように割り当てられるため、他のアンテナよりさらに頻繁に用いられる第１及び第２のアンテナはよりいいチャネル推定性能を有することができる。
【０１００】
また、一般的に制御信号は第３のＯＦＤＭシンボル以前のＯＦＤＭシンボルに載せる。上述した基準信号Ｔ１ないしＴ４を配列に現れれば、第１のＯＦＤＭシンボルでは（Ｔ１、Ｔ３、Ｔ４、Ｔ２、Ｄ、Ｄ、Ｔ１、Ｄ、Ｄ、Ｔ２、Ｄ、Ｄ）配列が繰り返され、第５のＯＦＤＭシンボルでは（Ｔ２、Ｄ、Ｄ、Ｔ１、Ｄ、Ｄ、Ｔ２、Ｔ３、Ｔ４、Ｔ１、Ｄ、Ｄ）配列が繰り返される。第８のＯＦＤＭシンボルでは（Ｔ１、Ｄ、Ｄ、Ｔ２、Ｔ３、Ｔ４、Ｔ１、Ｄ、Ｄ、Ｔ２、Ｄ、Ｄ）配列が繰り返され、第１２のＯＦＤＭシンボルでは（Ｔ２、Ｄ、Ｄ、Ｔ１、Ｄ、Ｄ、Ｔ２、Ｄ、Ｄ、Ｔ１、Ｔ３、Ｔ４、Ｔ２）配列が繰り返される。基準信号が割り当てられない位置にはデータシンボルＤが割り当てられることができる。この場合、データシンボルが占める比率は約８６％程度である。
【０１０１】
サブフレームでデータシンボルが占める比率はシステムの特性に応じて変えられることができる。以下、ＴＴＩ当りの１４つのＯＦＤＭシンボルに対して例示的に図示するが、本発明はこれに限定されることなく、１つのＴＴＩは１２つまたはその以上のＯＦＤＭシンボルを含むことができる。
【０１０２】
図示された基準信号割当パターンは相対的である位置に過ぎず、その絶対的な位置を表すのではない。描写された基準信号パターンは、各々の基準信号の間隔を維持しながら時間領域及び／または周波数領域に移動（ｓｈｉｆｔ）できる。
【０１０３】
サブフレームで他のアンテナの基準信号が位置する資源要素にはナルシンボルが割り当てられることができる。例えば、第１のアンテナに対するサブフレームで第２ないし第４のアンテナに対する基準信号の位置する資源要素にはナルシンボルが割り当てられることができる。
【０１０４】
各アンテナに対する基準信号のうち少なくともいずれか１つは多重使用者信号のための基準信号であってもよい。多重使用者信号のための基準信号は、サブフレームで専用（ｄｅｄｉｃａｔｅｄ）制御信号の含まれるＯＦＤＭシンボルを除外した残りのＯＦＤＭシンボルに割り当てられることができる。例えば、第１のＯＦＤＭシンボルと第２のＯＦＤＭシンボルに専用制御信号が含まれるならば、多重使用者信号のための基準信号は第３のＯＦＤＭシンボルから割り当てられることができる。
【０１０５】
図２１は、本発明の一実施例による基準信号の割当を示す。
【０１０６】
図２１を参照すると、第１のＯＦＤＭシンボルでは基準信号Ｔ１及びＴ２が１つのデータシンボルと共に順に位置する。空いている資源要素は、データシンボルであってもよく、ナルシンボルであってもよい。基準信号Ｔ２及びＴ４はデータシンボルＤの次に順に位置する。従って、（Ｔ１、Ｔ３、Ｄ、Ｔ２、Ｔ４、Ｄ）配列が繰り返されるできる。
【０１０７】
第５のＯＦＤＭシンボルでは、基準信号Ｔ２が位置し、２つのデータシンボルが位置した後、基準信号Ｔ１が位置する。再び、２つのデータシンボルが位置した後、基準信号Ｔ２が位置する。従って、（Ｔ２、Ｄ、Ｄ、Ｔ１、Ｄ、Ｄ）配列が繰り返されるできる。
【０１０８】
第８のＯＦＤＭシンボルでは第１のＯＦＤＭシンボルと類似の基準信号の割当を有し、従って、（Ｔ１、Ｔ４、Ｄ、Ｔ２、Ｔ３、Ｄ）配列が繰り返されるできる。第１２のＯＦＤＭシンボルは第５のＯＦＤＭシンボルと同じ基準信号の割当パターンを有することができる。
【０１０９】
データシンボルＤの占める比率は約８６％である。従って、基準信号の比率は約１４％程度である。従って、基準信号が各送信アンテナ別に重複しないように割り当てられるため、受信機は各々のチャネルを推定できる。
【０１１０】
図２２は、本発明の一実施例による基準信号の割当を示す。
【０１１１】
図２２を参照すると、第１のＯＦＤＭシンボルでは第１、第３、第４及び第２の基準信号Ｔ１、Ｔ３、Ｔ４、Ｔ２の順に各々の基準信号が割り当てられる。空いている資源要素は、データシンボルであってもよく、ナルシンボルであってもよい。また、２つのデータシンボルが再び割り当てられた後、他の基準信号Ｔ１が割り当てられる。再び、２つのデータシンボルが割り当てられた後、他の基準信号Ｔ２が割り当てられる。再び、２つのデータシンボルが割り当てられた後、第１、第３、第４及び第２の基準信号Ｔ１、Ｔ３、Ｔ４、Ｔ２の順に各々の基準信号が割り当てられる。従って、（Ｔ１、Ｔ３、Ｔ４、Ｔ２、Ｄ、Ｄ、Ｔ１、Ｄ、Ｄ、Ｔ２、Ｄ、Ｄ）配列が第１のＯＦＤＭシンボルで繰り返されるできる。
【０１１２】
第５のＯＦＤＭシンボルでは基準信号Ｔ２が割り当てられ、２つのデータシンボルが位置した後、基準信号Ｔ１が割り当てられる。再び、２つのデータシンボルが位置した後、基準信号は、第２、第３、第４及び第１の基準信号Ｔ２、Ｔ３、Ｔ４、Ｔ１の順に各々割り当てられる。また、２つのデータシンボルが位置した後、上記の割当が繰り返されるできる。従って、（Ｔ２、Ｄ、Ｄ、Ｔ１、Ｄ、Ｄ、Ｔ２、Ｔ３、Ｔ４、Ｔ１、Ｄ、Ｄ）配列が第５のＯＦＤＭシンボルで繰り返されるできる。
【０１１３】
第８のＯＦＤＭシンボルは第１のＯＦＤＭシンボルと同じ基準信号割当を有して、第１２のＯＦＤＭシンボルは第５のＯＦＤＭシンボルと同じ基準信号割当を有する。
【０１１４】
全体領域でデータシンボルの占める比率が約８５％程度であり、従って、基準信号の占める比率が約１５％となる。従って、受信機は各送信アンテナで送信される基準信号を用いてチャネルを推定できる。
【０１１５】
図２３は、本発明の一実施例による基準信号の割当を示す。
【０１１６】
第１のＯＦＤＭシンボルでは（Ｄ、Ｔ１、Ｔ３、Ｔ４、Ｔ２、Ｄ）配列が繰り返され、第８のＯＦＤＭシンボルでは（Ｔ４、Ｔ１、Ｄ、Ｄ、Ｔ２、Ｔ３）配列が繰り返される。第５のＯＦＤＭシンボルと第１２のＯＦＤＭシンボルでは（Ｄ、Ｔ２、Ｄ、Ｄ、Ｔ１、Ｄ）配列が繰り返される。
【０１１７】
図２４は、本発明の一実施例による基準信号の割当を示す。
【０１１８】
第１のＯＦＤＭシンボルと第８のＯＦＤＭシンボルでは（Ｄ、Ｔ１、Ｄ、Ｄ、Ｔ２、Ｄ）配列が繰り返される。第５のＯＦＤＭシンボルでは（Ｄ、Ｔ２、Ｔ３、Ｔ４、Ｔ１、Ｄ）配列が繰り返され、第１２のＯＦＤＭシンボルでは（Ｔ４、Ｔ２、Ｄ、Ｄ、Ｔ１、Ｔ３）配列が繰り返される。
【０１１９】
図２５は、本発明の一実施例による基準信号の割当を示す。
【０１２０】
第１のＯＦＤＭシンボルと第８のＯＦＤＭシンボルでは（Ｄ、Ｔ１、Ｔ３、Ｔ４、Ｔ２、Ｄ）配列が繰り返され、第５のＯＦＤＭシンボルと第１２のＯＦＤＭシンボルでは（Ｔ４、Ｔ２、Ｄ、Ｄ、Ｔ１、Ｔ３）配列が繰り返される。
【０１２１】
図２６は、本発明の一実施例による基準信号の割当を示す。
【０１２２】
第１のＯＦＤＭシンボルと第８のＯＦＤＭシンボルでは（Ｔ１、Ｔ３、Ｄ、Ｔ２、Ｔ４、Ｄ）配列が繰り返され、第５のＯＦＤＭシンボルと第１２のＯＦＤＭシンボルでは（Ｔ２、Ｔ４、Ｄ、Ｔ１、Ｔ３、Ｄ）配列が繰り返される。
【０１２３】
図２７は、本発明の一実施例による基準信号の割当を示す。
【０１２４】
第１のＯＦＤＭシンボルと第８のＯＦＤＭシンボルでは（Ｔ１、Ｄ、Ｄ、Ｔ２、Ｄ、Ｄ）配列が繰り返され、第２のＯＦＤＭシンボルシンボルと第９のＯＦＤＭシンボルでは（Ｔ３、Ｄ、Ｄ、Ｔ４、Ｄ、Ｄ）配列が繰り返される。第５のＯＦＤＭシンボルと第１２のＯＦＤＭシンボルでは（Ｔ２、Ｄ、Ｄ、Ｔ１、Ｄ、Ｄ）配列が繰り返され、第６のＯＦＤＭシンボルシンボルと第１３のＯＦＤＭシンボルでは（Ｔ４、Ｄ、Ｄ、Ｔ３、Ｄ、Ｄ）配列が繰り返される。
【０１２５】
図２８は、本発明の一実施例による基準信号の割当を示す。
【０１２６】
第１のＯＦＤＭシンボルと第８のＯＦＤＭシンボルでは（Ｔ１、Ｄ、Ｔ３、Ｔ２、Ｄ、Ｔ４）配列が繰り返され、第５のＯＦＤＭシンボルと第１２のＯＦＤＭシンボルでは（Ｔ２、Ｄ、Ｔ４、Ｔ１、Ｄ、Ｔ３）配列が繰り返される。
【０１２７】
図２９は、本発明の一実施例による基準信号の割当を示す。
【０１２８】
第１のＯＦＤＭシンボルと第８のＯＦＤＭシンボルでは（Ｔ１、Ｄ、Ｄ、Ｔ２、Ｄ、Ｄ）配列が繰り返され、第５のＯＦＤＭシンボルと第１２のＯＦＤＭシンボルでは（Ｔ３、Ｄ、Ｄ、Ｔ４、Ｄ、Ｄ）配列が繰り返される。
【０１２９】
図３０は、本発明の一実施例による基準信号の割当を示す。
【０１３０】
第１のＯＦＤＭシンボルと第８のＯＦＤＭシンボルでは（Ｔ１、Ｄ、Ｄ、Ｔ２、Ｄ、Ｄ、Ｔ３、Ｄ、Ｄ、Ｔ４、Ｄ、Ｄ）配列が繰り返され、第５のＯＦＤＭシンボルと第１２のＯＦＤＭシンボルでは（Ｔ３、Ｄ、Ｄ、Ｔ４、Ｄ、Ｄ、Ｔ１、Ｄ、Ｄ、Ｔ２、Ｄ、Ｄ）配列が繰り返される。
【０１３１】
図３１は、本発明の一実施例による基準信号の割当を示す。
【０１３２】
第１のＯＦＤＭシンボルと第８のＯＦＤＭシンボルでは（Ｔ１、Ｔ３、Ｄ、Ｔ２、Ｄ、Ｄ、Ｔ１、Ｔ４、Ｄ、Ｔ２、Ｄ、Ｄ）配列が繰り返され、第５のＯＦＤＭシンボルと第１２のＯＦＤＭシンボルでは（Ｔ２、Ｔ４、Ｄ、Ｔ１、Ｄ、Ｄ、Ｔ２、Ｔ３、Ｄ、Ｔ１、Ｄ、Ｄ）配列が繰り返される。
【０１３３】
図３２は、本発明の一実施例による基準信号の割当を示す。
【０１３４】
第１のＯＦＤＭシンボルと第８のＯＦＤＭシンボルでは（Ｔ１、Ｄ、Ｄ、Ｔ２、Ｄ、Ｄ）配列が繰り返され、第２のＯＦＤＭシンボルと第９のＯＦＤＭシンボルでは（Ｔ３、Ｄ、Ｄ、Ｄ、Ｄ、Ｄ、Ｔ４、Ｄ、Ｄ、Ｄ、Ｄ、Ｄ）配列が繰り返される。
【０１３５】
第５のＯＦＤＭシンボルと第１２のＯＦＤＭシンボルでは（Ｔ２、Ｄ、Ｄ、Ｔ１、Ｄ、Ｄ）配列が繰り返され、第６のＯＦＤＭシンボルと第１３のＯＦＤＭシンボルでは（Ｔ４、Ｄ、Ｄ、Ｄ、Ｄ、Ｄ、Ｔ３、Ｄ、Ｄ、Ｄ、Ｄ、Ｄ）配列が繰り返される。
【０１３６】
図３３は、本発明の一実施例による基準信号の割当を示す。
【０１３７】
第１のＯＦＤＭシンボルでは（Ｔ１、Ｄ、Ｄ、Ｔ２、Ｄ、Ｄ）配列が繰り返され、第８のＯＦＤＭシンボルでは（Ｔ２、Ｄ、Ｄ、Ｔ１、Ｄ、Ｄ）配列が繰り返される。第５のＯＦＤＭシンボルは（Ｔ３、Ｄ、Ｄ、Ｔ４、Ｄ、Ｄ）配列が繰り返され、第１２のＯＦＤＭシンボルでは（Ｔ４、Ｄ、Ｄ、Ｔ３、Ｄ、Ｄ）配列が繰り返される。
【０１３８】
図３４は、本発明の一実施例による基準信号の割当を示す。
【０１３９】
第１のＯＦＤＭシンボルと第８のＯＦＤＭシンボルでは（Ｔ１、Ｄ、Ｄ、Ｔ３、Ｄ、Ｄ、Ｔ２、Ｄ、Ｄ、Ｔ４、Ｄ、Ｄ）配列が繰り返され、第５のＯＦＤＭシンボルと第１２のＯＦＤＭシンボルでは（Ｔ２、Ｄ、Ｄ、Ｔ４、Ｄ、Ｄ、Ｔ１、Ｄ、Ｄ、Ｔ３、Ｄ、Ｄ）配列が繰り返される。
【０１４０】
図３５は、本発明の一実施例による基準信号の割当を示す。
【０１４１】
第１のＯＦＤＭシンボルと第８のＯＦＤＭシンボルでは（Ｔ１、Ｄ、Ｔ３、Ｔ２、Ｄ、Ｄ、Ｔ１、Ｄ、Ｔ４、Ｔ２、Ｄ、Ｄ）配列が繰り返され、第５のＯＦＤＭシンボルと第１２のＯＦＤＭシンボルでは（Ｔ２、Ｄ、Ｔ４、Ｔ１、Ｄ、Ｄ、Ｔ２、Ｄ、Ｔ３、Ｔ１、Ｄ、Ｄ）配列が繰り返される。
【０１４２】
図３６は、本発明の一実施例による基準信号の割当を示す。
【０１４３】
第１のＯＦＤＭシンボルと第８のＯＦＤＭシンボルでは（Ｔ１／Ｔ３、Ｄ、Ｄ、Ｔ２／Ｔ４、Ｄ、Ｄ）配列が繰り返され、第５のＯＦＤＭシンボルと第１２のＯＦＤＭシンボルでは（Ｔ２／Ｔ４、Ｄ、Ｄ、Ｔ１／Ｔ３、Ｄ、Ｄ）配列が繰り返される。ここで、Ｔ１／Ｔ３は、第１のアンテナに対する基準信号と第３のアンテナに対する基準信号が同じ時間及び副搬送波に割り当てられる。基準信号Ｔ１とＴ３は自己相関と相互相関特性のある直交コードを介して直交性が維持される。Ｔ２／Ｔ４に対しても同一に適用されることができる。
【０１４４】
図３７は、本発明の一実施例による基準信号の割当を示す。
【０１４５】
第１のＯＦＤＭシンボルと第８のＯＦＤＭシンボルでは（Ｔ１、Ｔ３／Ｔ４、Ｄ、Ｔ２、Ｄ、Ｄ）配列が繰り返され、第５のＯＦＤＭシンボルと第１２のＯＦＤＭシンボルでは（Ｔ２、Ｄ、Ｄ、Ｔ１、Ｔ３／Ｔ４、Ｄ）配列が繰り返される。基準信号Ｔ３及びＴ４は同じ時間及び副搬送波に割り当てられ、自己相関と相互相関特性のある直交コードを介し直交性が維持される。
【０１４６】
図３８は、本発明の一実施例による基準信号の割当を示す。
【０１４７】
第１のＯＦＤＭシンボルと第８のＯＦＤＭシンボルでは（Ｔ１、Ｄ、Ｄ、Ｔ２、Ｄ、Ｄ）配列が繰り返され、第２のＯＦＤＭシンボルと第９のＯＦＤＭシンボルでは（Ｔ３／Ｔ４、Ｄ、Ｄ、Ｄ、Ｄ、Ｄ）配列が繰り返される。第５のＯＦＤＭシンボルと第１２のＯＦＤＭシンボルでは（Ｔ２、Ｄ、Ｄ、Ｔ１、Ｄ、Ｄ）配列が繰り返され、第６のＯＦＤＭシンボルと第１３のＯＦＤＭシンボルでは（Ｄ、Ｄ、Ｄ、Ｔ３／Ｔ４、Ｄ、Ｄ）配列が繰り返される。
【０１４８】
図３９は、本発明の一実施例による基準信号の割当を示す。
【０１４９】
第１のＯＦＤＭシンボルと第８のＯＦＤＭシンボルでは（Ｄ、Ｔ１、Ｄ、Ｔ３／Ｔ４、Ｔ２、Ｄ）配列が繰り返され、第５のＯＦＤＭシンボルと第１２のＯＦＤＭシンボルでは（Ｔ３／Ｔ４、Ｔ２、Ｄ、Ｄ、Ｔ１、Ｄ）配列が繰り返される。
【０１５０】
図４０は、本発明の一実施例による基準信号の割当を示す。
【０１５１】
第１のＯＦＤＭシンボルでは（Ｔ１、Ｔ３、Ｄ、Ｔ２、Ｔ４、Ｄ）配列が繰り返され、第８のＯＦＤＭシンボルでは（Ｔ１、Ｔ４、Ｄ、Ｔ２、Ｔ３、Ｄ）配列が繰り返される。第５のＯＦＤＭシンボルと第１２のＯＦＤＭシンボルでは（Ｔ２、Ｄ、Ｄ、Ｔ１、Ｄ、Ｄ）配列が繰り返される。
【０１５２】
図４１は、本発明の一実施例による基準信号の割当を示す。
【０１５３】
第１のＯＦＤＭシンボルでは（Ｔ４、Ｔ１、Ｄ、Ｔ３、Ｔ２、Ｄ）配列が繰り返され、第８のＯＦＤＭシンボルでは（Ｔ３、Ｔ１、Ｄ、Ｔ４、Ｔ２、Ｄ）配列が繰り返される。第５のＯＦＤＭシンボルと第１２のＯＦＤＭシンボルでは（Ｄ、Ｔ２、Ｄ、Ｄ、Ｔ１、Ｄ）配列が繰り返される。
【０１５４】
図４２は、本発明の一実施例による基準信号の割当を示す。
【０１５５】
第１のＯＦＤＭシンボルと第８のＯＦＤＭシンボルでは（Ｔ１、Ｔ３、Ｄ、Ｔ２、Ｄ、Ｄ）配列が繰り返され、第５のＯＦＤＭシンボルと第１２のＯＦＤＭシンボルでは（Ｔ２、Ｔ４、Ｄ、Ｔ１、Ｄ、Ｄ）配列が繰り返される。
【０１５６】
図４３は、本発明の一実施例による基準信号の割当を示す。
【０１５７】
第１のＯＦＤＭシンボルと第８のＯＦＤＭシンボルでは（Ｔ１、Ｔ３、Ｔ４、Ｔ２、Ｄ、Ｄ）配列が繰り返され、第５のＯＦＤＭシンボルと第１２のＯＦＤＭシンボルでは（Ｔ２、Ｄ、Ｄ、Ｔ１、Ｄ、Ｄ）配列が繰り返される。
【０１５８】
図４４は、本発明の一実施例による基準信号の割当を示す。
【０１５９】
第１のＯＦＤＭシンボルと第８のＯＦＤＭシンボルでは（Ｔ１、Ｄ、Ｄ、Ｔ２、Ｄ、Ｄ）配列が繰り返される。第５のＯＦＤＭシンボルでは（Ｔ２、Ｔ３、Ｄ、Ｔ１、Ｔ４、Ｄ）配列が繰り返され、第１２のＯＦＤＭシンボルでは（Ｔ２、Ｔ４、Ｄ、Ｔ１、Ｔ３、Ｄ）配列が繰り返される。
【０１６０】
図４５は、本発明の一実施例による基準信号の割当を示す。
【０１６１】
第１のＯＦＤＭシンボルと第８のＯＦＤＭシンボルでは（Ｄ、Ｔ１、Ｄ、Ｄ、Ｔ２、Ｄ）配列が繰り返される。第５のＯＦＤＭシンボルでは（Ｔ４、Ｔ２、Ｄ、Ｔ３、Ｔ１、Ｄ）配列が繰り返され、第１２のＯＦＤＭシンボルでは（Ｔ３、Ｔ２、Ｄ、Ｔ４、Ｔ１、Ｄ）配列が繰り返される。
【０１６２】
図４６は、本発明の一実施例による基準信号の割当を示す。
【０１６３】
第１のＯＦＤＭシンボルと第８のＯＦＤＭシンボルでは（Ｔ１、Ｄ、Ｔ３、Ｔ２、Ｄ、Ｄ）配列が繰り返され、第５のＯＦＤＭシンボルと第１２のＯＦＤＭシンボルでは（Ｔ２、Ｄ、Ｔ４、Ｔ１、Ｄ、Ｄ）配列が繰り返される。
【０１６４】
図４７は、本発明の一実施例による基準信号の割当を示す。
【０１６５】
第１のＯＦＤＭシンボルと第８のＯＦＤＭシンボルでは（Ｔ１、Ｄ、Ｄ、Ｔ２、Ｄ、Ｄ）配列が繰り返され、第５のＯＦＤＭシンボルと第１２のＯＦＤＭシンボルでは（Ｔ２、Ｔ３、Ｔ４、Ｔ１、Ｄ、Ｄ）配列が繰り返される。
【０１６６】
図４８は、本発明の一実施例による基準信号の割当を示す。
【０１６７】
第１のＯＦＤＭシンボルと第８のＯＦＤＭシンボルでは（Ｔ１、Ｔ３、Ｄ、Ｔ２、Ｔ４、Ｄ）配列が繰り返され、第５のＯＦＤＭシンボルと第１２のＯＦＤＭシンボルでは（Ｔ２、Ｄ、Ｄ、Ｔ１、Ｄ、Ｄ）配列が繰り返される。
【０１６８】
図４９は、本発明の一実施例による基準信号の割当を示す。
【０１６９】
第１のＯＦＤＭシンボルと第８のＯＦＤＭシンボルでは（Ｔ１、Ｄ、Ｄ、Ｔ２、Ｄ、Ｄ）配列が繰り返され、第５のＯＦＤＭシンボルと第１２のＯＦＤＭシンボルでは（Ｔ２、Ｔ３、Ｄ、Ｔ１、Ｔ４、Ｄ）配列が繰り返される。
【０１７０】
図５０は、本発明の一実施例による基準信号の割当を示す。
【０１７１】
第１のＯＦＤＭシンボルと第８のＯＦＤＭシンボルでは（Ｔ１、Ｄ、Ｄ、Ｔ２、Ｄ、Ｄ）配列が繰り返され、第２のＯＦＤＭシンボルと第９のＯＦＤＭシンボルでは（Ｔ３、Ｄ、Ｄ、Ｔ４、Ｄ、Ｄ）配列が繰り返される。第５のＯＦＤＭシンボルと第１２のＯＦＤＭシンボルでは（Ｔ２、Ｄ、Ｄ、Ｔ１、Ｄ、Ｄ）配列が繰り返される。
【０１７２】
図５１は、本発明の一実施例による基準信号の割当を示す。
【０１７３】
第１のＯＦＤＭシンボルと第８のＯＦＤＭシンボルでは（Ｔ１、Ｄ、Ｄ、Ｔ２、Ｄ、Ｄ）配列が繰り返され、第５のＯＦＤＭシンボルと第１２のＯＦＤＭシンボルでは（Ｔ２、Ｄ、Ｄ、Ｔ１、Ｄ、Ｄ）配列が繰り返される。第２のＯＦＤＭシンボルでは（Ｔ３、Ｄ、Ｄ、Ｔ４、Ｄ、Ｄ）配列が繰り返され、第９のＯＦＤＭシンボルでは（Ｔ４、Ｄ、Ｄ、Ｔ３、Ｄ、Ｄ）配列が繰り返される。
【０１７４】
第１のＯＦＤＭシンボル、第５のＯＦＤＭシンボル及び第１２のＯＦＤＭシンボルの基準信号Ｔ１及びＴ２は、各アンテナ別に周波数領域でお互いに交錯する。また、第２のＯＦＤＭシンボル及び第９のＯＦＤＭシンボルの基準信号Ｔ３及びＴ４は、各アンテナ別に周波数領域でお互いに交錯するように割り当てる。これに伴い、周波数領域における選択性が確保される。
【０１７５】
第１のＯＦＤＭシンボルには基準信号Ｔ１及びＴ２が割り当てられ、第１のＯＦＤＭシンボルに隣接する第２のＯＦＤＭシンボルには基準信号Ｔ３及びＴ４が割り当てられる。２つの隣接するＯＦＤＭシンボルにわたって多重アンテナに対する基準信号を割り当てる場合、ランクが低いほど効率的である。例えば、如何なるＭＩＭＯ技術ではランクが１である場合、４つのアンテナが同じデータを伝送するようになり、隣接する２つのＯＦＤＭシンボルに割り当てられる基準信号を介しチャネル推定効率を上げることができる。
【０１７６】
また、少なくとも２つのアンテナに対する基準信号は隣接する２つのＯＦＤＭシンボルで同じ周波数領域の位置にわたって伝送される。従って、周波数領域と時間領域で、基準信号が集中し、基準信号が過度に交錯する（ｓｔａｇｇｅｒ）場合に比べてチャネル推定エラーを減らすことができる。
【０１７７】
１つのＯＦＤＭシンボルには全体アンテナに対する基準信号のうち一部分だけ割り当てられる。例えば、４つのアンテナに対する基準信号のうち２つのアンテナに対する基準信号だけ割り当てられる。これに伴い、基準信号に割り当てられるパワーを各アンテナ別にさらに引き上げる（ｂｏｏｓｔ）ことができる。基準信号のパワーが高まるに伴って受信機におけるチャネル推定性能を高めることができる。
【０１７８】
一部受信機の場合、最初いくつのＯＦＤＭシンボル（例えば、３つのＯＦＤＭシンボル）をデコーディングし、自分に含まれたデータでない場合、以後に伝送されるＯＦＤＭシンボルをバッファーリングしない。これをマイクロスリップモード（ｍｉｃｒｏ  ｓｌｅｅｐ  ｍｏｄｅ）ともいう。この場合、最初ＯＦＤＭシンボルに全体アンテナに対する基準信号が含まれることが必要である。第１及び第２のＯＦＤＭシンボルに全体アンテナに対する基準信号を割り当ててマイクロスリップモードにも対応されるようにすることができる。
【０１７９】
図５２は、本発明の一実施例による基準信号の割当を示す。
【０１８０】
第１のＯＦＤＭシンボルと第８のＯＦＤＭシンボルでは（Ｔ１、Ｄ、Ｔ３、Ｔ２、Ｄ、Ｔ４）配列が繰り返され、第５のＯＦＤＭシンボルと第１２のＯＦＤＭシンボルでは（Ｔ２、Ｄ、Ｄ、Ｔ１、Ｄ、Ｄ）配列が繰り返される。
【０１８１】
図５３は、本発明の一実施例による基準信号の割当を示す。
【０１８２】
第１のＯＦＤＭシンボルと第８のＯＦＤＭシンボルでは（Ｔ１、Ｄ、Ｄ、Ｔ２、Ｄ、Ｄ）配列が繰り返され、第５のＯＦＤＭシンボルと第１２のＯＦＤＭシンボルでは（Ｔ２、Ｄ、Ｔ３、Ｔ１、Ｄ、Ｔ４）配列が繰り返される。
【０１８３】
図５４は、本発明の一実施例による基準信号の割当を示す。
【０１８４】
第１のＯＦＤＭシンボルと第８のＯＦＤＭシンボルでは（Ｔ１、Ｄ、Ｄ、Ｔ２、Ｄ、Ｄ）配列が繰り返される。第５のＯＦＤＭシンボルと第１２のＯＦＤＭシンボルでは（Ｔ２、Ｄ、Ｄ、Ｔ１、Ｄ、Ｄ）配列が繰り返され、第６のＯＦＤＭシンボルと第１３のＯＦＤＭシンボルでは（Ｔ３、Ｄ、Ｄ、Ｔ４、Ｄ、Ｄ）配列が繰り返される。
【０１８５】
図５５は、本発明の一実施例による基準信号の割当を示す。
【０１８６】
第１のＯＦＤＭシンボルと第８のＯＦＤＭシンボルでは（Ｔ１、Ｄ、Ｄ、Ｔ２、Ｄ、Ｄ）配列が繰り返され、第５のＯＦＤＭシンボルと第１２のＯＦＤＭシンボルでは（Ｔ２、Ｄ、Ｄ、Ｔ１、Ｄ、Ｄ）配列が繰り返される。第６のＯＦＤＭシンボルでは（Ｔ３、Ｄ、Ｄ、Ｔ４、Ｄ、Ｄ）配列が繰り返され、第１３のＯＦＤＭシンボルでは（Ｔ４、Ｄ、Ｄ、Ｔ３、Ｄ、Ｄ）配列が繰り返される。
【０１８７】
図５６は、本発明の一実施例による基準信号の割当を示す。
【０１８８】
第１のＯＦＤＭシンボルと第８のＯＦＤＭシンボルでは（Ｔ１、Ｄ、Ｄ、Ｔ２、Ｄ、Ｄ）配列が繰り返され、第５のＯＦＤＭシンボルと第１２のＯＦＤＭシンボルでは（Ｔ２、Ｄ、Ｄ、Ｔ１、Ｄ、Ｄ）配列が繰り返される。第２のＯＦＤＭシンボルと第９のＯＦＤＭシンボルでは（Ｔ３／Ｔ４、Ｄ、Ｄ）配列が繰り返される。
【０１８９】
図５７は、本発明の一実施例による基準信号の割当を示す。
【０１９０】
第１のＯＦＤＭシンボルと第８のＯＦＤＭシンボルでは（Ｔ１、Ｔ３／Ｔ４、Ｄ、Ｔ２、Ｔ３／Ｔ４、Ｄ）配列が繰り返され、第５のＯＦＤＭシンボルと第１２のＯＦＤＭシンボルでは（Ｔ２、Ｄ、Ｄ、Ｔ１、Ｄ、Ｄ）配列が繰り返される。
【０１９１】
図５８は、本発明の一実施例による基準信号の割当を示す。
【０１９２】
第１のＯＦＤＭシンボルと第８のＯＦＤＭシンボルでは（Ｔ１、Ｔ３／Ｔ４、Ｄ、Ｔ２、Ｄ、Ｄ）配列が繰り返され、第５のＯＦＤＭシンボルと第１２のＯＦＤＭシンボルでは（Ｔ２、Ｔ３／Ｔ４、Ｄ、Ｔ１、Ｄ、Ｄ）配列が繰り返される。
【０１９３】
図５９は、本発明の一実施例による基準信号の割当を示す。
【０１９４】
第１のＯＦＤＭシンボルと第８のＯＦＤＭシンボルでは（Ｔ１、Ｄ、Ｄ、Ｔ２、Ｄ、Ｄ）配列が繰り返され、第５のＯＦＤＭシンボルと第１２のＯＦＤＭシンボルでは（Ｔ２、Ｄ、Ｄ、Ｔ１、Ｄ、Ｄ）配列が繰り返される。第２、第６、第９及び第１３のＯＦＤＭシンボルでは（Ｔ３／Ｔ４、Ｄ、Ｄ、Ｄ、Ｄ、Ｄ）配列が繰り返される。
【０１９５】
図６０は、本発明の一実施例による基準信号の割当を示す。
【０１９６】
第１のＯＦＤＭシンボルと第８のＯＦＤＭシンボルでは（Ｔ１、Ｄ、Ｄ、Ｔ２、Ｄ、Ｄ）配列が繰り返され、第５のＯＦＤＭシンボルと第１２のＯＦＤＭシンボルでは（Ｔ２、Ｄ、Ｄ、Ｔ１、Ｄ、Ｄ）配列が繰り返される。第６のＯＦＤＭシンボルと第１３のＯＦＤＭシンボルでは（Ｔ３／Ｔ４、Ｄ、Ｄ）配列が繰り返される。
【０１９７】
図６１は、本発明の一実施例による基準信号の割当を示す。
【０１９８】
第１のＯＦＤＭシンボルと第８のＯＦＤＭシンボルでは（Ｔ１、Ｄ、Ｔ３／Ｔ４、Ｔ２、Ｄ、Ｔ３／Ｔ４）配列が繰り返され、第５のＯＦＤＭシンボルと第１２のＯＦＤＭシンボルでは（Ｔ２、Ｄ、Ｄ、Ｔ１、Ｄ、Ｄ）配列が繰り返される。
【０１９９】
図６２は、本発明の一実施例による基準信号の割当を示す。
【０２００】
第１のＯＦＤＭシンボルと第８のＯＦＤＭシンボルでは（Ｔ１、Ｄ、Ｔ３／Ｔ４、Ｔ２、Ｄ、Ｄ）配列が繰り返され、第５のＯＦＤＭシンボルと第１２のＯＦＤＭシンボルでは（Ｔ２、Ｄ、Ｔ３／Ｔ４、Ｔ１、Ｄ、Ｄ）配列が繰り返される。
【０２０１】
図６３は、本発明の一実施例による基準信号の割当を示す。
【０２０２】
第１のＯＦＤＭシンボルと第８のＯＦＤＭシンボルでは（Ｔ１、Ｄ、Ｄ、Ｔ２、Ｄ、Ｄ）配列が繰り返され、第５のＯＦＤＭシンボルと第１２のＯＦＤＭシンボルでは（Ｔ２、Ｄ、Ｄ、Ｔ１、Ｄ、Ｄ）配列が繰り返される。第３のＯＦＤＭシンボルと第１０のＯＦＤＭシンボルでは（Ｔ３、Ｄ、Ｄ、Ｔ４、Ｄ、Ｄ）配列が繰り返され、第７のＯＦＤＭシンボルと第１４のＯＦＤＭシンボルでは（Ｔ４、Ｄ、Ｄ、Ｔ３、Ｄ、Ｄ）配列が繰り返される。
【０２０３】
図６４は、本発明の一実施例による基準信号の割当を示す。
【０２０４】
第１のＯＦＤＭシンボルと第８のＯＦＤＭシンボルでは（Ｔ１、Ｄ、Ｄ、Ｔ２、Ｄ、Ｄ）配列が繰り返され、第５のＯＦＤＭシンボルと第１２のＯＦＤＭシンボルでは（Ｔ２、Ｄ、Ｄ、Ｔ１、Ｄ、Ｄ）配列が繰り返される。第３のＯＦＤＭシンボルでは（Ｔ３、Ｄ、Ｄ、Ｔ４、Ｄ、Ｄ）配列が繰り返され、第１０のＯＦＤＭシンボルでは（Ｔ４、Ｄ、Ｄ、Ｔ３、Ｄ、Ｄ）配列が繰り返される。
【０２０５】
図６５は、本発明の一実施例による基準信号の割当を示す。
【０２０６】
第１のＯＦＤＭシンボルでは（Ｄ、Ｔ１、Ｄ、Ｄ、Ｄ、Ｄ）配列が繰り返され、第８のＯＦＤＭシンボルでは（Ｔ４、Ｔ１、Ｄ、Ｄ、Ｔ２、Ｔ３）配列が繰り返される。第５及び第１２のＯＦＤＭシンボルでは（Ｄ、Ｔ２、Ｄ、Ｄ、Ｔ１、Ｄ）配列が繰り返される。
【０２０７】
時間軸上に前部に位置するＯＦＤＭシンボルに制御信号が割り当てられるマイクロスリップモード（Ｍｉｃｒｏ−ｓｌｅｅｐ  ｍｏｄｅ）を適用する時、制御信号は１つまたは２つのアンテナによって伝送されることができる。制御信号が第１のアンテナによって送信される場合、第１のアンテナに対する基準信号は第１のＯＦＤＭシンボルに割り当てられることができる。
【０２０８】
図６６は、本発明の一実施例による基準信号の割当を示す。
【０２０９】
第１のＯＦＤＭシンボルでは（Ｔ１、Ｄ、Ｄ、Ｄ、Ｄ、Ｄ）配列が繰り返され、第５のＯＦＤＭシンボルでは（Ｔ２、Ｄ、Ｄ、Ｔ１、Ｄ、Ｄ、Ｔ２、Ｔ３、Ｔ４、Ｔ１、Ｄ、Ｄ）配列が繰り返される。第８のＯＦＤＭシンボルでは（Ｔ１、Ｄ、Ｄ、Ｔ２、Ｔ３、Ｔ４、Ｔ１、Ｄ、Ｄ、Ｔ２、Ｄ、Ｄ）配列が繰り返され、第１２のＯＦＤＭシンボルでは（Ｔ２、Ｄ、Ｄ、Ｔ１、Ｄ、Ｄ、Ｔ２、Ｄ、Ｄ、Ｔ１、Ｔ３、Ｔ４）配列が繰り返される。
【０２１０】
マイクロスリップモードで制御信号が第１のアンテナにより送信される場合、第１のアンテナに対する基準信号は時間軸上に前部に位置するＯＦＤＭシンボルに割り当てられる。例えば、制御信号が第１のアンテナにより送信される場合、第１のアンテナに対する基準信号は第１のＯＦＤＭシンボルに割り当てられることができる。
【０２１１】
図６７は、本発明の一実施例による基準信号の割当を示す。
【０２１２】
第１のＯＦＤＭシンボルでは（Ｄ、Ｔ１、Ｄ、Ｄ、Ｔ２、Ｄ）配列が繰り返され、第８のＯＦＤＭシンボルでは（Ｔ４、Ｔ１、Ｄ、Ｄ、Ｔ２、Ｔ３）配列が繰り返される。第５及び第１２のＯＦＤＭシンボルでは（Ｄ、Ｔ２、Ｄ、Ｄ、Ｔ１、Ｄ）配列が繰り返される。マイクロスリップモードで制御信号が第１及び第２のアンテナにより送信される場合、第１及び第２のアンテナに対する基準信号は時間軸上に前部に位置するＯＦＤＭシンボルに割り当てられる。
【０２１３】
図６８は、本発明の一実施例による基準信号の割当を示す。
【０２１４】
マイクロスリップモードで制御信号が２つのアンテナにより送信される場合には基準信号の割当は次の通りである。第１のＯＦＤＭシンボルでは（Ｔ１、Ｄ、Ｄ、Ｔ２、Ｄ、Ｄ）配列が繰り返され、第５のＯＦＤＭシンボルでは（Ｔ２、Ｄ、Ｄ、Ｔ１、Ｄ、Ｄ、Ｔ２、Ｔ３、Ｔ４、Ｔ１、Ｄ、Ｄ）配列が繰り返される。第８のＯＦＤＭシンボルでは（Ｔ１、Ｄ、Ｄ、Ｔ２、Ｔ３、Ｔ４、Ｔ１、Ｄ、Ｄ、Ｔ２、Ｄ、Ｄ）配列が繰り返され、第１２のＯＦＤＭシンボルでは（Ｔ２、Ｄ、Ｄ、Ｔ１、Ｄ、Ｄ、Ｔ２、Ｄ、Ｄ、Ｔ１、Ｔ３、Ｔ４）配列が繰り返される。マイクロスリップモードで制御信号が第１及び第２のアンテナにより送信される場合、第１及び第２のアンテナに対する基準信号は時間軸上に前部に位置するＯＦＤＭシンボルに割り当てられる。
【０２１５】
図６９は、本発明の一実施例による基準信号の割当を示す。
【０２１６】
第１及び第８のＯＦＤＭシンボルでは（Ｔ１、Ｄ、Ｄ、Ｔ２、Ｄ、Ｄ）配列が繰り返され、第５及び第１２のＯＦＤＭシンボルでは（Ｔ２、Ｄ、Ｄ、Ｔ１、Ｄ、Ｄ）配列が繰り返される。第４のＯＦＤＭシンボルでは（Ｔ３、Ｄ、Ｄ、Ｔ４、Ｄ、Ｄ）配列が繰り返され、第９のＯＦＤＭシンボルでは（Ｔ４、Ｄ、Ｄ、Ｔ３、Ｄ、Ｄ）配列が繰り返される。
【０２１７】
サブフレームは２つの領域、即ち、制御チャネル及びデータチャネルに分けられることができる。制御チャネルは制御データを有している領域である。データチャネルは使用者データを有している領域である。例えば、第１、第２及び第３のＯＦＤＭシンボルは制御チャネルに割り当てられ、残りのシンボルはデータチャネルに割り当てられることができる。たとえ、制御チャネルに対するＯＦＤＭシンボルの数が制御チャネルに対するＯＦＤＭシンボルの数より少ないとしても、制御チャネルの信頼性はデータチャネルの信頼性より高い。多重アンテナの一部は制御チャネルの送信のために割り当てられることができる。第１及び第２のアンテナは制御チャネルのために用いられることができる。このような場合、第３及び第４のアンテナは制御チャネルに用いられないため、上記第３及び第４のアンテナの基準信号は制御チャネルに対するＯＦＤＭシンボルに割り当てられないこともある。
【０２１８】
図７０は、本発明の一実施例による基準信号の割当を示す。
【０２１９】
第１及び第８のＯＦＤＭシンボルでは（Ｔ１、Ｄ、Ｄ、Ｔ２、Ｄ、Ｄ）配列が繰り返され、第５及び第１２のＯＦＤＭシンボルでは（Ｔ２、Ｄ、Ｄ、Ｔ１、Ｄ、Ｄ）配列が繰り返される。第６のＯＦＤＭシンボルでは（Ｔ３、Ｄ、Ｄ、Ｔ４、Ｄ、Ｄ）配列が繰り返され、第９のＯＦＤＭシンボルでは（Ｔ４、Ｄ、Ｄ、Ｔ３、Ｄ、Ｄ）配列が繰り返される。
【０２２０】
チャネルで、第３のアンテナに対する基準信号と第４のアンテナに対する基準信号は、チャネル推定の正確性を向上するために、第１及び第２のアンテナに対する基準信号の次に割り当てられる。
【０２２１】
図７１は、本発明の一実施例による基準信号の割当を示す。
【０２２２】
第１及び第８のＯＦＤＭシンボルでは（Ｔ１、Ｄ、Ｄ、Ｔ２、Ｄ、Ｄ）配列が繰り返され、第５及び第１２のＯＦＤＭシンボルでは（Ｔ２、Ｄ、Ｄ、Ｔ１、Ｄ、Ｄ）配列が繰り返される。第４のＯＦＤＭシンボルでは（Ｔ３、Ｄ、Ｄ、Ｔ４、Ｄ、Ｄ）配列が繰り返され、第１１のＯＦＤＭシンボルでは（Ｔ４、Ｄ、Ｄ、Ｔ３、Ｄ、Ｄ）配列が繰り返される。
【０２２３】
連続的なサブフレームで第３のアンテナ及び第４のアンテナに対する基準信号の間隔は継続的に維持されることができる。
【０２２４】
図７２は、本発明の一実施例による基準信号の割当を示す。
【０２２５】
第１及び第８のＯＦＤＭシンボルでは（Ｔ１、Ｄ、Ｄ、Ｔ２、Ｄ、Ｄ）配列が繰り返され、第５及び第１２のＯＦＤＭシンボルでは（Ｔ２、Ｄ、Ｄ、Ｔ１、Ｄ、Ｄ）配列が繰り返される。第６のＯＦＤＭシンボルでは（Ｔ３、Ｄ、Ｄ、Ｔ４、Ｄ、Ｄ）配列が繰り返され、第１０のＯＦＤＭシンボルでは（Ｔ４、Ｄ、Ｄ、Ｔ３、Ｄ、Ｄ）配列が繰り返される。
【０２２６】
図７３は、本発明の一実施例による基準信号の割当を示す。
【０２２７】
第１及び第８のＯＦＤＭシンボルでは（Ｔ１、Ｄ、Ｄ、Ｔ２、Ｄ、Ｄ）配列が繰り返され、第５及び第１２のＯＦＤＭシンボルでは（Ｔ２、Ｄ、Ｄ、Ｔ１、Ｄ、Ｄ）配列が繰り返される。第４のＯＦＤＭシンボルでは（Ｔ３、Ｄ、Ｄ、Ｔ４、Ｄ、Ｄ）配列が繰り返され、第９のＯＦＤＭシンボルでは（Ｔ４、Ｄ、Ｄ、Ｔ３、Ｄ、Ｄ）配列が繰り返される。
【０２２８】
図７４は、本発明の一実施例による基準信号の割当を示す。
【０２２９】
第１及び第８のＯＦＤＭシンボルでは（Ｔ１、Ｄ、Ｄ、Ｔ２、Ｄ、Ｄ）配列が繰り返され、第５及び第１２のＯＦＤＭシンボルでは（Ｔ２、Ｄ、Ｄ、Ｔ１、Ｄ、Ｄ）配列が繰り返される。第６のＯＦＤＭシンボルでは（Ｔ３、Ｄ、Ｄ、Ｔ４、Ｄ、Ｄ）配列が繰り返され、第１１のＯＦＤＭシンボルでは（Ｔ４、Ｄ、Ｄ、Ｔ３、Ｄ、Ｄ）配列が繰り返される。
【０２３０】
図７５は、本発明の一実施例による基準信号の割当を示す。
【０２３１】
第１及び第８のＯＦＤＭシンボルでは（Ｔ１、Ｄ、Ｄ、Ｔ２、Ｄ、Ｄ）配列が繰り返され、第５及び第１２のＯＦＤＭシンボルでは（Ｔ２、Ｄ、Ｄ、Ｔ１、Ｄ、Ｄ）配列が繰り返される。第６のＯＦＤＭシンボルでは（Ｔ３、Ｄ、Ｄ、Ｔ４、Ｄ、Ｄ）配列が繰り返され、第１３のＯＦＤＭシンボルでは（Ｔ４、Ｄ、Ｄ、Ｔ３、Ｄ、Ｄ）配列が繰り返される。
【０２３２】
図７６は、本発明の一実施例による基準信号の割当を示す。
【０２３３】
第１及び第８のＯＦＤＭシンボルでは（Ｔ１、Ｄ、Ｄ、Ｔ２、Ｄ、Ｄ）配列が繰り返され、第４及び第１２のＯＦＤＭシンボルでは（Ｔ２、Ｄ、Ｄ、Ｔ１、Ｄ、Ｄ）配列が繰り返される。第３のＯＦＤＭシンボルでは（Ｔ３、Ｄ、Ｄ、Ｔ４、Ｄ、Ｄ）配列が繰り返され、第９のＯＦＤＭシンボルでは（Ｔ４、Ｄ、Ｄ、Ｔ３、Ｄ、Ｄ）配列が繰り返される。
【０２３４】
図７７は、本発明の一実施例による基準信号の割当を示す。
【０２３５】
第１及び第８のＯＦＤＭシンボルでは（Ｔ１、Ｄ、Ｄ、Ｔ２、Ｄ、Ｄ）配列が繰り返され、第４及び第１２のＯＦＤＭシンボルでは（Ｔ２、Ｄ、Ｄ、Ｔ１、Ｄ、Ｄ）配列が繰り返される。第５のＯＦＤＭシンボルでは（Ｔ３、Ｄ、Ｄ、Ｔ４、Ｄ、Ｄ）配列が繰り返され、第９のＯＦＤＭシンボルでは（Ｔ４、Ｄ、Ｄ、Ｔ３、Ｄ、Ｄ）配列が繰り返される。
【０２３６】
図７８は、本発明の一実施例による基準信号の割当を示す。
【０２３７】
第１及び第８のＯＦＤＭシンボルでは（Ｔ１、Ｄ、Ｄ、Ｔ２、Ｄ、Ｄ）配列が繰り返され、第４及び第１２のＯＦＤＭシンボルでは（Ｔ２、Ｄ、Ｄ、Ｔ１、Ｄ、Ｄ）配列が繰り返される。第３のＯＦＤＭシンボルでは（Ｔ３、Ｄ、Ｄ、Ｔ４、Ｄ、Ｄ）配列が繰り返され、第１１のＯＦＤＭシンボルでは（Ｔ４、Ｄ、Ｄ、Ｔ３、Ｄ、Ｄ）配列が繰り返される。
【０２３８】
図７９は、本発明の一実施例による基準信号の割当を示す。
【０２３９】
第１及び第８のＯＦＤＭシンボルでは（Ｔ１、Ｄ、Ｄ、Ｔ２、Ｄ、Ｄ）配列が繰り返され、第４及び第１２のＯＦＤＭシンボルでは（Ｔ２、Ｄ、Ｄ、Ｔ１、Ｄ、Ｄ）配列が繰り返される。第５のＯＦＤＭシンボルでは（Ｔ３、Ｄ、Ｄ、Ｔ４、Ｄ、Ｄ）配列が繰り返され、第１０のＯＦＤＭシンボルでは（Ｔ４、Ｄ、Ｄ、Ｔ３、Ｄ、Ｄ）配列が繰り返される。
【０２４０】
図８０は、本発明の一実施例による基準信号の割当を示す。
【０２４１】
第１及び第８のＯＦＤＭシンボルでは（Ｔ１、Ｄ、Ｄ、Ｔ２、Ｄ、Ｄ）配列が繰り返され、第４及び第１２のＯＦＤＭシンボルでは（Ｔ２、Ｄ、Ｄ、Ｔ１、Ｄ、Ｄ）配列が繰り返される。第３のＯＦＤＭシンボルでは（Ｔ３、Ｄ、Ｄ、Ｔ４、Ｄ、Ｄ）配列が繰り返され、第１０のＯＦＤＭシンボルでは（Ｔ４、Ｄ、Ｄ、Ｔ３、Ｄ、Ｄ）配列が繰り返される。
【０２４２】
図８１は、本発明の一実施例による基準信号の割当を示す。
【０２４３】
第１及び第８のＯＦＤＭシンボルでは（Ｔ１、Ｄ、Ｄ、Ｔ２、Ｄ、Ｄ）配列が繰り返され、第４及び第１２のＯＦＤＭシンボルでは（Ｔ２、Ｄ、Ｄ、Ｔ１、Ｄ、Ｄ）配列が繰り返される。第５のＯＦＤＭシンボルでは（Ｔ３、Ｄ、Ｄ、Ｔ４、Ｄ、Ｄ）配列が繰り返され、第１１のＯＦＤＭシンボルでは（Ｔ４、Ｄ、Ｄ、Ｔ３、Ｄ、Ｄ）配列が繰り返される。
【０２４４】
図８２は、本発明の一実施例による基準信号の割当を示す。
【０２４５】
第１及び第８のＯＦＤＭシンボルでは（Ｔ１、Ｄ、Ｄ、Ｔ２、Ｄ、Ｄ）配列が繰り返され、第４及び第１２のＯＦＤＭシンボルでは（Ｔ２、Ｄ、Ｄ、Ｔ１、Ｄ、Ｄ）配列が繰り返される。第５のＯＦＤＭシンボルでは（Ｔ３、Ｄ、Ｄ、Ｔ４、Ｄ、Ｄ）配列が繰り返され、第１３のＯＦＤＭシンボルでは（Ｔ４、Ｄ、Ｄ、Ｔ３、Ｄ、Ｄ）配列が繰り返される。
【０２４６】
図６５ないし図８２は、第１のＯＦＤＭシンボルに基準信号を割り当てた一例を示したのである。マイクロスリップモードに適用されるＯＦＤＭシンボルの個数が増加すれば、第２、第３のＯＦＤＭシンボルなどの他のＯＦＤＭシンボルに基準信号が割り当てられることができる。
【０２４７】
図８３は、多重使用者信号に対する基準信号割当の一例を示す。
【０２４８】
図８３を参照すると、基準信号Ｒはどのアンテナに対しても用いられることができる。２つのアンテナを用いる場合、‘Ｒ’は第１のアンテナに対する基準信号であってもよく、第２のアンテナに対する基準信号であってもよい。空いている資源要素はデータシンボルであってもよく、ナルシンボルであってもよい。
【０２４９】
１つのサブフレームで第１のアンテナに対する基準信号Ｔ１は第１のＯＦＤＭシンボルで６つの副搬送波間隔に割り当てられる。即ち、基準信号Ｔ１は５つの副搬送波を間に置いて割り当てられる。第２のアンテナに対する基準信号Ｔ２は、基準信号Ｔ１と同じＯＦＤＭシンボルで同一間隔にお互いに重複しないように割り当てられる。即ち、基準信号Ｔ２は基準信号Ｔ１と同一間隔に２つの基準信号Ｔ１の間に割り当てられる。
【０２５０】
基準信号Ｒは、専用制御信号が含まれない領域、例えば、第３のＯＦＤＭシンボルから割り当てられる。即ち、基準信号Ｒは、第３のＯＦＤＭシンボルに２つの副搬送波間隔に割り当てられる。基準信号Ｒは、第３のＯＦＤＭシンボルから４つのＯＦＤＭシンボルほど離れた第７のＯＦＤＭシンボルに２つの副搬送波間隔に割り当てられる。第３のＯＦＤＭシンボルと第７のＯＦＤＭシンボルに割り当てられる基準信号Ｒはお互いに交錯する。また、基準信号Ｒは、第７のＯＦＤＭシンボルから４つのＯＦＤＭシンボルほど離れた第１１のＯＦＤＭシンボルに２つの副搬送波間隔に割り当てられる。
【０２５１】
図８４は、多重使用者信号に対する基準信号割当の他の例を示す。
【０２５２】
図８４を参照すると、図８３の実施例と比較して、第１のアンテナに対する基準信号Ｔ１と第２のアンテナに対する基準信号Ｔ２が第４のＯＦＤＭシンボルに割り当てられる。多重使用者信号が伝送される領域に専用制御信号を割り当てて、専用制御信号に対するエラー率を減らすことができる。
【０２５３】
図８５は、多重アンテナを用いる時、多重使用者信号に対する基準信号割当のもう１つの例を示す。４つのアンテナが用いられ、このうちで少なくとも１つのアンテナが多重使用者信号を伝送する場合である。
【０２５４】
図８５を参照すると、１つのサブフレームで基準信号Ｔ１は第１のＯＦＤＭシンボルで６つの副搬送波間隔に割り当てられる。基準信号Ｔ２は第１の基準信号Ｔ１と同じＯＦＤＭシンボルで同一間隔にお互いに重複しないように割り当てられる。即ち、基準信号Ｔ２は基準信号Ｔ１と同一間隔に２つの基準信号Ｔ１の間に割り当てられる。また、１つのサブフレームで基準信号Ｔ３は第１のＯＦＤＭシンボルで６つの副搬送波間隔に割り当てられる。基準信号Ｔ４は基準信号Ｔ３と同じＯＦＤＭシンボルで同一間隔にお互いに重複しないように割り当てられる。
【０２５５】
基準信号Ｒは、専用制御信号が含まれない領域、例えば、第３のＯＦＤＭシンボルから割り当てられる。基準信号Ｒは、第１ないし第４のアンテナのうち少なくともいずれか１つから伝送されることができる。基準信号Ｒは、第３のＯＦＤＭシンボルで２つの副搬送波間隔に割り当てられる。基準信号Ｒは、第３のＯＦＤＭシンボルから４つのＯＦＤＭシンボルほど離れた第７のＯＦＤＭシンボルに２つの副搬送波間隔に割り当てられる。第３のＯＦＤＭシンボルと第７のＯＦＤＭシンボルに割り当てられる基準信号Ｒはお互いに交錯する。
【０２５６】
基準信号Ｔ１及びＴ２は第４のＯＦＤＭシンボルに割り当てられる。多重使用者信号が伝送される領域に割り当てられた専用制御信号は、専用制御信号に対するエラー率を減らすことができる。
【０２５７】
図８６は、多重アンテナを用いる時、多重使用者信号に対する基準信号割当のもう１つの例を示す。４つのアンテナが用いられる時、少なくとも１つのアンテナが多重使用者基準信号を伝送する場合である。
【０２５８】
図８６を参照すると、第１の基準信号Ｒ１と第２の基準信号Ｒ２は第３のＯＦＤＭシンボルから４つのＯＦＤＭシンボル間隔に割り当てられる。第３の基準信号Ｒ３と第４の基準信号Ｒ４は第５のＯＦＤＭシンボルから４つのＯＦＤＭシンボル間隔に割り当てられる。
【０２５９】
図８７は、多重アンテナを用いる時、多重使用者信号に対する基準信号割当のもう１つの例を示す。
【０２６０】
図８７を参照すると、第１の基準信号Ｒ１と第２の基準信号Ｒ２は第３のＯＦＤＭシンボルから４つのＯＦＤＭシンボル間隔に割り当てられる。第３の基準信号Ｒ３と第４の基準信号Ｒ４は第５のＯＦＤＭシンボルから４つのＯＦＤＭシンボル間隔に割り当てられる。第１ないし第４の基準信号Ｒ１、Ｒ２、Ｒ３及びＲ４は周波数領域で６つの副搬送波間隔に各々割り当てられる。
【０２６１】
図８８は、多重アンテナを用いる時、多重使用者信号に対する基準信号割当のもう１つの例を示す。
【０２６２】
図８８を参照すると、第１の基準信号Ｒ１と第２の基準信号Ｒ２は、第３のＯＦＤＭシンボルから４つのＯＦＤＭシンボル間隔に割り当てられる。第３の基準信号Ｒ３と第４の基準信号Ｒ４は第５のＯＦＤＭシンボルから４つのＯＦＤＭシンボル間隔に割り当てられる。
【０２６３】
第１ないし第４のアンテナに対する基準信号Ｔ１、Ｔ２、Ｔ３及びＴ４は、第１のＯＦＤＭシンボルと第２のＯＦＤＭシンボルに割り当てられる。また、基準信号Ｔ１及びＴ２は第４のＯＦＤＭシンボルに割り当てられる。
【０２６４】
図８９は、多重アンテナを用いる時、多重使用者信号に対する基準信号割当のもう１つの例を示す。
【０２６５】
図８９を参照すると、第１の基準信号Ｒ１と第２の基準信号Ｒ２は第３のＯＦＤＭシンボルから４つのＯＦＤＭシンボル間隔に割り当てられる。第３の基準信号Ｒ３と第４の基準信号Ｒ４は第５のＯＦＤＭシンボルから４つのＯＦＤＭシンボル間隔に割り当てられる。第１ないし第４の基準信号Ｒ１、Ｒ２、Ｒ３及びＲ４は周波数領域で６つの副搬送波間隔に割り当てられる。
【０２６６】
第１ないし第４のアンテナに対する基準信号Ｔ１、Ｔ２、Ｔ３及びＴ４は第１のＯＦＤＭシンボルと第２のＯＦＤＭシンボルに割り当てられる。また、基準信号Ｔ１及びＴ２は第４のＯＦＤＭシンボルに割り当てられる。
【０２６７】
図９０は、多重アンテナを用いる時、多重使用者信号に対する基準信号割当のもう１つの例を示す。
【０２６８】
図９０を参照すると、第１の基準信号Ｒ１と第２の基準信号Ｒ２は第３のＯＦＤＭシンボルから４つのＯＦＤＭシンボル間隔に割り当てられる。第３の基準信号Ｒ３と第４の基準信号Ｒ４は第５のＯＦＤＭシンボルから４つのＯＦＤＭシンボル間隔に割り当てられる。
【０２６９】
第１ないし第４のアンテナに対する基準信号Ｔ１、Ｔ２、Ｔ３及びＴ４は第１のＯＦＤＭシンボルと第２のＯＦＤＭシンボルにだけ割り当てられる。
【０２７０】
図９１は、多重アンテナを用いる時、多重使用者信号に対する基準信号割当のもう１つの例を示す。
【０２７１】
図９１を参照すると、第１の基準信号Ｒ１と第２の基準信号Ｒ２は第３のＯＦＤＭシンボルから４つのＯＦＤＭシンボル間隔に割り当てられる。第３の基準信号Ｒ３と第４の基準信号Ｒ４は第５のＯＦＤＭシンボルから４つのＯＦＤＭシンボル間隔に割り当てられる。第１ないし第４の基準信号Ｒ１、Ｒ２、Ｒ３及びＲ４は周波数領域で６つの副搬送波間隔に割り当てられる。
【０２７２】
第１ないし第４のアンテナに対する基準信号Ｔ１、Ｔ２、Ｔ３及びＴ４は第１のＯＦＤＭシンボルと第２のＯＦＤＭシンボルにだけ割り当てられる。
【０２７３】
多重アンテナに対する基準信号が效果的に割り当てられる。チャネル推定またはデータ復調における性能劣化を防止できる。
【０２７４】
以上、本発明に対して実施例を参照して説明したが、該当技術分野の通常の知識を持った者は、本発明の技術的思想及び領域から外れない範囲内で本発明を多様に修正及び変更させて実施できることを理解することができる。従って、上述した実施例に限定されることなく、本発明は特許請求範囲の範囲内の全ての実施例を含む。
【図面の簡単な説明】
【０２７５】
【図１】多重アンテナを有する送信機を示すブロック図である。
【図２】多重アンテナを有する受信機を示すブロック図である。
【図３】２つの送信アンテナが用いられる時、基準信号割当の一実施例を示す図面である。
【図４】４つの送信アンテナが用いられる時、基準信号割当の一実施例を示す図面である。
【図５】基準信号割当の一実施例を示す図面である。
【図６】基準信号割当の他の実施例を示す図面である。
【図７】図７ないし図１９は、多重使用者信号に対する基準信号割当の一実施例を示す図面である。
【図８】図７ないし図１９は、多重使用者信号に対する基準信号割当の一実施例を示す図面である。
【図９】図７ないし図１９は、多重使用者信号に対する基準信号割当の一実施例を示す図面である。
【図１０】図７ないし図１９は、多重使用者信号に対する基準信号割当の一実施例を示す図面である。
【図１１】図７ないし図１９は、多重使用者信号に対する基準信号割当の一実施例を示す図面である。
【図１２】図７ないし図１９は、多重使用者信号に対する基準信号割当の一実施例を示す図面である。
【図１３】図７ないし図１９は、多重使用者信号に対する基準信号割当の一実施例を示す図面である。
【図１４】図７ないし図１９は、多重使用者信号に対する基準信号割当の一実施例を示す図面である。
【図１５】図７ないし図１９は、多重使用者信号に対する基準信号割当の一実施例を示す図面である。
【図１６】図７ないし図１９は、多重使用者信号に対する基準信号割当の一実施例を示す図面である。
【図１７】図７ないし図１９は、多重使用者信号に対する基準信号割当の一実施例を示す図面である。
【図１８】図７ないし図１９は、多重使用者信号に対する基準信号割当の一実施例を示す図面である。
【図１９】図７ないし図１９は、多重使用者信号に対する基準信号割当の一実施例を示す図面である。
【図２０】図２０ないし図８２は、本発明による基準信号割当の一実施例を示す図面である。
【図２１】図２０ないし図８２は、本発明による基準信号割当の一実施例を示す図面である。
【図２２】図２０ないし図８２は、本発明による基準信号割当の一実施例を示す図面である。
【図２３】図２０ないし図８２は、本発明による基準信号割当の一実施例を示す図面である。
【図２４】図２０ないし図８２は、本発明による基準信号割当の一実施例を示す図面である。
【図２５】図２０ないし図８２は、本発明による基準信号割当の一実施例を示す図面である。
【図２６】図２０ないし図８２は、本発明による基準信号割当の一実施例を示す図面である。
【図２７】図２０ないし図８２は、本発明による基準信号割当の一実施例を示す図面である。
【図２８】図２０ないし図８２は、本発明による基準信号割当の一実施例を示す図面である。
【図２９】図２０ないし図８２は、本発明による基準信号割当の一実施例を示す図面である。
【図３０】図２０ないし図８２は、本発明による基準信号割当の一実施例を示す図面である。
【図３１】図２０ないし図８２は、本発明による基準信号割当の一実施例を示す図面である。
【図３２】図２０ないし図８２は、本発明による基準信号割当の一実施例を示す図面である。
【図３３】図２０ないし図８２は、本発明による基準信号割当の一実施例を示す図面である。
【図３４】図２０ないし図８２は、本発明による基準信号割当の一実施例を示す図面である。
【図３５】図２０ないし図８２は、本発明による基準信号割当の一実施例を示す図面である。
【図３６】図２０ないし図８２は、本発明による基準信号割当の一実施例を示す図面である。
【図３７】図２０ないし図８２は、本発明による基準信号割当の一実施例を示す図面である。
【図３８】図２０ないし図８２は、本発明による基準信号割当の一実施例を示す図面である。
【図３９】図２０ないし図８２は、本発明による基準信号割当の一実施例を示す図面である。
【図４０】図２０ないし図８２は、本発明による基準信号割当の一実施例を示す図面である。
【図４１】図２０ないし図８２は、本発明による基準信号割当の一実施例を示す図面である。
【図４２】図２０ないし図８２は、本発明による基準信号割当の一実施例を示す図面である。
【図４３】図２０ないし図８２は、本発明による基準信号割当の一実施例を示す図面である。
【図４４】図２０ないし図８２は、本発明による基準信号割当の一実施例を示す図面である。
【図４５】図２０ないし図８２は、本発明による基準信号割当の一実施例を示す図面である。
【図４６】図２０ないし図８２は、本発明による基準信号割当の一実施例を示す図面である。
【図４７】図２０ないし図８２は、本発明による基準信号割当の一実施例を示す図面である。
【図４８】図２０ないし図８２は、本発明による基準信号割当の一実施例を示す図面である。
【図４９】図２０ないし図８２は、本発明による基準信号割当の一実施例を示す図面である。
【図５０】図２０ないし図８２は、本発明による基準信号割当の一実施例を示す図面である。
【図５１】図２０ないし図８２は、本発明による基準信号割当の一実施例を示す図面である。
【図５２】図２０ないし図８２は、本発明による基準信号割当の一実施例を示す図面である。
【図５３】図２０ないし図８２は、本発明による基準信号割当の一実施例を示す図面である。
【図５４】図２０ないし図８２は、本発明による基準信号割当の一実施例を示す図面である。
【図５５】図２０ないし図８２は、本発明による基準信号割当の一実施例を示す図面である。
【図５６】図２０ないし図８２は、本発明による基準信号割当の一実施例を示す図面である。
【図５７】図２０ないし図８２は、本発明による基準信号割当の一実施例を示す図面である。
【図５８】図２０ないし図８２は、本発明による基準信号割当の一実施例を示す図面である。
【図５９】図２０ないし図８２は、本発明による基準信号割当の一実施例を示す図面である。
【図６０】図２０ないし図８２は、本発明による基準信号割当の一実施例を示す図面である。
【図６１】図２０ないし図８２は、本発明による基準信号割当の一実施例を示す図面である。
【図６２】図２０ないし図８２は、本発明による基準信号割当の一実施例を示す図面である。
【図６３】図２０ないし図８２は、本発明による基準信号割当の一実施例を示す図面である。
【図６４】図２０ないし図８２は、本発明による基準信号割当の一実施例を示す図面である。
【図６５】図２０ないし図８２は、本発明による基準信号割当の一実施例を示す図面である。
【図６６】図２０ないし図８２は、本発明による基準信号割当の一実施例を示す図面である。
【図６７】図２０ないし図８２は、本発明による基準信号割当の一実施例を示す図面である。
【図６８】図２０ないし図８２は、本発明による基準信号割当の一実施例を示す図面である。
【図６９】図２０ないし図８２は、本発明による基準信号割当の一実施例を示す図面である。
【図７０】図２０ないし図８２は、本発明による基準信号割当の一実施例を示す図面である。
【図７１】図２０ないし図８２は、本発明による基準信号割当の一実施例を示す図面である。
【図７２】図２０ないし図８２は、本発明による基準信号割当の一実施例を示す図面である。
【図７３】図２０ないし図８２は、本発明による基準信号割当の一実施例を示す図面である。
【図７４】図２０ないし図８２は、本発明による基準信号割当の一実施例を示す図面である。
【図７５】図２０ないし図８２は、本発明による基準信号割当の一実施例を示す図面である。
【図７６】図２０ないし図８２は、本発明による基準信号割当の一実施例を示す図面である。
【図７７】図２０ないし図８２は、本発明による基準信号割当の一実施例を示す図面である。
【図７８】図２０ないし図８２は、本発明による基準信号割当の一実施例を示す図面である。
【図７９】図２０ないし図８２は、本発明による基準信号割当の一実施例を示す図面である。
【図８０】図２０ないし図８２は、本発明による基準信号割当の一実施例を示す図面である。
【図８１】図２０ないし図８２は、本発明による基準信号割当の一実施例を示す図面である。
【図８２】図２０ないし図８２は、本発明による基準信号割当の一実施例を示す図面である。
【図８３】図８３ないし図９１は、多重使用者信号に対する基準信号割当の一実施例を示す図面である。
【図８４】図８３ないし図９１は、多重使用者信号に対する基準信号割当の一実施例を示す図面である。
【図８５】図８３ないし図９１は、多重使用者信号に対する基準信号割当の一実施例を示す図面である。
【図８６】図８３ないし図９１は、多重使用者信号に対する基準信号割当の一実施例を示す図面である。
【図８７】図８３ないし図９１は、多重使用者信号に対する基準信号割当の一実施例を示す図面である。
【図８８】図８３ないし図９１は、多重使用者信号に対する基準信号割当の一実施例を示す図面である。
【図８９】図８３ないし図９１は、多重使用者信号に対する基準信号割当の一実施例を示す図面である。
【図９０】図８３ないし図９１は、多重使用者信号に対する基準信号割当の一実施例を示す図面である。
【図９１】図８３ないし図９１は、多重使用者信号に対する基準信号割当の一実施例を示す図面である。
【符号の説明】
【０２７６】
１００  送信機
１２０  チャネルインコーダ
１３０  マッパ
１４０  ＭＩＭＯ処理器
１５０  副搬送波アロケータ
１６０  ＯＦＤＭ変調器
１９０−１、．．．  、１９０−Ｎｔ  多重送信アンテナ
２００  受信機
２１０  ＯＦＤＭ復調器
２２０  チャネル推定
２３０  ＭＩＭＯ後処理機
２４０  ジマッパ
２５０  チャネルデコーダ
２９０−１、．．．  、２９０−Ｎｒ  受信アンテナ
Ｒ１  第１の基準信号
Ｒ２  第２の基準信号
Ｄ  データシンボル
Ｎ  ナルシンボル
【国際調査報告】
2009533941.tif 000094